(57)【特許請求の範囲】
【請求項１】
遊技中に抽選契機が発生したことを条件として内部抽選を実行する抽選実行手段と、
前記抽選実行手段により前記内部抽選が実行されると、当該実行された前記内部抽選の結果に応じて図柄を変動表示させた後に前記内部抽選の結果に応じた態様で図柄を停止表示させる図柄表示手段と、
前記図柄表示手段による図柄の変動表示に際して、少なくとも変動時間の設定に関わる変動パターンを決定する変動パターン決定手段と、
前記図柄表示手段により実行される図柄の変動表示に応じて、少なくとも所定単位の遊技得点を加算する遊技得点加算手段と、
前記抽選契機の発生に応じて、前記抽選実行手段による前記内部抽選の実行及び前記変動パターンの決定に必要となる要素を記憶する要素記憶手段と、
前記内部抽選についての始動条件が満たされた場合、前記要素記憶手段により記憶された前記要素を消費する記憶消費手段と、
前記要素記憶手段により記憶された前記要素の存在を表す基本態様の要素記憶存在演出を実行するとともに、前記記憶消費手段による記憶の消費に応じて、前記要素記憶存在演出により表される記憶の存在を消費したことを表す要素記憶消費演出を実行する要素記憶演出実行手段と、
前記始動条件が満たされていない状態で前記抽選契機が発生したことに応じて、新たに取得された前記要素が前記記憶消費手段により消費される前に、その新たな前記要素を用いて前記内部抽選の結果を事前に判定するとともに、その新たな前記要素を用いて前記変動パターン決定手段により決定される前記変動パターンに係る情報を事前に判定する事前判定手段と、
前記事前判定手段により事前に判定された前記変動パターンに係る情報が変化条件を満たすものである場合、当該変化条件を満たすと判定された前記要素の存在に応じて前記要素記憶存在演出を前記基本態様から特殊態様に変化させる要素記憶存在演出態様変化手段と、
前記要素記憶存在演出が前記特殊態様に変化された前記要素の記憶が前記記憶消費手段により消費された場合、前記図柄表示手段により図柄の変動表示が行われることで、前記遊技得点加算手段により加算される前記遊技得点が前記所定単位よりも増加される可能性があることを予告する態様の遊技得点増加予告演出を実行する遊技得点増加予告演出実行手段と
を備えた遊技機。
【発明の詳細な説明】
【技術分野】
【０００１】
本発明は、遊技が行われたことに対して何らかの得点を加算する遊技機に関する。
【背景技術】
【０００２】
従来、大当り終了後に特殊演出モードに移行すると、遊技者の加点操作によって獲得したポイントを累積して表示する遊技機の先行技術が知られている（例えば、特許文献１参照。）。
【０００３】
この先行技術は、特殊演出モードへの移行時に目標ポイントを設けておき、図柄の変動表示中に遊技者が演出ボタンのプッシュ操作をすることにより、目標ポイントに向けて次第にポイントが加算されていくミニゲーム演出を行うものである。そして、目標ポイント近くまでポイントが加算されている状態で図柄抽選に当選すると、ポイントを一気に目標まで加算してミニゲーム演出を終了する。このため遊技者に対しては、特殊演出モード中の加点操作によって獲得したポイントの累計が目標ポイントに達すると、それによって大当りになるというゲーム性を実現することができる。また、特殊演出モード中は獲得ポイントの累計値が大きくなるほど、大当りが近いという期待感を高めることができる。
【０００４】
上記の他に、始動口へ新たな入球（入賞）があったときに、それ以前の入球に対する図柄の変動表示が行われている場合、新たな入球に対する記憶を保留対応オブジェクトとして演出表示する先行技術がある（例えば、特許文献２参照。）。特にこの先行技術では、保留対応オブジェクトについて、当該図柄変動表示の開始順番が回ってくる前に抽選結果の先読みを行い、オブジェクトの表示態様を初期態様から「当り」又は「はずれ」を示す方向に段階的に変化させている。これにより、保留対応オブジェクトに対応する記憶の当該変動より前に、遊技者に対してある程度の期待値を演出上で予告することができる。
【先行技術文献】
【特許文献】
【０００５】
【特許文献１】特開２０１０−１２１４８号公報
【特許文献２】特開２０１０−２６４０２３号公報
【発明の概要】
【発明が解決しようとする課題】
【０００６】
上記に挙げた２つの先行技術は、いずれも演出上のポイント加算や保留対応オブジェクトの変化によって遊技性を高めようとするものである。特に、先に挙げた先行技術（特許文献１）は、遊技得点として加算されたポイントの累計値が大当り期待度の目安になる点で利便である。ただし、特殊演出モード中に加算されるポイントはあくまで目標値までであり、それ以上の獲得ポイントを発生させることはできない。
【０００７】
また、後に挙げた先行技術（特許文献２）は、保留対応オブジェクトの表示態様変化によって大当り期待度を遊技者に予測させ、当該変動開始までの期待感を持続させる点である程度有効である。しかし、保留対応オブジェクトの変化が「当り」又は「はずれ」のいずれかにしか対応していないため、抽選結果の先読み以外にまで遊技性を広げることができないという限界がある。
【０００８】
そこで本発明は、ポイント等の加算や先読み演出の手法を用いて遊技性を向上することができる技術の提供を課題とする。
【課題を解決するための手段】
【０００９】
上記の課題を解決するため、本発明は以下の解決手段を採用する。
解決手段１：すなわち本発明は、遊技中に抽選契機（例えば始動口への入賞）が発生したことを条件として、遊技者の利益（例えば可変入賞装置の作動契機が発生するという利益）に関わる内部抽選を実行する抽選実行手段と、前記抽選実行手段により前記内部抽選が実行されると、予め設定された変動時間にわたり図柄（例えば記号的に視認される図案も含む）を変動表示させた後に前記内部抽選の結果に応じた態様で図柄を停止表示させる図柄表示手段と、前記図柄表示手段による図柄の変動表示に際して、少なくとも変動時間の設定に関わる変動パターンを決定する変動パターン決定手段と、前記図柄表示手段により図柄の変動表示及び停止表示が実行されるごとに、少なくとも所定単位の遊技得点（例えばポイント）を加算する遊技得点加算手段と、前記抽選契機の発生に伴い、前記抽選実行手段による前記内部抽選の実行に必要となる抽選要素とともに前記変動パターン決定手段による前記変動パターンの決定に必要となる変動パターン決定要素をそれぞれ取得して順番に記憶する要素記憶手段と、前記図柄表示手段による図柄の変動表示を開始するための始動条件（例えば図柄が変動中でなく、前回の変動が行われた場合は図柄の停止表示が確定しているという条件）が満たされた状態で前記要素記憶手段による前記抽選要素及び前記変動パターン決定要素の記憶が存在する場合、その記憶されている前記抽選要素及び前記変動パターン決定要素を記憶の順番に１つずつ消費して前記抽選実行手段及び前記変動パターン決定手段にそれぞれ供与する記憶消費手段と、前記要素記憶手段により記憶された前記抽選要素及び前記変動パターン決定要素の組の存在を表す基本態様の要素記憶存在演出を実行するとともに、前記記憶消費手段による記憶の消費に伴い、前記要素記憶存在演出により表される記憶の組の存在が減少したことを表す要素記憶消費演出を実行する要素記憶演出実行手段と、前記始動条件が満たされていない状態で前記抽選契機が発生したことに伴い、新たに取得された前記抽選要素及び前記変動パターン決定要素が前記要素記憶手段によりそれぞれ記憶されると、前記記憶消費手段により消費される前にその新たな前記抽選要素を用いて前記内部抽選の結果を事前に判定するとともに、その新たな前記変動パターン決定要素を用いて前記変動パターン決定手段により決定される前記変動パターンを事前に判定する事前判定手段と、前記要素記憶手段により複数組の前記抽選要素及び前記変動パターン決定要素が記憶されている状態で、少なくともいずれかの組の前記変動パターン決定要素について前記事前判定手段により事前に判定された前記変動パターンが第１条件を満たすものであり、かつ、それ以後に記憶されたいずれかの組の前記変動パターン決定要素について前記事前判定手段により事前に判定された前記変動パターンが第２条件を満たすものである場合、前記第１条件を満たすと事前に判定された前記変動パターンに対応する前記変動パターン決定要素の存在に対応して前記要素記憶演出実行手段により実行される前記要素記憶存在演出を前記基本態様から特殊態様に変化させる要素記憶存在演出態様変化手段と、前記要素記憶存在演出態様変化手段により前記特殊態様に変化された前記要素記憶存在演出により存在が表される前記抽選要素及び前記変動パターン決定要素の記憶が前記記憶消費手段により消費されて前記抽選実行手段及び前記変動パターン決定手段にそれぞれ供与された場合、前記第１条件を満たす前記変動パターンにより設定された変動時間にわたり前記図柄表示手段により図柄が変動表示される間に、それ以後に前記第２条件を満たす前記変動パターンにより設定された変動時間にわたり前記図柄表示手段により図柄の変動表示及び停止表示が行われることで、前記遊技得点加算手段により加算される前記遊技得点が前記所定単位よりも増加される可能性があることを予告する態様の遊技得点増加予告演出を実行する遊技得点増加予告演出実行手段とを備える。
なお、遊技得点加算手段は、前記図柄表示手段により図柄の変動表示及び停止表示が実行されるごとに少なくとも所定単位の遊技得点を加算するとともに、前記変動パターン決定手段により決定された特定の変動パターンにより変動時間が設定された場合は前記所定単位よりも多く前記遊技得点を加算する構成でもよい。また本発明において「遊技得点の加算（遊技得点加算手段）」は、遊技者に対する「遊技得点の付与（遊技得点付与手段）」としてもよい。
また、要素記憶手段は、前記抽選契機の発生に伴い、前記抽選実行手段による前記内部抽選の実行に必要となる抽選要素とともに前記変動パターン決定手段による前記変動パターンの決定に必要となる変動パターン決定要素をそれぞれ取得して順番に記憶し、これら抽選要素及び変動パターン決定要素を組にした記憶数が所定の上限数に達した場合は前記抽選要素及び前記変動パターン決定要素の取得を制限する構成でもよい。
【００１０】
本発明の遊技機によれば、例えば以下の流れで遊技が進行する。
（１）遊技中に抽選契機が発生したことを条件として内部抽選が行われる。内部抽選は、遊技者の利益に関わるものであり、内部抽選の結果が遊技者に対する利益の付与の有無を決定する。
（２）内部抽選が行われると、図柄の変動表示を行った後、内部抽選の結果を表す態様で図柄を停止表示する。
（３）図柄の変動表示に際して、予め変動時間の設定に関わる変動パターンを決定する処理が行われる。なお変動パターンの決定は、予め規定されたもの（記憶素子等に記憶されたテーブル情報等）の中から乱数抽選を用いて選択することにより行われる態様であってもよい。
（４）いずれにしても、図柄の変動表示及び停止表示が行われるごとに、所定単位（例えば１ポイント）を最低とする遊技得点が加算される。また加算された遊技得点は、情報として遊技者が取得することができるものとなる。
（５）ここで、内部抽選の実行には抽選要素が必要となり、また、図柄の変動時間を設定するための変動パターンの決定には変動パターン決定要素が必要となる。これら抽選要素及び変動パターン決定要素は、抽選契機の発生に伴ってそれぞれ取得され、組（セット）で記憶される。
（６）そして、図柄の変動表示を開始するための始動条件が満たされた状態で抽選要素及び変動パターン決定要素が組で記憶されていれば、記憶の古い順に抽選要素及び変動パターン決定要素を消費して内部抽選が行われるとともに、変動パターンが決定される。なお、始動条件が満たされた状態であっても、抽選要素及び変動パターン決定要素の記憶が存在していなければ、内部抽選は行われない。
（７）１回ごとの図柄の変動表示には、ある程度の時間（変動時間及び図柄停止表示時間）を要するため、この間に抽選契機が発生すると、記憶された抽選要素及び変動パターン決定要素の組の存在が基本態様の「要素記憶存在演出」により表される。これにより、遊技者に対して「抽選要素及び変動パターン決定要素の組が記憶されていること」、さらには「抽選要素及び変動パターン決定要素が組で記憶されている数（記憶数）」を演出上で教示することができる。また、図柄の始動条件が満たされて抽選要素及び変動パターン決定要素の組が消費されると、「要素記憶存在演出」により表される記憶の組の存在が減少したことが「要素記憶消費演出」により表される。これにより、遊技者に対して「抽選要素及び変動パターン決定要素が消費されたこと」、また、「抽選要素及び変動パターン決定要素が消費されて組の記憶数が減少したこと」を演出上で教示することができる。
（８）抽選要素及び変動パターン決定要素が記憶されていても、これらを用いた内部抽選や変動パターンを決定する処理は始動条件が満たされるまで（記憶が消費されるまで）実行されない。ただし、一度取得・記憶された抽選要素及び変動パターン決定要素は、消費されるまでの間に変化することはないので、これらは既に取得・記憶されたことで内部抽選の結果や変動パターンは潜在的（又は内在的）に決まっていることになる。このような背景から、本発明では抽選要素及び変動パターン決定要素が新たに取得・記憶された場合、これらの記憶が実際に消費されるより前に、その新たに取得された抽選要素を用いて内部抽選の結果を事前に判定し、また、新たに取得された変動パターン決定要素を用いて、決定される予定の変動パターンを事前に判定することとしている。
（９）事前に判定した内部抽選の結果や決定される予定の変動パターンは、それらの記憶が実際に消費されることとなる当該変動よりも前段階での予告的な演出に用いることができる。特に本発明では、１つ１つの記憶について単独の演出を行うのではなく、複数組の記憶が存在することを前提として独自の演出を行っている。すなわち、複数組の記憶の中で、いずれかの変動パターン決定要素により決定される予定の変動パターンが「第１条件」を満たすものであり、かつ、その記憶より以前に記憶された変動パターン決定要素により決定される予定の変動パターンが「第２条件」を満たすものである場合、変動パターンが「第１条件」を満たすと事前に判定された変動パターン決定要素の存在を表す「要素記憶存在演出」を基本態様から特殊態様に変化させる演出が行われる。
（１０）そして、「要素記憶存在演出」が基本態様から特殊態様に変化された場合、その「要素記憶存在演出」により存在が表される記憶の組が実際に消費されて図柄の変動表示が行われると、当該変動において「遊技得点増加予告演出」が行われる。この「遊技得点増加予告演出」は、今回の変動ではなく、「第２条件」を満たすと事前判定された変動パターン決定要素に対応する記憶の組が消費された場合に、当該変動で加算される遊技得点が所定単位より増加（例えば数倍増加）される可能性があることを予告するものとなっている。
【００１１】
上記のように本発明の遊技機によれば、遊技中に「要素記憶存在演出」により複数組の記憶の存在が表された状態で、その中に「第１条件を満たす変動パターン」及び「第２条件を満たす変動パターン」にそれぞれ対応する変動パターン決定要素の記憶がこの順番に存在すると、「遊技得点増加予告演出」を通じて将来的な遊技得点の増加の可能性が演出上で予告される。これにより、遊技者に対して毎回の変動で所定単位ずつ加算される遊技得点が一気に増加（数倍増加）する可能性があることを意識させ、実際に「第２条件を満たす変動パターン」の記憶が消費される当該変動までの期待感を持続させることができる。また、「第２条件を満たす変動パターン」の記憶が消費される当該変動が当選（大当り）の期待度の高いものであれば、当該変動時に「大量の遊技得点」と「大当り」という２つの利益を獲得できる可能性があるため、当該変動より前から「第２条件を満たす変動パターン」の記憶に対する遊技者の注目度を向上することができる。
【００１２】
特に本発明では、「遊技得点の増加のチャンス」と「実際の遊技得点の増加」という２つの演出を全て１変動内だけで行うのではなく、ある条件を満たした場合に先の変動（第１条件を満たす変動パターンにより変動時間が設定される変動）で「遊技得点増加予告演出」を行っておき、その後の当該変動（第２条件を満たす変動パターンにより変動時間が設定される変動）で「実際に遊技得点を増加させるか否か」の演出を行うことができるので、複数の変動にまたがった幅広い遊技性を実現することができる。なお、「先の変動」と「当該変動」との関係は、以下においても同様とする。
【００１３】
解決手段２：解決手段１において、前記遊技得点増加予告演出実行手段は、前記第２条件を満たす前記変動パターンにより設定された変動時間にわたり前記図柄表示手段により図柄の変動表示及び停止表示が行われることで、１回の変動表示につき前記遊技得点加算手段により加算される前記遊技得点に対する倍率を予告する態様により前記遊技得点増加予告演出を実行することができる。
【００１４】
本解決手段によれば、先の変動で行われる「遊技得点増加予告演出」において、「以後に行われる当該変動時に加算される遊技得点が何倍に増加されるか」を演出上で遊技者に知らせることができる。このように、事前に倍率（例えば３倍、５倍、８倍等）だけを予告しておくことで、実際の当該変動時に加算される遊技得点の大きさに対する興味だけでなく、「当該変動で加算される遊技得点が何倍にも跳ね上がる」ということを意識させ、当該変動までの期待感を維持することができる。
【００１５】
解決手段３：解決手段１，２において、前記要素記憶存在演出態様変化手段は、前記要素記憶手段により複数組の前記抽選要素及び前記変動パターン決定要素が記憶されている状態で、少なくともいずれかの組の前記変動パターン決定要素について前記事前判定手段により事前に判定された前記変動パターンが前記第１条件を満たすものであり、かつ、その次に記憶された組の前記変動パターン決定要素について前記事前判定手段により事前に判定された前記変動パターンが前記第２条件を満たすものである場合、前記第１条件を満たすと事前に判定された前記変動パターンに対応する前記変動パターン決定要素の存在に対応して前記要素記憶演出実行手段により実行される前記要素記憶存在演出を前記基本態様から前記特殊態様に変化させることができる。
【００１６】
本解決手段によれば、記憶の順番に並んだ２組の抽選要素及び変動パターン決定要素の記憶が条件に合致する（先の変動について変動パターンが第１条件を満たし、かつ、次の当該変動について変動パターンが第２条件を満たす）場合に、先の変動に対応する記憶の存在を表す「要素記憶存在演出」が特殊態様に変化することになる。これにより、２組の記憶が順番に消費される過程で、（１）先ずは「遊技得点の増加の可能性を予告する」という遊技性を提供し、（２）これに続けて「実際に当該変動での遊技得点を増加して加算する」という、２変動を通じて連続性のある興趣を遊技者に提供することができる。
【００１７】
解決手段４：あるいは解決手段１，２において、前記要素記憶存在演出態様変化手段は、前記要素記憶手段により複数組の前記抽選要素及び前記変動パターン決定要素が記憶されている状態で、少なくともいずれかの組の前記変動パターン決定要素について前記事前判定手段により事前に判定された前記変動パターンが前記第１条件を満たすものであり、かつ、その次以降に記憶されたいずれかの組の前記変動パターン決定要素について前記事前判定手段により事前に判定された前記変動パターンが前記第２条件を満たすものである場合、前記第１条件を満たすと事前に判定された前記変動パターンに対応する前記変動パターン決定要素の存在に対応して前記要素記憶演出実行手段により実行される前記要素記憶存在演出を前記基本態様から前記特殊態様に変化させることとしてもよい。
【００１８】
本解決手段によれば、複数組ある記憶の中に抽選要素及び変動パターン決定要素の記憶が条件に合致する（いずれか先の変動について変動パターンが第１条件を満たし、かつ、次以降でいずれかの当該変動について変動パターンが第２条件を満たす）場合に、先の変動に対応する記憶の存在を表す「要素記憶存在演出」が特殊態様に変化することになる。これにより、複数組ある記憶が順番に消費される過程で、（１）先の変動時に「遊技得点の増加の可能性を予告する」という遊技性を提供しておき、（２）これ以降で「実際に当該変動での遊技得点を増加して加算する」という、２回の変動を通じて継続性ないし関連性のある興趣を遊技者に提供することができる。
【００１９】
解決手段５：また解決手段１，２に記載の遊技機において、
前記要素記憶存在演出態様変化手段は、前記要素記憶手段により３組以上の前記抽選要素及び前記変動パターン決定要素が記憶されている状態で、少なくとも２組の前記変動パターン決定要素について前記事前判定手段により事前に判定された前記変動パターンがいずれも前記第１条件を満たすものであり、かつ、その次以降に記憶されたいずれかの組の前記変動パターン決定要素について前記事前判定手段により事前に判定された前記変動パターンが前記第２条件を満たすものである場合、前記第１条件を満たすと事前に判定された前記変動パターンに対応する少なくとも２つの前記変動パターン決定要素の各存在に対応して前記要素記憶演出実行手段により実行される前記要素記憶存在演出をそれぞれ前記基本態様から前記特殊態様に変化させることもできる。
【００２０】
本解決手段によれば、３組以上ある記憶の中に抽選要素及び変動パターン決定要素の記憶が条件に合致する（少なくとも２回分の先の変動についていずれも変動パターンが第１条件を満たし、かつ、次以降でいずれかの当該変動について変動パターンが第２条件を満たす）場合に、２回ある先の変動にそれぞれ対応する記憶の存在を表す「要素記憶存在演出」がいずれも特殊態様に変化することになる。これにより、３組以上ある記憶が順番に消費される過程で、（１）１回目の先の変動時に「遊技得点の増加の可能性を予告する」という遊技性を提供し、（２）さらに２回目（３回目があってもよい）の先の変動時にも「遊技得点の増加の可能性を予告する」という遊技性を提供しておき、（３）これ以降で「実際に当該変動での遊技得点をより大きく増加して加算する」という、少なくとも３回の変動を通じて継続性ないし関連性のある興趣を遊技者に提供することができる。特に本解決手段では、少なくとも２変動を通じて「遊技得点の増加の可能性」が予告されるため、当該変動時に加算される遊技得点が特段に大きく増加することへの期待感を高めることができる。
【００２１】
解決手段６：解決手段１から５において、前記要素記憶存在演出態様変化手段は、前記第１条件を満たすと事前に判定された前記変動パターンに対応する前記変動パターン決定要素の存在に対応して前記要素記憶演出実行手段により実行される前記要素記憶存在演出とは別に、前記第２条件を満たすと事前に判定された前記変動パターンに対応する前記変動パターン決定要素の存在に対応して前記要素記憶演出実行手段により実行される前記要素記憶存在演出を前記基本態様から特別態様に変化させることができる。
【００２２】
本解決手段によれば、解決手段１で挙げた（１）〜（１０）に以下の遊技性が追加される。
（１１）当該変動に対応する「要素記憶存在演出」により存在が表される記憶の組が実際に消費されて図柄の変動表示（当該変動）が行われると、先の変動で増加が予告されていた場合は当該変動において加算された遊技得点が実際に増加（例えば数倍増加）される。これにより、当該変動に対応する記憶についても注目度を高め、以後の当該変動までの間持ちを図ることができる。
【００２３】
解決手段７：解決手段１から６において、本発明の遊技機は、前記変動パターン決定手段により決定される前記変動パターンとして、前記要素記憶手段による前記抽選要素及び前記変動パターン決定要素の組の記憶数に応じて変動時間が不定に設定される不定変動パターンとともに、前記記憶数に関わらず変動時間が固定に設定される複数通りの固定変動パターンを予め規定する変動パターン規定手段をさらに備え、前記事前判定手段は、前記変動パターンの事前の判定に際して、前記変動パターン決定手段に対して前記不定変動パターンを決定させる前記変動パターン決定要素を不定値と判定するとともに、前記変動パターン決定手段に対していずれかの前記固定変動パターンを決定させる前記変動パターン決定要素を固定値と判定し、前記要素記憶存在演出態様変化手段は、前記要素記憶手段により複数組の前記抽選要素及び前記変動パターン決定要素が記憶されている状態で、少なくともいずれかの組の前記変動パターン決定要素についての前記事前判定手段による事前の判定結果が第１の変動時間を設定させる前記固定変動パターンに対応する第１固定値であり、かつ、それ以後に記憶されたいずれかの組の前記変動パターン決定要素についての前記事前判定手段による事前の判定結果が前記第１の変動時間よりも長い第２の変動時間を設定させる他の前記固定変動パターンに対応した第２固定値である場合、前記第１固定値であると事前に判定された前記変動パターン決定要素の存在に対応して前記要素記憶演出実行手段により実行される前記要素記憶存在演出を前記基本態様から前記特殊態様に変化させ、前記遊技得点増加予告演出実行手段は、前記要素記憶存在演出態様変化手段により前記特殊態様に変化された前記要素記憶存在演出により存在が表される前記抽選要素及び前記変動パターン決定要素の記憶が前記記憶消費手段により消費されて前記抽選実行手段及び前記変動パターン決定手段にそれぞれ供与された場合、前記第１固定値である前記変動パターン決定要素に対応する前記固定変動パターンに基づいて設定された第１の変動時間にわたり前記図柄表示手段により図柄が変動表示される間に前記遊技得点増加予告演出を実行する。
【００２４】
本解決手段によれば、以下の特徴が追加される。
〔１〕抽選要素及び変動パターン決定要素の組の記憶数には上限が設けられており、上限を超えて記憶数が増加することはない。遊技中に記憶数が上限に達すると、新たに抽選契機を発生させてもそれ以上は抽選要素及び変動パターン決定要素が取得されないので、こうなると遊技者は敢えて抽選契機を発生させなくする（遊技球の入賞に起因して抽選契機が発生する場合は遊技球の打ち出しを休止する）傾向にある。このような状況が長く続くことは遊技の効率低下を招くため、記憶数が上限に近づいてくると、それまでよりも変動時間を短縮して設定することにより、記憶が消費されるペースを速くする手法が用いられる。記憶の消費ペースが速くなれば、記憶数が上限に達したままの状況が持続しにくくなるので、遊技者に抽選契機の発生に対する意識を喚起し、遊技効率の低下を抑えることができる。
〔２〕ここで、当該変動開始時の記憶数に応じて短縮される変動時間は、当該変動時の記憶数に応じて変動時間が不定に設定されることを意味し、変動時間が不定に設定されるか否かは、記憶されている変動パターン決定要素（乱数の場合はその値）に基づいて決定される変動パターンに依存する。これに対し、記憶数に関わらず変動時間が短縮されない場合、当該変動時の記憶数に関わらず変動時間が固定に設定されることを意味する。変動時間が固定に設定されるか否かも、記憶されている変動パターン決定要素に基づいて決定される変動パターンに依存する。
〔３〕以上を踏まえて本解決手段では、当該変動において変動パターン決定要素から決定される変動パターンについて、記憶数に変動時間が不定に設定される不定変動パターンの他に、変動時間が固定に設定される固定変動パターンを予め規定している。このうち、不定変動パターンに基づいて設定された変動時間は記憶数に応じて不定となるが、固定変動パターンに基づいて設定された変動時間は記憶数にかかわらず固定（一定）である。なお「固定変動パターン」には、例えば当該変動でリーチ変動を設定する変動パターン（リーチ変動パターン）が該当する。また「固定変動パターン」については、固定に設定される変動時間の長さが異なる複数通りのものが設けられているものとする。
〔４〕ただし、当該変動より事前の判定においては、当該変動開始時の作動記憶数が未確定であるため、「不定変動パターン」を決定させる変動パターン決定要素を「不定値」と事前判定し、いずれかの「固定変動パターン」を決定させる変動パターン決定要素を「固定値」と事前判定する。これにより、当該変動開始時の作動記憶数が未確定であっても、当該変動時に変動時間が不定に設定されるか、それとも固定に設定されるかの事前判定が可能となる。また「固定値」の場合は、「いずれの固定変動パターンに決定するものであるか（＝設定される変動時間の長さ）」までも含めて事前に判定可能である。
〔５〕一方、「遊技得点増加予告演出」を充分に実行するには、ある程度の変動時間（演出尺）が必要となる。また、１変動で高い遊技得点の加算に期待できるのは、当該変動で設定された変動時間が比較的長い場合である。このため本解決手段では、複数組の記憶の中で、いずれかの変動パターン決定要素に第１の変動時間を設定させる固定変動パターンに対応した「第１固定値」が存在し、かつ、その記憶より以前に第１の変動時間より長い第２の変動時間を設定させる固定変動パターンに対応した変動パターン決定要素があると事前に判定した場合、「第１固定値」であると事前に判定された変動パターン決定要素の存在を表す「要素記憶存在演出」を基本態様から特殊態様に変化させる演出が行われる。
〔６〕そして、特殊態様に変化した「要素記憶存在演出」により存在が表される記憶が実際に消費されて第１の変動時間にわたり図柄の変動表示が行われると、当該変動において「遊技得点増加予告演出」が行われる。この場合の「遊技得点増加予告演出」は、「第１固定値」であると事前判定された変動パターン決定要素の記憶に対応する今回の変動ではなく、「第２固定値」であると事前判定された変動パターン決定要素の記憶が消費された場合に、当該変動で加算される遊技得点が所定単位より増加（例えば数倍増加）される可能性があることを予告するものとなっている。
【００２５】
このような構成により、ある程度まで記憶数が増加している状態であっても、必要充分な時間（第１の変動時間）をかけて「遊技得点増加予告演出」を確実に実行することができる。また、当該変動において変動時間が比較的長い第２の変動時間に設定された場合、当該変動で当選（大当り）になる期待度が高まり、それに合わせて加算される遊技得点も高くなる。したがって、当該変動時に「大量の遊技得点」と「大当り」という２つの利益を獲得できる可能性があるため、当該変動より前から「要素記憶存在演出」が特殊態様に変化された記憶に対する遊技者の注目度を向上することができる。
【００２６】
解決手段８：解決手段７において、前記遊技得点加算手段は、である前記変動パターン決定要素に対応する前記固定変動パターンに基づいて設定された第２の変動時間にわたり前記図柄表示手段により図柄が変動表示された場合、前記遊技得点を前記所定単位より大きい値として加算することとしてもよい。
【００２７】
本解決手段によれば、当該変動で加算される遊技得点が大きい値であるため、先の変動で「遊技得点増加予告演出」による得点増加の可能性を明示した場合は、その効果をより高めることができる。
【００２８】
解決手段９：解決手段１から８において、本発明の遊技機は、遊技者の操作に基づいて、予め外部情報機器に登録された個別情報の入力を受け付ける個別情報入力手段と、前記個別情報受付手段により前記個別情報の入力が受け付けられた状態で、前記遊技得点加算手段により加算された前記遊技得点を集計する遊技得点集計手段と、前記遊技得点集計手段により集計された前記遊技得点を前記個別情報と対応付けて符号化した符号化情報として出力することにより、前記符号化情報を用いて前記外部情報機器に登録された前記個別情報に前記遊技得点を反映させることを可能とする符号化情報出力手段とをさらに備え、前記遊技得点加算手段は、前記個別情報受付手段により前記個別情報の入力が受け付けられたことを条件として前記図柄表示手段により図柄の変動表示及び停止表示が実行されるごとに前記遊技得点を加算し、前記要素記憶存在演出態様変化手段は、前記個別情報受付手段により前記個別情報の入力が受け付けられたことを条件として前記要素記憶存在演出を前記基本態様から前記特殊態様に変化させ、前記遊技得点増加予告演出実行手段は、前記個別情報受付手段により前記個別情報の入力が受け付けられたことを条件として前記遊技得点増加予告演出を実行することができる。
【００２９】
本発明の遊技機は、外部情報機器（例えばインターネット上のサーバ）に登録された個別情報が入力されると、遊技中に加算された遊技得点を集計しておき、集計した遊技得点は、遊技の区切り等のタイミングで符号化し、これを符号化情報として出力することができる。そして、出力された符号化情報（例えば読取可能な二次元コード）を用いて外部情報機器へのアクセスがされると、外部情報機器に登録された個別情報に遊技得点が反映されることになる。したがって、本発明の遊技機での遊技を通して集計された遊技得点は、遊技者に割り当てられた個別情報（ユーザＩＤ、端末機器番号等）と対応付けて外部情報機器に記録として保存されることになる。これにより、遊技者が任意の場所やタイミングで所望により外部情報機器にアクセスすれば、これまでに獲得してきた遊技得点を参照することが可能となる。
【００３０】
その上で本発明の遊技機は、遊技中に記憶された抽選要素及び変動パターン決定要素の組に上記の条件を満たすものがある場合、先の変動で「遊技得点増加予告演出」を行うことにより、遊技者に対して「一気に多くの遊技得点を獲得するチャンスが到来した」ということを明確に意識させることができる。これにより、遊技による利益の獲得という興趣は別に、遊技中に得られた遊技得点の蓄積を楽しみにするという遊技性に対しても幅を持たせることができる。
【発明の効果】
【００３１】
本発明の遊技機によれば、ポイント等の加算や先読み演出の手法を用いて遊技性を向上することができる。
【図面の簡単な説明】
【００３２】
【図１】パチンコ機の正面図である。
【図２】パチンコ機の背面図である。
【図３】遊技盤の一部を拡大して示す正面図である。
【図４】パチンコ機に装備された各種の電子機器類を示すブロック図である。
【図５】リセットスタート処理の手順例を示すフローチャート（１／２）である。
【図６】リセットスタート処理の手順例を示すフローチャート（２／２）である。
【図７】電源断発生チェック処理の手順例を具体的に示すフローチャートである。
【図８】割込管理処理の手順例を示すフローチャートである。
【図９】スイッチ入力イベント処理の手順例を示すフローチャートである。
【図１０】第１特別図柄記憶更新処理の手順例を示すフローチャートである。
【図１１】第２特別図柄記憶更新処理の手順例を示すフローチャートである。
【図１２】取得時演出判定処理の手順例を示すフローチャートである。
【図１３】特別図柄遊技処理の構成例を示すフローチャートである。
【図１４】特別図柄変動前処理の手順例を示すフローチャートである。
【図１５】はずれ時変動パターン選択用テーブルの一例を示す図である。
【図１６】第１特別図柄大当り時停止図柄選択テーブルの構成列を示す図である。
【図１７】第２特別図柄大当り時停止図柄選択テーブルの構成列を示す図である。
【図１８】大当り当選時変動パターン選択用テーブルの一例を示す図である。
【図１９】特別図柄記憶エリアシフト処理の手順例を示すフローチャートである。
【図２０】特別図柄停止表示中処理の手順例を示すフローチャートである。
【図２１】表示出力管理処理の構成例を示すフローチャートである。
【図２２】可変入賞装置管理処理の構成例を示すフローチャートである。
【図２３】大入賞口開放パターン設定処理の手順例を示すフローチャートである。
【図２４】大入賞口開閉動作処理の手順例を示すフローチャートである。
【図２５】大入賞口閉鎖処理の手順例を示すフローチャートである。
【図２６】終了処理の手順例を示すフローチャートである。
【図２７】パチンコ機において展開されるゲームフローについて説明する図である。
【図２８】パチンコ機によりパスワードの入力が受け付けられる態様を示した図（１／２）である。
【図２９】パチンコ機によりパスワードの入力が受け付けられる態様を示した図（２／２）である。
【図３０】パスワード遊技中に特別図柄の変動表示及び停止表示に対応させた演出画像の例を示す連続図（その１）である。
【図３１】パスワード遊技中に特別図柄の変動表示及び停止表示に対応させた演出画像の例を示す連続図（その２）である。
【図３２】パスワード遊技中に特別図柄の変動表示及び停止表示に対応させた演出画像の例を示す連続図（その３）である。
【図３３】パスワード遊技中に特別図柄の変動表示及び停止表示に対応させた演出画像の例を示す連続図（その４）である。
【図３４】パスワード遊技中に特別図柄の変動表示及び停止表示に対応させた演出画像の例を示す連続図（その５）である。
【図３５】パスワード遊技中に特別図柄の変動表示及び停止表示に対応させた演出画像の例を示す連続図（その６）である。
【図３６】パスワード遊技中に特別図柄の変動表示及び停止表示に対応させた演出画像の例を示す連続図（その７）である。
【図３７】パスワード遊技中に特別図柄の変動表示及び停止表示に対応させた演出画像の例を示す連続図（その８）である。
【図３８】パスワード遊技中に特別図柄の変動表示及び停止表示に対応させた演出画像の例を示す連続図（その９）である。
【図３９】パスワード遊技中に特別図柄の変動表示及び停止表示に対応させた演出画像の例を示す連続図（その１０）である。
【図４０】パスワード遊技中に特別図柄の変動表示及び停止表示に対応させた演出画像の例を示す連続図（その１１）である。
【図４１】パスワード遊技中に特別図柄の変動表示及び停止表示に対応させた演出画像の例を示す連続図（その１２）である。
【図４２】パスワード遊技中に特別図柄の変動表示及び停止表示に対応させた演出画像の例を示す連続図（その１３）である。
【図４３】遊技の区切り時にコードを発行するまでの流れを示した連続図である。
【図４４】パスワード遊技の利用形態を示す概念図である。
【図４５】携帯電話機で閲覧できるウェブサイトの態様を示す図である。
【図４６】「パスワード遊技」の利用手順を通じて集計した「勝つん打！ポイント」や遊技結果が反映される流れを示す図である。
【図４７】演出制御ＣＰＵにより実行される演出制御処理の手順例を示すフローチャートである。
【図４８】作動記憶演出管理処理の手順例を示すフローチャートである。
【図４９】マーカ表示態様選択処理の手順例を示すフローチャートである。
【図５０】演出図柄管理処理の手順例を示すフローチャートである。
【図５１】演出図柄変動前処理の手順例を示すフローチャートである。
【図５２】デモ選択処理の手順例を示すフローチャートである。
【図５３】メニュー管理処理の手順例を示すフローチャートである。
【図５４】はずれ時変動演出パターン選択処理の手順例を示すフローチャートである。
【図５５】遊技履歴管理処理の手順例を示すフローチャートである。
【発明を実施するための形態】
【００３３】
以下、本発明の実施形態について、図面を参照しながら説明する。
図１は、パチンコ遊技機（以下、「パチンコ機」と略称する。）１の正面図である。また図２は、パチンコ機１の背面図である。パチンコ機１は、遊技球を遊技媒体として用いるものであり、遊技者は、遊技場運営者から遊技球を借り受けてパチンコ機１による遊技を行う。なお、パチンコ機１における遊技において、遊技球はその１個１個が遊技価値を有した媒体であり、遊技の成果として遊技者が享受する特典（利益）は、例えば遊技者が獲得した遊技球の数に基づいて遊技価値に換算することができる。以下、図１及び図２を参照して遊技機の全体構成について説明する。
【００３４】
〔遊技機の全体構成〕
パチンコ機１は、その本体として主に外枠アセンブリ２、ガラス枠ユニット４、受け皿ユニット６及びプラ枠アセンブリ７（遊技機枠）を備えている。このうち外枠アセンブリ２は、木材を縦長の矩形状に組み合わせた構造体であり、この外枠アセンブリ２は、遊技場内の島設備（図示されていない）に対してねじ等の締結具を用いて固定されるものである。
【００３５】
その他のガラス枠ユニット４や受け皿ユニット６、プラ枠アセンブリ７は外枠アセンブリ２を介して島設備に取り付けられ、これらはそれぞれ図示しないヒンジ機構を介して開閉式に動作する。図示しないヒンジ機構の開閉軸線は、パチンコ機１の正面からみて左側端部に沿って垂直方向に延びている。
【００３６】
図１中の正面からみてプラ枠アセンブリ７の右側縁部（図２では左側縁部）には、その内側に統一錠ユニット９が設けられている。また、これに対応してガラス枠ユニット４及び外枠アセンブリ２の右側縁部（裏側）にも、それぞれ図示しない施錠具が設けられている。図１に示されるように、外枠アセンブリ２に対してガラス枠ユニット４及びプラ枠アセンブリ７が閉じた状態で、その裏側にある統一錠ユニット９は施錠具とともにガラス枠ユニット４及びプラ枠アセンブリ７の開放を不能にしている。
【００３７】
また、受け皿ユニット６の右側縁部には鍵穴付きのシリンダ錠６ａが設けられている。例えば、遊技場の管理者が専用キーを鍵穴に差し込んでシリンダ錠６ａを時計回りに捻ると、統一錠ユニット９が作動してプラ枠アセンブリ７とともにガラス枠ユニット４及び受け皿ユニット６の開放が可能な状態となる。これら全体を外枠アセンブリ２から前面側へ開放する（扉のように動かす）と、前面側にてパチンコ機１の裏側が露出することになる。
【００３８】
一方、シリンダ錠６ａを反時計回りに捻ると、プラ枠アセンブリ７は施錠されたままでガラス枠ユニット４の施錠だけが解除され、ガラス枠ユニット４が開放可能となる。ガラス枠ユニット４を前面側へ開放すると遊技盤８が直に露出し、この状態で遊技場の管理者が盤面内での球詰まり等の障害を取り除くことができる。またガラス枠ユニット４を開放すると、受け皿ユニット６のロック機構（図示していない）が露出する。この状態でロック機構を解除すると、受け皿ユニット６をプラ枠アセンブリ７に対して前面側へ開放することができる。
【００３９】
またパチンコ機１は、遊技用ユニットとして遊技盤８を備えている。遊技盤８は、ガラス枠ユニット４の背後（内側）で上記のプラ枠アセンブリ７に支持されている。遊技盤８は、例えばガラス枠ユニット４を前面側へ開放した状態でプラ枠アセンブリ７に対して着脱可能である。ガラス枠ユニット４には、その中央部に縦長円形状の窓４ａが形成されており、この窓４ａ内にガラスユニット（参照符号なし）が取り付けられている。ガラスユニットは、例えば窓４ａの形状に合わせてカットされた２枚の透明板（ガラス板）を組み合わせたものである。ガラスユニットは、ガラス枠ユニット４の裏側に図示しないヒンジ機構を介して開閉式に取り付けられる。遊技盤８の前面には遊技領域８ａ（盤面）が形成されており、この遊技領域８ａは窓４ａを通じて前面側から遊技者に視認可能である。ガラス枠ユニット４が閉じられると、ガラスユニットの内面と遊技盤面との間に遊技球が流下できる空間が形成される。
【００４０】
受け皿ユニット６は、全体的に外枠アセンブリ２から前面側へ突出した形状をなしており、その上面に上皿６ｂが形成されている。この上皿６ｂには、遊技者に貸し出された遊技球（貸球）や入賞により獲得した遊技球（賞球）を貯留することができる。また受け皿ユニット６には、上皿６ｂの下段位置に下皿６ｃが形成されている。この下皿６ｃには、上皿６ｂが満杯の状態でさらに払い出された遊技球が貯留される。なお本実施形態のパチンコ機１はいわゆるＣＲ機（ＣＲユニットに接続する機種）であり、遊技者が借り受けた遊技球は、賞球とは別に裏側の払出装置ユニット１７２から受け皿ユニット６（上皿６ｂ又は下皿６ｃ）に払い出される。
【００４１】
受け皿ユニット６の上面には貸出操作部１４が設けられており、この貸出操作部１４には、球貸ボタン１０及び返却ボタン１２が配置されている。図示しないＣＲユニットに有価媒体（例えば磁気記録媒体、記憶ＩＣ内蔵媒体等）を投入した状態で球貸ボタン１０を遊技者が操作すると、予め決められた度数単位（例えば５度数）に対応する個数（例えば１２５個）分の遊技球が貸し出される。このため貸出操作部１４の上面には度数表示部（図示されていない）が配置されており、この度数表示部には、ＣＲユニットに投入されている有価媒体の残存度数が表示される。なお遊技者は、返却ボタン１２を操作することで、度数が残存している有価媒体の返却を受けることができる。本実施形態ではＣＲ機を例に挙げているが、パチンコ機１はＣＲ機とは別の現金機（ＣＲユニットに接続されない機種）であってもよい。なお、パチンコ機１を現金機とする場合、貸出操作部１４は搭載されない。
【００４２】
また、受け皿ユニット６の前面には、上段位置にある上皿６ｂの手前に上皿球抜きレバー６ｄが設置されており、そして下皿６ｃの手前でその中央部には下皿球抜きボタン６ｅが設置されている。遊技者は上皿球抜きレバー６ｄを例えば左方向へスライドさせることで、上皿６ｂに貯留された遊技球を下皿６ｃへ流下させることができる。また遊技者は、下皿球抜きボタン６ｅを例えば押し込み操作することで、下皿６ｃに貯留された遊技球を下方へ落下させて排出することができる。排出された遊技球は、例えば図示しない球受け箱等に受け止められる。
【００４３】
受け皿ユニット６の右下部には、グリップユニット１６が設置されている。遊技者はこのグリップユニット１６を操作することで発射制御基板セット１７４を作動させ、遊技領域８ａに向けて遊技球を発射する（打ち込む）ことができる（球発射装置）。発射された遊技球は、遊技盤８の左側縁部に沿って上昇し、図示しない外バンドに案内されて遊技領域８ａ内に放り込まれる。遊技領域８ａ内には多数の障害釘や風車（図中参照符号なし）等が配置されており、放り込まれた遊技球は障害釘や風車により誘導・案内されながら遊技領域８ａ内を流下する。
【００４４】
〔盤面の構成〕
遊技領域８ａ内には、始動ゲート２０や普通入賞口２２，２４、上始動入賞口２６、可変始動入賞装置２８、可変入賞装置３０等が設置されている。遊技領域８ａ内に放り込まれた遊技球は、その流下の過程で無作為に始動ゲート２０を通過したり、あるいは、普通入賞口２２，２４や上始動入賞口２６、作動時の可変始動入賞装置２８に入賞（入球）したりする。始動ゲート２０を通過した遊技球は続けて遊技領域８ａ内を流下するが、入賞した遊技球は遊技板に形成された貫通穴を通じて遊技盤８の裏側へ回収される。
【００４５】
なお、上記の可変始動入賞装置２８は、所定の条件が満たされた場合（普通図柄が当りの態様で停止表示された場合）に作動し、それに伴って下始動入賞口２８ａへの入賞を可能にする（普通電動役物）。可変始動入賞装置２８は、例えば左右一対の可動片２８ｂを有しており、これら可動片２８ｂは、例えば図示しないソレノイドを用いたリンク機構の働きにより、盤面に沿って左右方向に往復動作する。すなわち、図示のように先端が上を向いた状態で左右の可動片２８ｂは閉位置にあり、このとき下始動入賞口２８ａへの入賞は不能（遊技球が流入できる隙間がない状態）となっている。一方、可変始動入賞装置２８が作動すると、左右の可動片２８ｂはそれぞれ閉位置から開放位置に向けて変位（拡開）し、下始動入賞口２８ａの開口幅を左右に拡大する。この間に可変始動入賞装置２８は遊技球の流入が可能な状態となり、下始動入賞口２８ａへの入賞を発生させる。なお、遊技盤８に設置されている障害釘の配列（ゲージ）は、基本的に可変始動入賞装置２８に向けて遊技球の流下を案内しやすい態様となっているが、必ず遊技球が可変始動入賞装置２８に流入するというわけではなく、あくまで流入は無作為に発生する。
【００４６】
また上記の可変入賞装置３０は、規定の条件が満たされた場合（特別図柄が非当選以外の態様で停止表示された場合）に作動し、大入賞口（参照符号なし）への入賞を可能にする（特別電動役物、特別入賞事象発生手段）。可変入賞装置３０は、例えば１つの開閉部材３０ａを有しており、この開閉部材３０ａは、例えば図示しないソレノイドを用いたリンク機構の働きにより、盤面に対して前後方向に往復動作する。図示のように盤面に沿った状態で開閉部材３０ａは閉位置（閉鎖状態又は閉止状態）にあり、このとき大入賞口への入賞は常に不能（大入賞口は閉塞中）である。可変入賞装置３０が作動すると、開閉部材３０ａがその下端縁部分をヒンジとして前方へ倒れ込むようにして変位し、大入賞口を開放する（開放状態）。この間に可変入賞装置３０は遊技球の流入が不能ではない状態となり、大入賞口への入賞という事象を発生させることができる。なお、このとき開閉部材３０ａは大入賞口への遊技球の流入を案内する部材としても機能する。
【００４７】
その他、遊技領域８ａ内にはアウト口３２が形成されており、入賞しなかった遊技球は最終的にアウト口３２を通じて遊技盤８の裏側へ回収される。また、上始動入賞口２６や可変始動入賞装置２８、可変入賞装置３０に入賞した遊技球も含めて、遊技領域８ａ内に打ち込まれた全ての遊技球は遊技盤８の裏側へ回収される。回収された遊技球は、図示しないアウト通路アセンブリを通じてパチンコ機１の裏側から枠外へ排出され、さらに図示しない島設備の補給経路に合流する。
【００４８】
また遊技盤８には、例えば窓４ａ内の右下位置に普通図柄表示装置３３と普通図柄作動記憶ランプ３３ａが設けられている他、第１特別図柄表示装置３４、第２特別図柄表示装置３５、第１特別図柄作動記憶ランプ３４ａ、第２特別図柄作動記憶ランプ３５ａ及び遊技状態表示装置３８が設けられている（普通図柄表示手段、特別図柄表示手段、抽選要素記憶手段）。このうち普通図柄表示装置３３は、例えば２つのランプ（ＬＥＤ）を交互に点灯させて普通図柄を変動表示し、そしてランプの点灯又は消灯により普通図柄を停止表示する。普通図柄作動記憶ランプ３３ａは、例えば２つのランプ（ＬＥＤ）の消灯又は点灯、点滅の組み合わせによって０〜４個の記憶数を表示する。
【００４９】
図３は、遊技盤８の一部（窓４ａ内の右下位置）を拡大して示す正面図である。第１特別図柄表示装置３４及び第２特別図柄表示装置３５は、例えばそれぞれ７セグメントＬＥＤ（ドット付き）により特別図柄の変動状態と停止状態とを表示することができる（図柄表示手段）。なお第１特別図柄表示装置３４及び第２特別図柄表示装置３５は、複数のドットＬＥＤを幾何学的（例えば円形状）に配列した形態であってもよい。
【００５０】
また、第１特別図柄作動記憶ランプ３４ａ及び第２特別図柄作動記憶ランプ３５ａは、例えばそれぞれ２つのランプ（ＬＥＤ）の消灯又は点灯、点滅の組み合わせで構成される表示態様により、それぞれ０〜４個の記憶数を表示する（記憶数表示手段）。例えば、２つのランプをともに消灯させた表示態様では記憶数０個を表示し、１つのランプを点灯させた表示態様では記憶数１個を表示し、同じ１つのランプを点滅させた表示態様では記憶数２個を表示し、１つのランプの点滅に加えてもう１つのランプを点灯させた表示態様では記憶数３個を表示し、そして２つのランプをともに点滅させた表示態様では記憶数４個を表示する、といった具合である。
【００５１】
第１特別図柄作動記憶ランプ３４ａは、上記の上始動入賞口２６に遊技球が流入するごとに、入賞が発生したことを記憶する意味で１個ずつ増加後の表示態様へと変化していき（最大４個まで）、その入賞を契機として特別図柄の変動が開始されるごとに１個ずつ減少後の表示態様へと変化していく。また第２特別図柄作動記憶ランプ３５ａは、上記の可変始動入賞装置２８（下始動入賞口）に遊技球が流入するごとに、入賞が発生したことを記憶する意味で１個ずつ増加後の表示態様へと変化し（最大４個まで）、その入賞を契機として特別図柄の変動が開始されるごとに１個ずつ減少後の表示態様へと変化する。なお本実施形態では、第１特別図柄作動記憶ランプ３４ａが未点灯（記憶数が０個）の場合、第１特別図柄が既に変動開始可能な状態（停止表示時）で上始動入賞口２６に遊技球が流入しても表示態様は変化しない。また第２特別図柄作動記憶ランプ３５ａが未点灯（記憶数が０個）の場合、第２特別図柄が既に変動開始可能な状態（停止表示時）で可変始動入賞装置２８（下始動入賞口）に遊技球が流入しても表示態様は変化しない。すなわち、各特別図柄作動記憶ランプ３４ａ，３５ａの表示態様により表される記憶数（最大４個）は、その時点で未だ第１特別図柄又は第２特別図柄の変動が開始されていない入賞の回数を表している。
【００５２】
また遊技状態表示装置３８には、例えば大当り種別表示ランプ３８ａ，３８ｂ、確率変動状態表示ランプ３８ｃ、時短状態表示ランプ３８ｄにそれぞれ対応する４つのＬＥＤが含まれている。なお本実施形態では、上述した普通図柄表示装置３３や普通図柄作動記憶ランプ３３ａ、第１特別図柄表示装置３４、第２特別図柄表示装置３５、第１特別図柄作動記憶ランプ３４ａ、第２特別図柄作動記憶ランプ３５ａ及び遊技状態表示装置３８が１枚の統合表示基板８９に実装された状態で遊技盤８に取り付けられている。
【００５３】
〔遊技盤のその他の構成：図１を参照〕
また遊技盤８には、その中央位置から右側部分にかけて演出ユニット４０が設置されている。演出ユニット４０は、その上縁部４０ａが遊技球の流下方向を変化させる案内部材として機能する他、その内側に各種の装飾部品４０ｂ，４０ｃを備えている。装飾部品４０ｂ，４０ｃはその立体的な造形により遊技盤８の装飾性を高めるとともに、例えば内蔵された発光器（ＬＥＤ等）により透過光を発することで、演出的な動作をすることができる。また演出ユニット４０の内側には液晶表示器４２（画像表示器）が設置されており、この液晶表示器４２には特別図柄に対応させた演出図柄をはじめ、各種の演出画像が表示される。このように遊技盤８は、その盤面の構成（図示しないセル板のデザイン）や演出ユニット４０の装飾性に基づいて、遊技者にパチンコ機１の特徴を印象付けている。なお、遊技盤８にベニヤ板でなく透明板（例えばアクリル板）を用いる場合、透明板の前面や背後に配置された各種の装飾体（可動体や発光体を含む）による装飾性が付加される。
【００５４】
演出ユニット４０の左側縁部には球案内通路４０ｄが形成されており、その下縁部には転動ステージ４０ｅが形成されている。球案内通路４０ｄは遊技領域８ａ内にて左斜め上方に開口しており、遊技領域８ａ内を流下する遊技球が無作為に球案内通路４０ｄ内に流入すると、その内部を通過して転動ステージ４０ｅ上に放出される。転動ステージ４０ｅの上面は滑らかな湾曲面を有しており、ここでは遊技球が左右方向に転動自在である。転動ステージ４０ｅ上で転動した遊技球は、やがて下方の遊技領域８ａ内に流下する。転動ステージ４０ｅの中央位置には球放出路４０ｆが形成されており、このとき転動ステージ４０ｅから球放出路４０ｆに流下した遊技球は、その真下にある上始動入賞口２６に流入しやすくなる。
【００５５】
その他に演出ユニット４０には、演出用の可動体として装飾体４００が付属している。装飾体４００は、例えばハート型を象った装飾部品であり、図１に示される状態では液晶表示器４２の表示画面より上方位置で演出ユニット４０に格納されている。装飾体４００は、図１に示されない装飾体モータやリンク機構等の働きにより、演出ユニット４０に格納された位置から下降して、その全体が液晶表示器４２の表示画面より手前の位置まで移動することができる。また、装飾体４００には図１に示されない装飾体ランプが設けられており、装飾体４００は、装飾体ランプの点灯・点滅により発光演出を行うことができる。このような装飾体４００は、液晶表示器４２による画像を用いた演出や発光器による演出に加えて、有形物の動作を伴う演出を実行するものとなる。このような装飾体４００を用いた演出により、二次元の画像を用いた演出とは別のインパクトを持たせることができる。
【００５６】
〔枠前面の構成〕
ガラス枠ユニット４には、演出用の構成要素としてガラス枠トップランプ４６，４８やガラス枠サイドランプ５０がガラスユニット８を取り巻くようにして複数の箇所に設置されている。また、受け皿ユニット６には受け皿ランプ５２が設置されており、この受け皿ランプ５２とガラス枠トップランプ４６，４８及びガラス枠サイドランプ５０とは、外見上、パチンコ機１の前面において一体的につながっているかのようにデザインされている。
【００５７】
上述した各種ランプ４６〜５２は、例えば内蔵するＬＥＤの発光（点灯や点滅、輝度階調の変化、色調の変化等）により演出を実行する。またガラス枠ユニット４の上部には、左右一対のガラス枠上スピーカ５４とその中央にガラス枠中スピーカ５５が内蔵されており、そして受け皿ユニット６には、下皿６ｃの右側に受け皿スピーカ５６が内蔵されている。これらスピーカ５４，５５，５６は、効果音やＢＧＭ、音声等（音響全般）を出力して演出を実行するものである。
【００５８】
また受け皿ユニット６の中央には、上皿６ｂの手前位置に演出切替ボタン４５（個別情報受付手段）が設置されている。遊技者は、この演出切替ボタン４５を操作することで演出内容（例えば液晶表示部４２に表示される背景画面）を切り替えたり、例えば図柄の変動中や大当りの確定表示中、あるいは大当り遊技中に何らかの演出（各種の予告演出、確変昇格演出等）を発生させたりすることができる。
【００５９】
さらに演出切替ボタン４５の周囲には、演出切替ボタン４５を取り囲むようにジョグダイアル４５ａが設置されている（個別情報受付手段）。遊技者は、このジョグダイアル４５ａを回転させることで、例えば液晶表示部４２に表示される操作メニューを通じてパスワード等の個別情報を入力することができる。あるいは、遊技中の演出上で遊技者にジョグダイアル４５ａの回転操作が要求された場合、遊技者は実際にジョグダイアル４５ａを回転操作することで、演出上の要求に応じることができる。
【００６０】
〔裏側の構成〕
図２に示されているように、パチンコ機１の裏側には、電源制御ユニット１６２や主制御基板ユニット１７０、払出装置ユニット１７２、流路ユニット１７３、発射制御基板セット１７４、払出制御基板ユニット１７６、裏カバーユニット１７８等が設置されている。この他にパチンコ機１の裏側には、パチンコ機１の電源系統や制御系統を構成する各種の電子機器類（図示しない制御コンピュータを含む）や外部端子板１６０、電源コード（電源プラグ）１６４、アース線（アース端子）１６６、図示しない接続配線等が設置されている。なお、電子機器類については別のブロック図（図４）に基づいてさらに後述する。
【００６１】
上記の払出装置ユニット１７２は、例えば賞球タンク１７２ａ及び賞球ケース（参照符号なし）を有しており、このうち賞球タンク１７２ａはプラ枠アセンブリ７の上縁部（裏側）に設置された状態で、図示しない補給経路から補給された遊技球を蓄えることができる。賞球タンク１７２ａに蓄えられた遊技球は、図示しない上側賞球樋を通じて賞球ケースに導かれる。流路ユニット１７３は、払出装置ユニット１７２から送り出された遊技球を前面側の受け皿ユニット６に向けて案内する。
【００６２】
また上記の外部端子板１６０は、パチンコ機１を外部の電子機器（例えばデータ表示装置、ホールコンピュータ等）に接続するためのインタフェースであり、この外部端子板１６０からは、パチンコ機１の遊技進行状態やメンテナンス状態等を表す各種の外部情報信号（例えば賞球情報、扉開放情報、図柄確定回数情報、大当り情報、始動口情報等）が外部の電子機器に向けて出力されるものとなっている。
【００６３】
電源コード１６４は、例えば遊技場の島設備に設置された電源装置（例えばＡＣ２４Ｖ）に接続されることで、パチンコ機１の動作に必要な電源（電力）を確保するものである。またアース線１６６は、同じく島設備に設置されたアース端子に接続されることで、パチンコ機１のアース（接地）を確保するものである。
【００６４】
〔制御上の構成〕
次に、パチンコ機１の制御に関する構成について説明する。図４は、パチンコ機１に装備された各種の電子機器類を示すブロック図である。パチンコ機１は、制御動作の中枢となる主制御装置７０（主制御用コンピュータ）を備えており、この主制御装置７０は主に、パチンコ機１における遊技の進行を制御する機能を有している。なお主制御装置７０は、上記の主制御基板ユニット１７０に内蔵されている。
【００６５】
また主制御装置７０には、中央演算処理装置である主制御ＣＰＵ７２を実装した回路基板（主制御基板）が装備されており、主制御ＣＰＵ７２は、図示しないＣＰＵコアやレジスタとともにＲＯＭ７４、ＲＡＭ（ＲＷＭ）７６等の半導体メモリを集積したＬＳＩとして構成されている。また主制御装置７０には、乱数発生器７５やサンプリング回路７７が装備されている。このうち乱数発生器７５は、大当り判定用にハードウェア乱数（例えば１０進数表記で０〜６５５３５）を発生させるものであり、ここで発生された乱数は、サンプリング回路７７を通じて主制御ＣＰＵ７２に入力される。その他にも主制御装置７０には、入出力（Ｉ／Ｏ）ポート７９や図示しないクロック発生回路、カウンタ／タイマ回路（ＣＴＣ）等の周辺ＩＣが装備されており、これらは主制御ＣＰＵ７２とともに回路基板上に実装されている。なお回路基板上（又は内層部分）には、信号伝送経路や電源供給経路、制御用バス等が配線パターンとして形成されている。
【００６６】
上述した始動ゲート２０には、遊技球の通過を検出するためのゲートスイッチ７８が一体的に設けられている。また遊技盤８には、上始動入賞口２６、可変始動入賞装置２８及び可変入賞装置３０にそれぞれ対応して上始動入賞口スイッチ８０、下始動入賞口スイッチ８２及びカウントスイッチ８４が装備されている。各始動入賞口スイッチ８０，８２は、上始動入賞口２６、可変始動入賞装置２８（下始動入賞口２８ａ）への遊技球の入賞を検出するためのものである。またカウントスイッチ８４は、可変入賞装置３０（大入賞口）への遊技球の入賞を検出し、その数をカウントするためのものである。同様に遊技盤８には、普通入賞口２２，２４への遊技球の入賞を検出する入賞口スイッチ８６が装備されている。なお、ここでは全ての普通入賞口２２，２４について共通の入賞口スイッチ８６を用いる構成を例に挙げているが、例えば盤面の左右で別々の入賞口スイッチ８６を設置し、左側の入賞口スイッチ８６では盤面の左側に位置する普通入賞口２２，２４に対する遊技球の入賞を検出し、右側の入賞口スイッチ８６では盤面の右側に位置する普通入賞口２４に対する遊技球の入賞を検出することとしてもよい。
【００６７】
いずれにしても、これらスイッチ類７８〜８６の入賞検出信号は、図示しない入出力ドライバを介して主制御ＣＰＵ７２に入力される。なお遊技盤８の構成上、本実施形態ではゲートスイッチ７８、カウントスイッチ８４及び入賞口スイッチ８６からの入賞検出信号は、パネル中継端子板８７を経由して送信され、パネル中継端子板８７には、それぞれの入賞検出信号を中継するための配線パターンや接続端子等が設けられている。
【００６８】
上述した普通図柄表示装置３３や普通図柄作動記憶ランプ３３ａ、第１特別図柄表示装置３４、第２特別図柄表示装置３５、第１特別図柄作動記憶ランプ３４ａ、第２特別図柄作動記憶ランプ３５ａ及び遊技状態表示装置３８は、主制御ＣＰＵ７２からの制御信号に基づいて表示動作を制御されている。主制御ＣＰＵ７２は、遊技の進行状況に応じてこれら表示装置３３，３４，３５，３８及びランプ３３ａ，３４ａ，３５ａに対する制御信号を出力し、各ＬＥＤの点灯状態を制御している。また、これら表示装置３３，３４，３５，３８及びランプ３３ａ，３４ａ，３５ａは、上記のように１枚の統合表示基板８９に実装された状態で遊技盤８に設置されており、この統合表示基板８９には上記のパネル中継端子板８７を中継して主制御ＣＰＵ７２から制御信号が送信される。
【００６９】
また遊技盤８には、可変始動入賞装置２８及び可変入賞装置３０にそれぞれ対応して普通電動役物ソレノイド８８及び大入賞口ソレノイド９０が設けられている。これらソレノイド８８，９０は主制御ＣＰＵ７２からの制御信号に基づいて動作（励磁）し、それぞれ可変始動入賞装置２８、可変入賞装置３０を開閉動作（作動）させる。なお、これらソレノイド８８，９０についても上記のパネル中継端子板８７を中継して主制御ＣＰＵ７２から制御信号が送信される。
【００７０】
その他に上記のガラス枠ユニット４にはガラス枠開放スイッチ９１が設置されており、また上記のプラ枠アセンブリ７にはプラ枠開放スイッチ９３が設置されている。ガラス枠ユニット４が単独で開放されると、ガラス枠開放スイッチ９１からの接点信号が主制御装置７０（主制御ＣＰＵ７２）に入力され、また外枠アセンブリ２からプラ枠アセンブリ７が開放されると、プラ枠開放スイッチ９３からの接点信号が主制御装置７０（主制御ＣＰＵ７２）に入力される。主制御ＣＰＵ７２は、これら接点信号からガラス枠ユニット４やプラ枠アセンブリ７の開放状態を検出することができる。なお主制御ＣＰＵ７２は、ガラス枠ユニット４やプラ枠アセンブリ７の開放状態を検出すると、上記の外部情報信号として扉開放情報信号を生成する。
【００７１】
パチンコ機１の裏側には、払出制御装置９２が装備されている（特別特典付与手段）。この払出制御装置９２（払出制御コンピュータ）は、上述した払出装置ユニット１７２の動作を制御する。払出制御装置９２には、払出制御ＣＰＵ９４を実装した回路基板（払出制御基板）が装備されており、この払出制御ＣＰＵ９４もまた、図示しないＣＰＵコアとともにＲＯＭ９６、ＲＡＭ９８等の半導体メモリを集積したＬＳＩとして構成されている。払出制御装置９２（払出制御ＣＰＵ９４）は、主制御ＣＰＵ７２からの賞球指示コマンドに基づいて払出装置ユニット１７２の動作を制御し、要求された個数の遊技球の払出動作を実行させる。なお主制御ＣＰＵ７２は賞球指示コマンドとともに、上記の外部情報信号として賞球情報信号を生成する。
【００７２】
払出装置ユニット１７２の図示しない賞球ケース内には、払出モータ１０２（例えばステッピングモータ）とともに払出装置基板１００が設置されており、この払出装置基板１００には払出モータ１０２の駆動回路が設けられている。払出装置基板１００は、払出制御装置９２（払出制御ＣＰＵ９４）からの払出数指示信号に基づいて払出モータ１０２の回転角度を具体的に制御し、指示された数の遊技球を賞球ケースから払い出させる。払い出された遊技球は、流路ユニット１７３内の払出流路を通って上記の受け皿ユニット６に送られる。
【００７３】
また、例えば賞球ケースの上流位置には払出路球切れスイッチ１０４が設置されている他、払出モータ１０２の下流位置には払出計数スイッチ１０６が設置されている。払出モータ１０２の駆動により実際に賞球が払い出されると、その都度、払出計数スイッチ１０６からの計数信号が払出装置基板１００に入力される。また賞球ケースの上流位置で球切れが発生すると、払出路球切れスイッチ１０４からの接点信号が払出装置基板１００に入力される。払出装置基板１００は、入力された計数信号や接点信号を払出制御装置９２（払出制御ＣＰＵ９４）に送信する。払出制御ＣＰＵ９４は、払出装置基板１００から受信した信号に基づき、実際の払出数や球切れ状態を検知することができる。
【００７４】
またパチンコ機１には、例えば下皿６ｃの内部（パチンコ機１の正面からみて奧の位置）に満タンスイッチ１６１が設置されている。実際に払い出された賞球（遊技球）は上記の流路ユニット１７３を通じて上皿６ｂに放出されるが、上皿６ｂが遊技球で満杯になると、それ以上に払い出された遊技球は上述したように下皿６ｃへ流れ込む。さらに下皿６ｃが遊技球で満杯になると、それによって満タンスイッチ１６１がＯＮになり、満タン検出信号が払出制御装置９２（払出制御ＣＰＵ９４）に入力される。これを受けて払出制御ＣＰＵ９４は、主制御ＣＰＵ７２から賞球指示コマンドを受信してもそれ以上の賞球動作を一旦保留とし、未払出の賞球残数をＲＡＭ９８に記憶させておく。なお、ＲＡＭ９８の記憶は電源断時にもバックアップが可能であり、遊技中に停電（瞬間的な停電を含む）が発生しても、未払出の賞球残数情報が消失してしまうことはない。
【００７５】
またパチンコ機１の裏側には、発射制御基板１０８とともに発射ソレノイド１１０が設置されている。また、受け皿ユニット６内には球送りソレノイド１１１が設けられている。これら発射制御基板１０８、発射ソレノイド１１０及び球送りソレノイド１１１は上述した発射制御基板セット１７４を構成しており、このうち発射制御基板１０８には発射ソレノイド１１０及び球送りソレノイド１１１の駆動回路が設けられている。このうち球送りソレノイド１１１は、受け皿ユニット６内に蓄えられた遊技球を１個ずつ、発射機ケース内で所定の発射位置に送り出す動作を行う。また発射ソレノイド１１０は、発射位置に送り出された遊技球を打撃し、上記のように遊技領域８に向けて遊技球を１個ずつ連続的（間欠的）に打ち出す動作を行う。なお遊技球の発射間隔は、例えば０．６秒程度の間隔（１分間で１００個以内）である。
【００７６】
一方、パチンコ機１の表側に位置する上記のグリップユニット１６には、発射レバーボリューム１１２、タッチセンサ１１４及び発射停止スイッチ１１６が設けられている。このうち発射レバーボリューム１１２は、遊技者による発射ハンドルの操作量（いわゆるストローク）に比例したアナログ信号を生成する。またタッチセンサ１１４は、静電容量の変化から遊技者の身体がグリップユニット１６（発射ハンドル）に触れていることを検出し、その検出信号を出力する。そして発射停止スイッチ１１６は、遊技者の操作に応じて発射停止信号（接点信号）を生成する。
【００７７】
上記の受け皿ユニット６には発射中継端子板１１８が設置されており、発射レバーボリューム１１２やタッチセンサ１１４、発射停止スイッチ１１６からの各信号は、発射中継端子板１１８を経由して発射制御基板１０８に送信される。また、発射制御基板１０８からの駆動信号は、発射中継端子板１１８を経由して球送りソレノイド１１１に印加される。遊技者が発射ハンドルを操作すると、その操作量に応じて発射レバーボリューム１１２でアナログ信号（エンコードされたデジタル信号でもよい）が生成され、このときの信号に基づいて発射ソレノイド１１０が駆動される。これにより、遊技者の操作量に応じて遊技球を打ち出す強さが調整されるものとなっている。なお発射制御基板１０８の駆動回路は、タッチセンサ１１４からの検出信号がオフ（ローレベル）の場合か、もしくは発射停止スイッチ１１６から発射停止信号が入力された場合は発射ソレノイド１１０の駆動を停止する。この他に、発射中継端子板１１８には遊技球等貸出装置接続端子板１２０が接続されており、この遊技球等貸出装置接続端子板１２０に上記のＣＲユニットが接続されていない場合、同じく発射制御基板１０８の駆動回路は発射ソレノイド１１０の駆動を停止する。
【００７８】
また、受け皿ユニット６には度数表示基板１２２及び貸出及び返却スイッチ基板１２３が内蔵されている。このうち度数表示基板１２２には、上記の度数表示部の表示器（３桁分の７セグメントＬＥＤ）が設けられている。また貸出及び返却スイッチ基板１２３には球貸ボタン１０や返却ボタン１２にそれぞれ接続されるスイッチモジュールが実装されており、球貸ボタン１０又は返却ボタン１２が操作されると、その操作信号が貸出及び返却スイッチ基板１２３から遊技球等貸出装置接続端子板１２０を経由してＣＲユニットに送信される。またＣＲユニットからは、有価媒体の残り度数を表す度数信号が遊技球等貸出装置接続端子板１２０を経由して度数表示基板１２２に送信される。度数表示基板１２２上の図示しない表示回路は、度数信号に基づいて表示器を駆動し、有価媒体の残り度数を数値表示する。またＣＲユニットに有価媒体が投入されていなかったり、あるいは投入された有価媒体の残り度数が０になったりした場合、度数表示基板１２２の表示回路は表示器を駆動してデモ表示（有価媒体の投入を促す表示）を行うこともできる。
【００７９】
またパチンコ機１は制御上の構成として、演出制御装置１２４（演出制御用コンピュータ）を備えている。この演出制御装置１２４は、パチンコ機１における遊技の進行に伴う演出の制御を行う。演出制御装置１２４にもまた、中央演算処理装置である演出制御ＣＰＵ１２６を実装した回路基板（複合サブ制御基板）が装備されている。演出制御ＣＰＵ１２６には、図示しないＣＰＵコアとともにメインメモリとしてＲＯＭ１２８やＲＡＭ１３０等の半導体メモリが内蔵されている。なお演出制御装置１２４は、パチンコ機１の裏側で上記の裏カバーユニット１７８に覆われる位置に設けられている。
【００８０】
また演出制御装置１２４には、図示しない入出力ドライバや各種の周辺ＩＣが装備されている他、ランプ駆動回路１３２や音響駆動回路１３４が装備されている。演出制御ＣＰＵ１２６は、主制御ＣＰＵ７２から送信される演出用のコマンドに基づいて演出の制御を行い、ランプ駆動回路１３２や音響駆動回路１３４に指令を与えて各種ランプ４６〜５２や盤面ランプ５３を発光させたり、スピーカ５４，５５，５６から実際に効果音や音声等を出力させたりする処理を行う。
【００８１】
演出制御装置１２４と上記の主制御装置７０とは、例えば図示しない通信用ハーネスを介して相互に接続されている。ただし、これらの間の通信は、主制御装置７０から演出制御装置１２４への一方向のみで行われ、逆方向への通信は行われない。なお通信用ハーネスには、主制御装置７０から演出制御装置１２４に対して送信される各種コマンドのバス幅に応じてパラレル形式を採用してもよいし、それぞれのドライバＩＣ（Ｉ／Ｏ）のハード構成に合わせてシリアル形式を採用してもよい。
【００８２】
ランプ駆動回路１３２は、例えば図示しないＰＷＭ（パルス幅変調）ＩＣやＭＯＳＦＥＴ等のスイッチング素子を備えており、このランプ駆動回路１３２は、ＬＥＤを含む各種ランプに印加する駆動電圧をスイッチング（又はデューティ切替）して、その発光・点滅等の動作を管理する。なお各種ランプには、上記のガラス枠トップランプ４６，４８やガラス枠サイドランプ５０，受け皿ランプ５２の他に、遊技盤８に設置された装飾・演出用の盤面ランプ５３が含まれる。盤面ランプ５３は上記の演出ユニットに内蔵されるＬＥＤや、可変始動入賞装置２８、可変入賞装置３０等に内蔵されるＬＥＤに相当するものである。なお、ここでは受け皿ランプ５２がガラス枠電飾基板１３６に接続されている例を挙げているが、受け皿ユニット６に受け皿電飾基板を設置し、受け皿ランプ５２については受け皿電飾基板を介してランプ駆動回路１３２に接続される構成であってもよい。
【００８３】
また音響駆動回路１３４は、例えば図示しないサウンドＲＯＭや音響制御ＩＣ、アンプ等を内蔵したサウンドジェネレータであり、この音響駆動回路１３４は、上スピーカ５４及び下スピーカ５６を駆動して音響出力を行う。
【００８４】
本実施形態ではガラス枠ユニット４の内面にガラス枠電飾基板１３６が設置されており、ランプ駆動回路１３２や音響駆動回路１３４からの駆動信号はガラス枠電飾基板１３６を経由して各種ランプ４６〜５２やスピーカ５４，５５，５６に印加されている。またガラス枠電飾基板１３６には、上記の演出切替ボタン４５が接続されており、遊技者が演出切替ボタン４５を操作すると、その接点信号がガラス枠電飾基板１３６を通じて演出制御装置１２４に入力される。さらにガラス枠電飾基板１３６には、上記のジョグダイアル４５ａが接続されており、遊技者がジョグダイアル４５ａを回転させると、その回転信号がガラス枠電飾基板１３６を通じて演出制御装置１２４に入力される。なお、ここではガラス枠電飾基板１３６に演出切替ボタン４５及びジョグダイアル４５ａを接続した例を挙げているが、上記の受け皿電飾基板を設置する場合、演出切替ボタン４５及びジョグダイアル４５ａは受け皿電飾基板に接続されていてもよい。
【００８５】
その他、遊技盤８にはパネル電飾基板１３８が設置されており、ランプ駆動回路１３２からの駆動信号がパネル電飾基板１３８を経由して盤面ランプ５３に印加されている。また上記の装飾体モータ４０２及び装飾体ランプ４０４は、パネル電飾基板１３８を介して演出制御装置１２４（演出制御ＣＰＵ１２６）に接続されている。上記のように装飾体モータ４０２は、図示しないリンク機構等を介して装飾体４００を昇降させることができる。また装飾体ランプ４０４は、例えばＬＥＤの発光により装飾体４００を装飾的に発光させることができる。
【００８６】
上記の液晶表示器４２は遊技盤８の裏側に設置されており、遊技盤８に形成された略矩形の開口を通じてのその表示画面が視認可能となっている。また、遊技盤８の裏側にはインバータ基板１５８が設置されており、このインバータ基板１５８は液晶表示器４２のバックライト（例えば例陰極管）に印加される交流電源を生成している。さらに、遊技盤８の裏側には演出表示制御装置１４４が設置されており、液晶表示器４２による表示動作は、演出表示制御装置１４４により制御されている。演出表示制御装置１４４には、汎用の中央演算処理装置である表示制御ＣＰＵ１４６とともに、表示プロセッサであるＶＤＰ１５２を実装した回路基板（演出表示制御基板）が装備されている。このうち表示制御ＣＰＵ１４６は、図示しないＣＰＵコアとともにＲＯＭ１４８、ＲＡＭ１５０等の半導体メモリを集積したＬＳＩとして構成されている。またＶＤＰ１５２は、図示しないプロセッサコアとともに画像ＲＯＭ１５４やＶＲＡＭ１５６等の半導体メモリを集積したＬＳＩとして構成されている。なおＶＲＡＭ１５６は、その記憶領域の一部をフレームバッファとして利用することができる。
【００８７】
演出制御ＣＰＵ１２６のＲＯＭ１２８には、演出の制御に関する基本的なプログラムが格納されており、演出制御ＣＰＵ１２６は、このプログラムに沿って演出の制御を実行する。演出の制御には、上記のように各種ランプ４６〜５３等やスピーカ５４，５５，５６を用いた演出の制御が含まれる他、液晶表示器４２を用いた画像表示による演出の制御が含まれる。演出制御ＣＰＵ１２６は、表示制御ＣＰＵ１４６に対して演出に関する基本的な情報（例えば演出番号）を送信し、これを受け取った表示制御ＣＰＵ１４６は、基本的な情報に基づいて具体的に演出用の画像を表示する制御を行う。
【００８８】
表示制御ＣＰＵ１４６は、ＶＤＰ１５２に対してさらに詳細な制御信号を出力する。これを受け取ったＶＤＰ１５２は、制御信号に基づいて画像ＲＯＭ１５４にアクセスし、そこから必要な画像データを読み出してＶＲＡＭ１５６に転送する。さらにＶＤＰ１５２は、ＶＲＡＭ１５６上で画像データを１フレーム（単位時間あたりの静止画像）ごとにフレームバッファに展開し、ここでバッファされた画像データに基づき液晶表示器４２の各画素（フルカラー画素）を個別に駆動する。
【００８９】
その他、プラ枠アセンブリ７の裏側には電源制御ユニット１６２（電源制御手段）が装備されている。この電源制御ユニット１６２はスイッチング電源回路を内蔵し、電源コード１６４を通じて島設備から外部電力（例えばＡＣ２４Ｖ等）を取り込むと、そこから必要な電力（例えばＤＣ＋３４Ｖ、＋１２Ｖ等）を生成することができる。電源制御ユニット１６２で生成された電力は、主制御装置７０や払出制御装置９２、演出制御装置１２４、インバータ基板１５８に分配されている。さらに、払出制御装置９２を経由して発射制御基板１０８に電力が供給されている他、遊技球等貸出装置接続端子板１２０を経由してＣＲユニットに電力が供給されている。なお、ロジック用の低電圧電力（例えばＤＣ＋５Ｖ）は、各装置に内蔵された電源用ＩＣ（３端子レギュレータ等）で生成される。また上記のように電源制御ユニット１６４は、アース線１６６を通じて島設備にアース（接地）されている。
【００９０】
上記の外部端子板１６０は払出制御装置９２に接続されており、主制御装置７０（主制御ＣＰＵ７２）にて生成された各種の外部情報信号は、払出制御装置９２を経由して外部端子板１６０から外部に出力されるものとなっている。主制御装置７０（主制御ＣＰＵ７２）及び払出制御装置９２（払出制御ＣＰＵ９４）は、外部端子板１６０を通じてパチンコ機１の外部に向けて外部情報信号を出力することができる。外部端子板１６０から出力される信号は、例えば遊技場のホールコンピュータ（図示していない）で集計される。なお、ここでは払出制御装置９２を経由する構成を例に挙げているが、主制御装置７０からそのまま外部情報信号が外部端子板１６０に出力される構成であってもよい。
【００９１】
以上がパチンコ機１の制御に関する構成例である。続いて、主制御装置７０の主制御ＣＰＵ７２により実行される制御上の処理について説明する。
【００９２】
〔リセットスタート（メイン）処理〕
パチンコ機１に電源が投入されると、主制御ＣＰＵ７２はリセットスタート処理を開始する。リセットスタート処理は、前回の電源遮断時に保存されたバックアップ情報を元に遊技状態を復旧（いわゆる復電）したり、逆にバックアップ情報をクリアしたりすることで、パチンコ機１の初期状態を整えるための処理である。またリセットスタート処理は、初期状態の調整後にパチンコ機１の安定した遊技動作を保証するためのメイン処理（メイン制御プログラム）として位置付けられる。
【００９３】
図５及び図６は、リセットスタート処理の手順例を示すフローチャートである。以下、主制御ＣＰＵ７２が行う処理について、各手順を追って説明する。
【００９４】
ステップＳ１０１：主制御ＣＰＵ７２は、先ずスタックポインタにスタック領域の先頭アドレスをセットする。
【００９５】
ステップＳ１０２：続いて主制御ＣＰＵ７２は、ベクタ方式の割込モード（モード２）を設定し、デフォルトであるＲＳＴ方式の割込モード（モード０）を修正する。これにより、以後、主制御ＣＰＵ７２は任意のアドレス（ただし最下位ビットは０）を割込ベクタとして参照し、指定の割込ハンドラを実行することができる。
【００９６】
ステップＳ１０３：主制御ＣＰＵ７２は、ここでリセット時待機処理を実行する。この処理は、リセットスタート（例えば電源投入）時にある程度の待機時間（例えば数千ｍｓ程度）を確保しておき、その間に主電源断検出信号のチェックを行うためのものである。具体的には、主制御ＣＰＵ７２は待機時間分のループカウンタをセットすると、ループカウンタの値をデクリメントしながら主電源断検出信号の入力ポートをビットチェックする。主電源断検出信号は、例えば周辺デバイスである電源監視ＩＣから入力される。そして、ループカウンタが０になる前に主電源断検出信号の入力を確認すると、主制御ＣＰＵ７２は先頭から処理を再開する。これにより、例えば図示しない主電源スイッチの投入と切断の操作が短時間（１〜２秒程度）内に繰り返し行われた場合のシステム保護を図ることができる。
【００９７】
ステップＳ１０４：次に主制御ＣＰＵ７２は、ＲＡＭ７６のワーク領域に対するアクセスを許可する。具体的には、ワーク領域のＲＡＭプロテクト設定値をリセット（００Ｈ）する。これにより、以後はＲＡＭ７６のワーク領域に対するアクセスが許可された状態となる。
【００９８】
ステップＳ１０５：また主制御ＣＰＵ７２、割り込みマスクを設定するためにマスクレジスタの初期設定を行う。具体的には、ＣＴＣ割り込みを有効にする値をマスクレジスタに格納する。
【００９９】
ステップＳ１０６：主制御ＣＰＵ７２は、先に退避しておいたＲＡＭクリアスイッチからの入力信号を参照し、ＲＡＭクリアスイッチが操作（スイッチＯＮ）されたか否かを確認する。ＲＡＭクリアスイッチが操作されていなければ（Ｎｏ）、次にステップＳ１０７を実行する。
【０１００】
ステップＳ１０７：次に主制御ＣＰＵ７２は、ＲＡＭ７６にバックアップ情報が保存されているか否か、つまり、バックアップ有効判定フラグがセットされているか否かを確認する。前回の電源遮断処理でバックアップが正常に終了し、バックアップ有効判定フラグ（例えば「Ａ５５ＡＨ」）がセットされていれば（Ｙｅｓ）、次に主制御ＣＰＵ７２はステップＳ１０８を実行する。
【０１０１】
ステップＳ１０８：主制御ＣＰＵ７２は、ＲＡＭ７６のバックアップ情報についてサムチェックを実行する。具体的には、主制御ＣＰＵ７２はＲＡＭ７６のワーク領域（使用禁止領域及びスタック領域を含むユーザワーク領域）のうち、バックアップ有効判定フラグ及びサムチェックバッファを除く全ての領域をサムチェックする。サムチェックの結果が正常であれば（Ｙｅｓ）、次に主制御ＣＰＵ７２はステップＳ１０９を実行する。
【０１０２】
ステップＳ１０９：主制御ＣＰＵ７２は、バックアップ有効判定フラグをリセット（例えば「００００Ｈ」）する。
ステップＳ１１０：また主制御ＣＰＵ７２は、前回の電源断発生直前に送信待ちであったコマンドをクリアする。
【０１０３】
ステップＳ１１１：次に主制御ＣＰＵ７２は、演出制御復帰処理を実行する。この処理では、主制御ＣＰＵ７２は演出制御装置１２４に対し、復帰用のコマンド（例えば機種指定コマンド、特別図柄確率状態指定コマンド、特図先判定演出コマンド、作動記憶数増加時演出コマンド、作動記憶数減少時演出コマンド、回数切りカウンタ残数コマンド、特別遊技状態指定コマンド等）を送信する。これを受けて演出制御装置１２４は、前回の電源遮断時に実行中であった演出状態（例えば、内部確率状態、演出図柄の表示態様、作動記憶数の演出表示態様、音響出力内容、各種ランプの発光状態等）を復帰させることができる。
【０１０４】
ステップＳ１１２：主制御ＣＰＵ７２は、状態復帰処理を実行する。この処理では、主制御ＣＰＵ７２はバックアップ情報を元にＲＡＭ７６のワーク領域に各種の値をセットし、前回の電源遮断時に実行中であった遊技状態（例えば、特別図柄の表示態様、内部確率状態、作動記憶内容、各種フラグ状態、乱数更新状態等）を復帰させる。また主制御ＣＰＵ７２は、バックアップされていたＰＣレジスタの値を復旧する。
【０１０５】
一方、電源投入時にＲＡＭクリアスイッチが操作されていた場合（ステップＳ１０６：Ｙｅｓ）や、バックアップ有効判定フラグがセットされていなかった場合（ステップＳ１０７：Ｎｏ）、あるいは、バックアップ情報が正常でなかった場合（ステップＳ１０８：Ｎｏ）、主制御ＣＰＵ７２はステップＳ１１３に移行する。
【０１０６】
ステップＳ１１３：主制御ＣＰＵ７２は、ＲＡＭ７６の使用禁止領域以外の記憶内容をクリアする。これにより、ＲＡＭ７６のワーク領域及びスタックエリアは全て初期化され、有効なバックアップ情報が保存されていても、その内容は消去される。
ステップＳ１１４：また主制御ＣＰＵ７２は、ＲＡＭ７６の初期設定を行う。
【０１０７】
ステップＳ１１５：主制御ＣＰＵ７２は、演出制御出力処理を実行する。この処理では、主制御ＣＰＵ７２が初期設定後に演出制御装置１２４に送信するべきコマンド（演出制御に必要なコマンド）を出力する。
【０１０８】
ステップＳ１１６：主制御ＣＰＵ７２は、払出制御出力処理を実行する。この処理では、主制御ＣＰＵ７２は払出制御装置９２に対して、賞球の払い出しを開始するための指示コマンドを出力する。
【０１０９】
ステップＳ１１７：主制御ＣＰＵ７２は、ＣＴＣ初期設定処理を実行し、周辺デバイスであるＣＴＣ（カウンタ／タイマ回路）の初期設定を行う。この処理では、主制御ＣＰＵ７２は割込ベクタレジスタを設定し、また、ＣＴＣに割り込みカウント値（例えば４ｍｓ）を設定する。これにより、次にＣＴＣ割り込みが発生すると、主制御ＣＰＵ７２はバックアップされていたＰＣレジスタのプログラムアドレスから処理を続行することができる。
【０１１０】
リセットスタート処理において以上の手順を実行すると、主制御ＣＰＵ７２は図６に示されるメインループに移行する（接続記号Ａ→Ａ）。
【０１１１】
ステップＳ１１８，ステップＳ１１９：主制御ＣＰＵ７２は割込を禁止した上で、電源断発生チェック処理を実行する。この処理では、主制御ＣＰＵ７２は主電源断検出信号の入力ポートをビットチェックし、電源遮断の発生（駆動電圧の低下）を監視する。電源遮断が発生すると、主制御ＣＰＵ７２は普通電動役物ソレノイド８８や大入賞口ソレノイド９０等に対応する出力ポートバッファをクリアすると、ＲＡＭ７６のワーク領域のうちバックアップ有効判定フラグ及びサムチェックバッファを除く全体の内容をバックアップし、サムチェックバッファにサム結果値を保存する。そして主制御ＣＰＵ７２はバックアップ有効判定フラグ領域に上記の有効値（例えば「Ａ５５ＡＨ」）を格納し、ＲＡＭ７６のアクセスを禁止して処理を停止（ＮＯＰ）する。一方、電源遮断が発生しなければ、主制御ＣＰＵ７２は次にステップＳ１２０を実行する。なお、このような電源断発生時の処理をマスク不能割込（ＮＭＩ）処理としてＣＰＵに実行させている公知のプログラミング例もある。
【０１１２】
ステップＳ１２０：主制御ＣＰＵ７２は、初期値更新乱数更新処理を実行する。この処理では、主制御ＣＰＵ７２は、各種のソフトウェア乱数の初期値を更新（変更）するための乱数をインクリメントする。本実施形態では、大当り決定乱数（ハードウェア乱数）を除く各種の乱数（例えば、普通図柄に対応する当り決定乱数、大当り図柄乱数、リーチ判定乱数、変動パターン決定乱数等）をプログラム上で発生させている。これらソフトウェア乱数は、別の割込処理（図８中のステップＳ２０１）で所定範囲内のループカウンタにより更新されているが、この処理において乱数値が１巡するごとにループカウンタの初期値（全ての乱数が対象でなくてもよい）を変更している。初期値更新用乱数は、この初期値をランダムに変更するために用いられており、ステップＳ１２０では、その初期値更新用乱数の更新を行っている。なお、ステップＳ１１８で割込を禁止した後にステップＳ１２０を実行しているのは、別の割込管理処理（図８中のステップＳ２０２）でも同様の処理を実行するため、これとの重複（競合）を防止するためである。なお上記のように、本実施形態において大当り決定乱数は乱数発生器７５により発生されるハードウェア乱数であり、その更新周期はタイマ割込周期（例えば数ｍｓ）よりもさらに高速（例えば数μｓ）であるため、大当り決定乱数の初期値を更新する必要はない。
【０１１３】
ステップＳ１２１，ステップＳ１２２：主制御ＣＰＵ７２は割込を許可し、その他乱数更新処理を実行する。この処理で更新される乱数は、ソフトウェア乱数のうち当選種類（当り種別）の判定に関わらない乱数（リーチ判定乱数、変動パターン決定乱数等）である。この処理は、メインループの実行中にタイマ割込が発生し、主制御ＣＰＵ７２が別の割込管理処理（図８）を実行した場合の残り時間で行われる。なお割込管理処理の内容については後述する。
【０１１４】
〔電源断発生チェック処理〕
図７は、上記の電源断発生チェック処理の手順例を具体的に示すフローチャートである。
ステップＳ１３０：ここでは先ず、主制御ＣＰＵ７２は、電源断発生チェックのための条件を設定する。このチェック条件は、例えば主電源断検出信号が継続して出力されていることを確認するためのオンカウンタ値として設定することができる。
【０１１５】
ステップＳ１３２：次に主制御ＣＰＵ７２は、主電源断検出スイッチ入力用ポートをリードし、主電源断検出信号が出力されているか否かを確認（特定のビットをチェック）する。特に図示していないが、主電源断検出スイッチは例えば主制御装置７０に実装されており、この主電源断検出スイッチは、電源制御ユニット１６２から供給される駆動電圧を監視し、その電圧レベルが基準電圧を下回った場合に主電源断検出信号を出力する。なお、主電源断検出スイッチは電源制御ユニット１６２に内蔵されていてもよい。主制御ＣＰＵ７２は、現時点で主電源断検出信号が出力されていないことを確認すると（Ｎｏ）、この処理を抜けてリセットスタート処理に復帰する。一方、主電源断検出信号が出力されていることを確認した場合（Ｙｅｓ）、主制御ＣＰＵ７２は次のステップＳ１３４に進む。
【０１１６】
ステップＳ１３４：主制御ＣＰＵ７２は、上記のチェック条件を満たすか否かを確認する。具体的には、先のステップＳ１３０で設定したオンカウンタ値を例えば１減算し、その結果が０になったか否かを確認する。現時点で未だオンカウンタ値が０でなければ（Ｎｏ）、主制御ＣＰＵ７２はステップＳ１３２に戻って主電源断検出スイッチ入力用ポートを改めて確認する。そして、ステップＳ１３４からステップＳ１３２へのループを繰り返してチェック条件が満たされると（ステップＳ１３４：Ｙｅｓ）、主制御ＣＰＵ７２は次にステップＳ１３６に進む。
【０１１７】
ステップＳ１３６：主制御ＣＰＵ７２は、上記のように普通電動役物ソレノイド８８や大入賞口ソレノイド９０に対応する出力ポートに加え、試験信号端子やコマンド制御信号に対応する出力ポートバッファをクリアする。
【０１１８】
ステップＳ１３８，ステップＳ１４０：次に主制御ＣＰＵ７２は、ＲＡＭ７６のワーク領域のうち、バックアップ有効判定フラグ及びサムチェックバッファを除く全体の内容を１バイト単位で加算し、全領域について加算を完了するまで繰り返す。
ステップＳ１４２：全領域についてサムの算出が完了すると（ステップＳ１４０：Ｙｅｓ）、主制御ＣＰＵ７２はサムチェックバッファにサム結果値を保存する。
【０１１９】
ステップＳ１４４：次に主制御ＣＰＵ７２は、上記のようにバックアップ有効判定フラグ領域に有効値を格納する。
ステップＳ１４６：また主制御ＣＰＵ７２は、ＲＡＭ７６のプロテクト値にアクセス禁止を表す「０１Ｈ」を格納し、ＲＡＭ７６のワーク領域（使用禁止領域及びスタック領域を含む）に対するアクセスを禁止する。
ステップＳ１４８：そして主制御ＣＰＵ７２は待機ループに入り、主電源断の遮断に備えて他の処理を全て停止する。主電源断の発生後は、図示しないバックアップ電源回路（例えば主制御装置７０に実装された容量素子を含む回路）からバックアップ用電力が供給されるため、ＲＡＭ７６の記憶内容は主電源断後も消失することなく保持される。なおバックアップ用電源回路は、例えば電源制御ユニット１６２に内蔵されていてもよい。
【０１２０】
以上の処理を通じて、バックアップ対象（サム加算対象）となるＲＡＭ７６のワーク領域に記憶されていた情報は、全て主電源断の後もＲＡＭ７６に記憶として保持されることになる。また保持されていた記憶は、先のリセットスタート処理（図５）でチェックサムの正常を確認した上で、電源断時のバックアップ情報として復元される。
【０１２１】
〔割込管理処理（タイマ割込処理）〕
次に、割込管理処理（タイマ割込処理）について説明する。図８は、割込管理処理の手順例を示すフローチャートである。主制御ＣＰＵ７２は、カウンタ／タイマ回路からの割込要求信号に基づき、所定時間（例えば数ｍｓ）ごとに割込管理処理を実行する。以下、各手順を追って説明する。
【０１２２】
ステップＳ２００：先ず主制御ＣＰＵ７２は、メインループの実行中に使用していたレジスタ（アキュムレータＡとフラグレジスタＦ、汎用レジスタＢ〜Ｌの各ペア）の値をＲＡＭ７６の退避領域に退避させる。値を退避させた後のレジスタ（Ａ〜Ｌ）には、割込管理処理の中で別の値を書き込むことができる。
【０１２３】
ステップＳ２０１：次に主制御ＣＰＵ７２は、抽選乱数更新処理を実行する。この処理では、主制御ＣＰＵ７２は抽選用の各種乱数を発生させるためのカウンタの値を更新する。各カウンタの値は、ＲＡＭ７６のカウンタ領域にてインクリメントされ、それぞれ規定の範囲内でループする。各種乱数には、例えば大当り図柄乱数、普通図柄当り決定乱数等が含まれる。
【０１２４】
ステップＳ２０２：主制御ＣＰＵ７２は、ここでも初期値更新乱数更新処理を実行する。処理の内容は、先に述べたものと同じである。
【０１２５】
ステップＳ２０３：主制御ＣＰＵ７２は、入力処理を実行する。この処理では、主制御ＣＰＵ７２は入出力（Ｉ／Ｏ）ポート７９から各種スイッチ信号を入力する。具体的には、ゲートスイッチ７８からの通過検出信号や、上始動入賞口スイッチ８０、下始動入賞口スイッチ８２、カウントスイッチ８４、入賞口スイッチ８６からの入賞検出信号の入力状態（ＯＮ／ＯＦＦ）をリードする。
【０１２６】
ステップＳ２０４：次に主制御ＣＰＵ７２は、スイッチ入力イベント処理を実行する。この処理では、先の入力処理で入力したスイッチ信号のうち、ゲートスイッチ７８、上始動入賞口スイッチ８０、下始動入賞口スイッチ８２からの入賞検出信号に基づいて遊技中に発生した事象の判定を行い、それぞれ発生した事象に応じて、さらに別の処理を実行する。なお、スイッチ入力イベント処理の具体的な内容については、さらに別のフローチャートを用いて後述する。
【０１２７】
本実施形態では、上始動入賞口スイッチ８０又は下始動入賞口スイッチ８２から入賞検出信号（ＯＮ）が入力されると、主制御ＣＰＵ７２はそれぞれ第１特別図柄又は第２特別図柄に対応した内部抽選の契機（抽選契機）となる事象が発生したと判定する。またゲートスイッチ７８から通過検出信号（ＯＮ）が入力されると、主制御ＣＰＵ７２は普通図柄に対応した抽選契機となる事象が発生したと判定する。いずれかの事象が発生したと判定すると、主制御ＣＰＵ７２は、それぞれの発生事象に応じた処理を実行する。なお、上始動入賞口スイッチ８０又は下始動入賞口スイッチ８２から入賞検出信号が入力された場合に実行される処理については、さらに別のフローチャートを用いて後述する。
【０１２８】
ステップＳ２０５，ステップＳ２０６：主制御ＣＰＵ７２は、割込管理処理中において特別図柄遊技処理及び普通図柄遊技処理を実行する。これら処理は、パチンコ機１における遊技を具体的に進行させるためのものである。このうち特別図柄遊技処理（ステップＳ２０５）では、主制御ＣＰＵ７２は先に述べた第１特別図柄又は第２特別図柄に対応する内部抽選の実行を制御したり、第１特別図柄表示装置３４及び第２特別図柄表示装置３５による変動表示や停止表示を制御したり、その表示結果に応じて可変入賞装置３０の作動を制御したりする。なお、特別図柄遊技処理の詳細については、さらに別のフローチャートを用いて後述する。
【０１２９】
また普通図柄遊技処理（ステップＳ２０６）では、主制御ＣＰＵ７２は先に述べた普通図柄表示装置３３による変動表示や停止表示を制御したり、その表示結果に応じて可変始動入賞装置２８の作動を制御したりする。例えば、主制御ＣＰＵ７２は先のスイッチ入力イベント処理（ステップＳ２０４）の中で始動ゲート２０の通過を契機として取得した乱数（普通図柄当り決定乱数）を記憶しておき、この普通図柄遊技処理の中で記憶から乱数値を読み出し、所定の当り範囲内に該当するか否かの判定を行う（作動抽選実行手段）。乱数値が当り範囲内に該当する場合、普通図柄表示装置３３により普通図柄を変動表示させて所定の当り態様で普通図柄の停止表示を行った後、主制御ＣＰＵ７２は普通電動役物ソレノイド８８を励磁して可変始動入賞装置２８を作動させる（可動片作動手段）。一方、乱数値が当り範囲外であれば、主制御ＣＰＵ７２は、変動表示の後にはずれの態様で普通図柄の停止表示を行う。
【０１３０】
ステップＳ２０７：次に主制御ＣＰＵ７２は、賞球払出処理を実行する。この処理では、先の入力処理（ステップＳ２０３）において各種スイッチ８０，８２，８４，８６から入力された入賞検出信号に基づき、払出制御装置９２に対して賞球個数を指示する賞球指示コマンドを出力する。
【０１３１】
ステップＳ２０８：次に主制御ＣＰＵ７２は、外部情報処理を実行する。この処理では、主制御ＣＰＵ７２は外部端子板１６０を通じて遊技場のホールコンピュータに対して上記の外部情報信号（例えば賞球情報、扉開放情報、図柄確定回数情報、大当り情報、始動口情報等）をポート出力要求バッファに格納する。
【０１３２】
なお本実施形態では、各種の外部情報信号のうち、例えば大当り情報として「大当り１」〜「大当り５」を外部に出力することで、パチンコ機１に接続された外部の電子機器（データ表示器やホールコンピュータ）に対して多様な大当り情報を提供することができる（外部情報信号出力手段）。すなわち、大当り情報を複数の「大当り１」〜「大当り５」に分けて出力することで、これらの組み合わせから大当りの種別（当選種類）を図示しないホールコンピュータで集計・管理したり、内部的な確率状態（低確率状態又は高確率状態）や図柄変動時間の短縮状態の変化を認識したり、非当選以外であっても「大当り」に分類されない小当り（条件装置が作動しない当り）の発生を集計・管理したりすることが可能となる。また大当り情報に基づき、例えば図示しないデータ表示装置によりパチンコ機１の台ごとに過去数営業日以内の大当り発生回数を計数及び表示したり、台ごとに現在大当り中であるか否かを認識したり、あるいは台ごとに現在図柄変動時間の短縮状態であるか否かを認識したりすることができる。この外部情報処理において、主制御ＣＰＵ７２は「大当り１」〜「大当り５」のそれぞれの出力状態（ＯＮ又はＯＦＦのセット）を詳細に制御する。
【０１３３】
ステップＳ２０９：また主制御ＣＰＵ７２は、試験信号処理を実行する。この処理では、主制御ＣＰＵ７２が自己の内部状態（例えば、普通図柄遊技管理状態、特別図柄遊技管理状態、大当り中、確率変動機能作動中、時間短縮機能作動中）を表す各種の試験信号を生成し、これらをポート出力要求バッファに格納する。この試験信号により、例えば主制御装置７０の外部で主制御ＣＰＵ７２の内部状態を試験することができる。
【０１３４】
ステップＳ２１０：次に主制御ＣＰＵ７２は、表示出力管理処理を実行する。この処理では、主制御ＣＰＵ７２は普通図柄表示装置３３、普通図柄作動記憶ランプ３３ａ、第１特別図柄表示装置３４、第２特別図柄表示装置３５、第１特別図柄作動記憶ランプ３４ａ、第２特別図柄作動記憶ランプ３５ａ、遊技状態表示装置３８等の点灯状態を制御する。具体的には、先の特別図柄遊技処理（ステップＳ２０５）や普通図柄遊技処理（ステップＳ２０６）においてポート出力要求バッファに格納されている駆動信号をポート出力する。なお駆動信号は、各ＬＥＤに対して印加するバイトデータとしてポート出力要求バッファに格納されている。これにより、各ＬＥＤが所定の表示態様（図柄の変動表示や停止表示、作動記憶数表示、遊技状態表示等を行う態様）で駆動されることになる。
【０１３５】
ステップＳ２１１：また主制御ＣＰＵ７２は、出力管理処理を実行する。この処理では、主制御ＣＰＵ７２は先の外部情報処理（ステップＳ２０８）でポート出力要求バッファに格納された外部情報信号（バイトデータ）をポート出力する。また主制御ＣＰＵ７２は、ポート出力要求バッファに格納されている普通電動役物ソレノイド８８及び大入賞口ソレノイド９０の各駆動信号、試験信号等を合わせてポート出力する。
【０１３６】
ステップＳ２１２：主制御ＣＰＵ７２は、演出制御出力処理を実行する。この処理では、コマンドバッファ内に主制御ＣＰＵ７２が演出制御装置１２４に送信するべきコマンド（演出制御に必要なコマンド）があるか否かを確認し、未送信コマンドがある場合は出力対象のコマンドをポート出力する。
【０１３７】
ステップＳ２１３：そして主制御ＣＰＵ７２は、今回のＣＴＣ割込で格納したポート出力要求バッファをクリアする。
【０１３８】
なお本実施形態では、ステップＳ２０５〜ステップＳ２１２の処理（遊技制御プログラムモジュール）をタイマ割込処理として実行する例を挙げているが、これら処理をＣＰＵのメインループ中に組み込んで実行している公知のプログラミング例もある。
【０１３９】
ステップＳ２１４：以上の処理を終えると、主制御ＣＰＵ７２は割込終了を指定する値（０１Ｈ）を割込プログラムカウンタ内に格納し、ＣＴＣ割込を終了する。
【０１４０】
ステップＳ２１５，ステップＳ２１６：そして主制御ＣＰＵ７２は、退避しておいたレジスタ（Ａ〜Ｌ）の値を復帰し、次回のＣＴＣ割込を許可する。この後、主制御ＣＰＵ７２は、メインループ（スタックポインタで指示されるプログラムアドレス）に復帰する。
【０１４１】
〔スイッチ入力イベント処理〕
図９は、スイッチ入力イベント処理（図８中のステップＳ２０４）の手順例を示すフローチャートである。以下、各手順を追って説明する。
【０１４２】
ステップＳ１０：主制御ＣＰＵ７２は、第１特別図柄に対応する上始動入賞口スイッチ８０から入賞検出信号が入力（第１事象が発生）されたか否かを確認する。この入賞検出信号の入力が確認された場合（Ｙｅｓ）、主制御ＣＰＵ７２は次のステップＳ１２に進んで第１特別図柄記憶更新処理を実行する。具体的な処理の内容については、別のフローチャートを用いてさらに後述する。一方、入賞検出信号の入力がなかった場合（Ｎｏ）、主制御ＣＰＵ７２はステップＳ１４に進む。
【０１４３】
ステップＳ１４：次に主制御ＣＰＵ７２は、第２特別図柄に対応する下始動入賞口スイッチ８２から入賞検出信号が入力（第２事象が発生）されたか否かを確認する。この入賞検出信号の入力が確認された場合（Ｙｅｓ）、主制御ＣＰＵ７２は次のステップＳ１６に進んで第２特別図柄記憶更新処理を実行する。ここでも同様に、具体的な処理の内容については別のフローチャートを用いてさらに後述する。一方、入賞検出信号の入力がなかった場合（Ｎｏ）、主制御ＣＰＵ７２はステップＳ１８に進む。
【０１４４】
ステップＳ１８：主制御ＣＰＵ７２は、大入賞口に対応するカウントスイッチ８４から入賞検出信号が入力されたか否かを確認する。この入賞検出信号の入力が確認された場合（Ｙｅｓ）、主制御ＣＰＵ７２は次のステップＳ２０に進んで大入賞口カウント処理を実行する。大入賞口カウント処理では、主制御ＣＰＵ７２は大当り遊技中に１ラウンドごとの可変入賞装置３０への入賞球数をカウントする。一方、入賞検出信号の入力がなかった場合（Ｎｏ）、主制御ＣＰＵ７２はステップＳ２２に進む。
【０１４５】
ステップＳ２２：主制御ＣＰＵ７２は、普通図柄に対応するゲートスイッチ７８から通過検出信号が入力されたか否かを確認する。この通過検出信号の入力が確認された場合（Ｙｅｓ）、主制御ＣＰＵ７２は次のステップＳ２４に進んで普通図柄記憶更新処理を実行する。普通図柄記憶更新処理では、主制御ＣＰＵ７２は現在の普通図柄作動記憶数が上限数（例えば４個）未満であるか否かを確認し、上限数に達していなければ、普通図柄当り乱数を取得する。また主制御ＣＰＵ７２は、普通図柄作動記憶数を１インクリメントする。そして主制御ＣＰＵ７２は、取得した普通図柄当り乱数値をＲＡＭ７６の乱数記憶領域に記憶させる。一方、入賞検出信号の入力がなかった場合（Ｎｏ）、主制御ＣＰＵ７２は割込管理処理（図８）に復帰する。
【０１４６】
〔第１特別図柄記憶更新処理〕
図１０は、第１特別図柄記憶更新処理（図９中のステップＳ１２）の手順例を示すフローチャートである。以下、第１特別図柄記憶更新処理の手順について順を追って説明する。
【０１４７】
ステップＳ３０：ここでは先ず、主制御ＣＰＵ７２は第１特別図柄作動記憶数カウンタの値を参照し、作動記憶数が最大値（例えば４とする）未満であるか否かを確認する。作動記憶数カウンタは、ＲＡＭ７６の乱数記憶領域に記憶されている大当り決定乱数や大当り図柄乱数等の個数（組数）を表すものである。すなわち、ＲＡＭ７６の乱数記憶領域は各図柄（第１特別図柄、第２特別図柄）別で４つのセクション（例えば各２バイト）に分けられており、各セクションには大当り決定乱数及び大当り図柄乱数を１個ずつセット（組）で記憶可能である。このとき、第１特別図柄に対応する作動記憶数カウンタの値が上限値に達していれば（Ｎｏ）、主制御ＣＰＵ７２はスイッチ入力イベント処理（図９）に復帰する。一方、作動記憶数カウンタの値が最大値未満であれば（Ｙｅｓ）、主制御ＣＰＵ７２は次のステップＳ３１に進む。
【０１４８】
ステップＳ３１：主制御ＣＰＵ７２は、第１特別図柄作動記憶数を１つ加算する。第１特別図柄作動記憶数カウンタは、例えばＲＡＭ７６の作動記憶数領域に記憶されており、主制御ＣＰＵ７２はその値をインクリメント（＋１）する。ここで加算されたカウンタの値に基づき、表示出力管理処理（図８中のステップＳ２１０）で第１特別図柄作動記憶ランプ３４ａの点灯状態が制御されることになる。
【０１４９】
ステップＳ３２：そして主制御ＣＰＵ７２は、サンプリング回路７７を通じて乱数発生器７５から第１特別図柄に対応する大当り決定乱数値を取得する（抽選要素の取得、要素記憶手段）。乱数値の取得は、乱数発生器７５のピンアドレスを指定して行う。主制御ＣＰＵ７２が８ビット処理の場合、アドレスの指定は上位及び下位で１バイトずつ２回に分けて行われる。主制御ＣＰＵ７２は、指定したアドレスから大当り決定乱数値をリードすると、これを第１特別図柄に対応する大当り決定乱数として転送先のアドレスにセーブする。
【０１５０】
ステップＳ３３：次に主制御ＣＰＵ７２は、ＲＡＭ７６の大当り図柄乱数カウンタ領域から第１特別図柄に対応する大当り図柄乱数値を取得する。この乱数値の取得もまた、大当り図柄乱数カウンタ領域のアドレスを指定して行う。主制御ＣＰＵ７２は、指定したアドレスから大当り図柄乱数値をリードすると、これを第１特別図柄に対応する大当り図柄乱数として転送先のアドレスにセーブする。
【０１５１】
ステップＳ３４：また主制御ＣＰＵ７２は、ＲＡＭ７６の変動用乱数カウンタ領域から、第１特別図柄の変動条件に関する乱数値として、リーチグループ決定乱数、リーチモード乱数及び変動パターン決定乱数を順番に取得する（変動パターン決定要素の取得、要素記憶手段）。これら乱数値の取得も同様に、変動用乱数カウンタ領域のアドレスを指定して行われる。そして主制御ＣＰＵ７２は、指定したアドレスからリーチグループ決定乱数、リーチモード乱数及び変動パターン決定乱数をそれぞれ取得すると、これらを転送先のアドレスにセーブする。
【０１５２】
ステップＳ３５：主制御ＣＰＵ７２は、セーブした大当り決定乱数、大当り図柄乱数、リーチグループ決定乱数、リーチモード乱数及び変動パターン決定乱数をともに第１特別図柄に対応する乱数記憶領域に転送し、これら乱数を領域内の空きセクションにセット（組）で記憶させる（要素記憶手段としての処理）。複数のセクションには順番（例えば第１〜第４）が設定されており、現段階で第１〜第４の全てのセクションが空きであれば、第１セクションから順に各乱数が記憶される。あるいは、第１セクションが既に埋まっており、その他の第２〜第４セクションが空きであれば、第２セクションから順に各乱数が記憶されていく。なお、乱数記憶領域の読み出しはＦＩＦＯ（Ｆｉｒｓｔ  Ｉｎ  Ｆｉｒｓｔ  Ｏｕｔ）形式である。
【０１５３】
ステップＳ３６：次に主制御ＣＰＵ７２は、現在の遊技管理状態（内部状態）が大当り中であるか否かを確認する。大当り中以外であれば（Ｎｏ）、主制御ＣＰＵ７２は次以降のステップＳ３７，Ｓ３８を実行する。大当り中であれば（Ｙｅｓ）、主制御ＣＰＵ７２はステップＳ３７，Ｓ３８をスキップしてステップＳ３８ａに進む。本実施形態においてこの判断を行っているのは、基本的に大当り中は先読みによる演出を行わないためであるが、大当り中に発生した作動記憶についても、先読み演出の対象としてよい。
【０１５４】
ステップＳ３７：現在の遊技管理状態（内部状態）が大当り中以外である場合（ステップＳ３６：Ｎｏ）、主制御ＣＰＵ７２は第１特別図柄に関して取得時演出判定処理を実行する。この処理は、先のステップＳ３２〜Ｓ３４でそれぞれ取得した第１特別図柄の大当り決定乱数及び大当り図柄乱数に基づいて、事前（変動開始前）に内部抽選の結果を判定し、それによって演出内容を判定（いわゆる「先読み」）するためのものである。なお、具体的な処理の内容については別のフローチャートを参照しながらさらに後述する。
【０１５５】
ステップＳ３８：取得時演出判定処理から復帰すると、次に主制御ＣＰＵ７２は、第１特別図柄に関して特図先判定演出コマンドの上位バイト分（例えば「Ｂ８Ｈ」）をセットする。この上位バイトデータは、コマンド種別が「第１特別図柄に関する特図先判定演出用」であることを記述したものである。なお、特図先判定演出コマンドの下位バイト分は、先の取得時演出判定処理（ステップＳ３７）においてセットされているので、ここでは下位バイトに上位バイトを合成することで例えば１ワード長のコマンドが生成されることになる。
【０１５６】
ステップＳ３８ａ：次に主制御ＣＰＵ７２は、第１特別図柄に関して作動記憶数増加時演出コマンドをセットする。具体的には、コマンドの種別を表す上位バイトの先行値（例えば「ＢＢＨ」）に対し、増加後の作動記憶数（例えば「０１Ｈ」〜「０４Ｈ」）を下位バイトに付加した１ワード長の演出コマンドを生成する。このとき下位バイトについては、デフォルトで第２の位を「０」とすることにより、その値が「作動記憶数の増加による結果（変化情報）」であることを表している。つまり、下位バイトが「０１Ｈ」であれば、それは前回までの作動記憶数「００Ｈ」から１つ増加した結果、今回の作動記憶数が「０１Ｈ」となったことを表している。同様に、下位バイトが「０２Ｈ」〜「０４Ｈ」であれば、それは前回までの作動記憶数「０１Ｈ」〜「０３Ｈ」からそれぞれ１つ増加した結果、今回の作動記憶数が「０２Ｈ」〜「０４Ｈ」となったことを表している。なお上記の先行値「ＢＢＨ」は、今回の演出コマンドが第１特別図柄についての作動記憶数コマンドであることを表す値である。
【０１５７】
ステップＳ３９：そして主制御ＣＰＵ７２は、第１特別図柄に関して演出コマンド出力設定処理を実行する。この処理は、先のステップＳ３８で生成した特図先判定演出コマンドや、ステップＳ３８ａで生成した作動記憶数増加時演出コマンド、始動口入賞音制御コマンドを演出制御装置１２４に対して送信するためのものである（記憶数通知手段）。
【０１５８】
以上の手順を終えるか、もしくは第１特別図柄作動記憶数が４に達していた場合（ステップＳ３０：Ｎｏ）、主制御ＣＰＵ７２はスイッチ入力イベント処理（図９）に復帰する。
【０１５９】
〔第２特別図柄記憶更新処理〕
次に図１１は、第２特別図柄記憶更新処理（図９中のステップＳ１６）の手順例を示すフローチャートである。以下、第２特別図柄記憶更新処理の手順について順を追って説明する。
【０１６０】
ステップＳ４０：主制御ＣＰＵ７２は、第２特別図柄作動記憶数カウンタの値を参照し、作動記憶数が最大値未満であるか否かを確認する。第２特別図柄作動記憶数カウンタについても上記と同様に、ＲＡＭ７６の乱数記憶領域に記憶されている大当り決定乱数や大当り図柄乱数等の個数（組数）を表すものである。このとき第２特別図柄作動記憶数カウンタの値が最大値（例えば４とする）に達していれば（Ｎｏ）、主制御ＣＰＵ７２はスイッチ入力イベント処理（図９）に復帰する。一方、未だ第２特別図柄作動記憶数カウンタの値が最大値未満であれば（Ｙｅｓ）、主制御ＣＰＵ７２は次のステップＳ４１以降に進む。
【０１６１】
ステップＳ４１：主制御ＣＰＵ７２は、第２特別図柄作動記憶数を１つ加算（第２特別図柄作動記憶数カウンタの値をインクリメント）する。先のステップＳ３１（図１０）と同様に、ここで加算されたカウンタの値に基づき、表示出力管理処理（図８中のステップＳ２１０）で第２特別図柄作動記憶ランプ３５ａの点灯状態が制御されることになる。
【０１６２】
ステップＳ４２：そして主制御ＣＰＵ７２は、サンプリング回路７７を通じて乱数発生器７５から第２特別図柄に対応する大当り決定乱数値を取得する（抽選要素の取得、抽選要素記憶手段）。乱数値を取得する手法は、先に説明したステップＳ３２（図１０）と同様である。
【０１６３】
ステップＳ４３：次に主制御ＣＰＵ７２は、ＲＡＭ７６の大当り図柄乱数カウンタ領域から第２特別図柄に対応する大当り図柄乱数値を取得する。乱数値を取得する方法は、先に説明したステップＳ３３（図１０）と同様である。
【０１６４】
ステップＳ４４：また主制御ＣＰＵ７２は、ＲＡＭ７６の変動用乱数カウンタ領域から、第２特別図柄の変動条件に関するリーチグループ決定乱数、リーチモード乱数及び変動パターン決定乱数を順番に取得する（変動パターン決定要素の取得、抽選要素記憶手段）。これら乱数値の取得もまた、先に説明したステップＳ３４（図１０）と同様に行われる。
【０１６５】
ステップＳ４５：主制御ＣＰＵ７２は、セーブした大当り決定乱数、大当り図柄乱数、リーチグループ決定乱数、リーチモード乱数及び変動パターン決定乱数をともに第２特別図柄に対応する乱数記憶領域に転送し、これら乱数を領域内の空きセクションにセット（組）で記憶させる（要素記憶手段としての処理）。記憶の手法は、先に説明したステップＳ３５（図１０）と同様である。
【０１６６】
ステップＳ４５ａ：次に主制御ＣＰＵ７２は、現在の遊技管理状態（内部状態）が大当り中であるか否かを確認する。そして大当り中以外であれば（Ｎｏ）、主制御ＣＰＵ７２は次以降のステップＳ４６，Ｓ４７を実行する。逆に大当り中であれば（Ｙｅｓ）、主制御ＣＰＵ７２はステップＳ４６，Ｓ４７をスキップしてステップＳ４８に進む。本実施形態においてこの判断を行っているのは、大当り中は先読みによる演出を行わないためである。
【０１６７】
ステップＳ４６：大当り中以外である場合（ステップＳ４５ａ：Ｎｏ）、次に主制御ＣＰＵ７２は、第２特別図柄に関して取得時演出判定処理を実行する。この処理は、先のステップＳ４２〜Ｓ４４でそれぞれ取得した第２特別図柄の大当り決定乱数及び大当り図柄乱数に基づいて、事前（変動開始前）に内部抽選の結果を判定し、それによって演出内容を判定するためのものである。ここで、先のステップＳ４５ａで大当り中か否かだけを判定し、時間短縮機能の作動状態を判定していないのは、上記のように本実施形態では、大当り中以外の遊技において第１特別図柄よりも第２特別図柄を優先して変動させるため、大当り中以外は時間短縮機能の作動状態に関わらず、第２特別図柄については事前に内部抽選の結果を判定し、その結果を先読み演出に利用できるからである。なお、具体的な処理の内容は後述する。
【０１６８】
ステップＳ４７：取得時演出判定処理から復帰すると、次に主制御ＣＰＵ７２は特図先判定演出コマンドの上位バイト分（例えば「Ｂ９Ｈ」）をセットする。この上位バイトデータは、コマンド種別が「第２特別図柄に関する特図先判定演出用」であることを記述したものである。ここでも同様に、特図先判定演出コマンドの下位バイト分は、先の取得時演出判定処理（ステップＳ４６）においてセットされているので、ここでは下位バイトに上位バイトを合成することで例えば１ワード長のコマンドが生成されることになる。
【０１６９】
ステップＳ４８：次に主制御ＣＰＵ７２は、第２特別図柄に関して作動記憶数増加時演出コマンドをセットする。ここでは、コマンドの種別を表す上位バイトの先行値（例えば「ＢＣＨ」）に対し、増加後の作動記憶数（例えば「０１Ｈ」〜「０４Ｈ」）を下位バイトに付加した１ワード長の演出コマンドを生成する。第２特別図柄についても同様に、デフォルトで下位バイトの第２の位を「０」とすることにより、その値が「作動記憶数の増加による結果（変化情報）」であることを表すことができる。なお先行値「ＢＣＨ」は、今回の演出コマンドが第２特別図柄についての作動記憶数コマンドであることを表す値である。
【０１７０】
ステップＳ４９：そして主制御ＣＰＵ７２は、第２特別図柄に関して演出コマンド出力設定処理を実行する。これにより、第２特別図柄に関して特図先判定演出コマンドや作動記憶数増加時演出コマンド、始動口入賞音制御コマンド等を演出制御装置２４に対して送信する準備が行われる（記憶数通知手段）。また以上の手順を終えると、主制御ＣＰＵ７２はスイッチ入力イベント処理（図９）に復帰する。
【０１７１】
〔取得時演出判定処理〕
図１２は、取得時演出判定処理の手順例を示すフローチャートである。主制御ＣＰＵ７２は、先の第１特別図柄記憶更新処理及び第２特別図柄記憶更新処理（図１０中のステップＳ３７，図１１中のステップＳ４６）においてこの取得時演出判定処理を実行する（事前判定手段）。上記のように、この処理は第１特別図柄（上始動入賞口２６への入賞時）、第２特別図柄（可変始動入賞装置２８への入賞時）のそれぞれについて実行される。したがって以下の説明は、第１特別図柄に関する処理に該当する場合と、第２特別図柄に関する処理に該当する場合とがある。以下、各手順に沿って処理の内容を説明する。
【０１７２】
ステップＳ５０：主制御ＣＰＵ７２は、特図先判定演出コマンド（先判定情報）の下位バイト分（例えば「００Ｈ」）をセットする。なお、ここでセットしたバイトデータはコマンドの標準値（はずれ時）を表すものとなる。
【０１７３】
ステップＳ５２：次に主制御ＣＰＵ７２は、先判定用乱数値として大当り決定乱数をロードする。ここでロードする乱数は、先の第１特別図柄記憶更新処理（図１０中のステップＳ３５）又は第２特別図柄記憶更新処理（図１１中のステップＳ４５）でＲＡＭ７６に記憶されているものである。
【０１７４】
ステップＳ５４：そして主制御ＣＰＵ７２は、ロードした乱数が当り値の範囲外（ここでは下限値以下）であるか否かを判定する。具体的には、主制御ＣＰＵ７２は比較値（下限値）をＡレジスタにセットし、この比較値からロードした乱数値を減算する。なお比較値（下限値）は、パチンコ機１における内部抽選の当選確率に応じて予め規定されている。次に主制御ＣＰＵ７２は、例えばフラグレジスタの値から演算結果が０又は正の値であるか否かを判別する。その結果、ロードした乱数が当り値の範囲外であれば（Ｙｅｓ）、主制御ＣＰＵ７２はステップＳ８０に進む。
【０１７５】
ステップＳ８０：次に主制御ＣＰＵ７２は、はずれ時変動パターン情報事前判定処理を実行する。この処理では、主制御ＣＰＵ７２は、はずれ時の変動パターン番号（変動時間、リーチ／非リーチ等）について変動パターン先判定コマンドを生成する。
【０１７６】
ここで生成される変動パターン先判定コマンドには、「時間短縮機能」の非作動時又は作動時の状態別、及び変動開始時作動記憶数別に設定される変動時間（又は変動パターン番号）に関する事前の判定情報が反映される。例えば、現在の状態が「時間短縮機能」の非作動時であれば、主制御ＣＰＵ７２はロードした変動パターン決定乱数に基づいて変動パターン番号を事前に判定し、変動時間（変動秒数）の設定が不定であるか、そもとも固定であるかを判定するとともに、リーチグループ決定乱数について「不定値」又は「固定値」のいずれであるかを事前に判定する。なお、リーチグループ決定乱数が「固定値」に該当する場合はさらに、例えば複数ある「固定値Ａ」，「固定値Ｂ」，「固定値Ｃ」，・・・のいずれに該当するかを判定する。そして、リーチグループ決定乱数が「固定値」又は「不定値」又は「固定値Ａ」，「固定値Ｂ」，「固定値Ｃ」，・・・のいずれに該当するかを表す変動パターン先判定コマンドを生成する。
【０１７７】
なお、リーチグループ決定乱数が「不定値」に該当する場合、当該変動でリーチ変動は行われない。一方、リーチグループ決定乱数が「固定値Ａ」，「固定値Ｂ」，「固定値Ｃ」，・・・のいずれかに該当する場合、基本的に当該変動でリーチ変動が行われる。また、現在の状態が「時間短縮機能」の作動時であり、リーチグループ決定乱数が「固定値Ａ」，「固定値Ｂ」，「固定値Ｃ」，・・・のいずれかに該当する場合、主制御ＣＰＵ７２は「時短中非短縮変動時間」に対応する変動パターン先判定コマンドを生成する。なお、リーチ変動の場合はさらに、リーチモード乱数から「リーチモード（リーチの種類）」をも判断し、その結果から変動パターン先判定コマンドを生成することとしてもよい。
【０１７８】
一方、リーチグループ決定乱数が「不定値」であり、「はずれリーチ変動（非短縮変動時間）」に対応するものでない場合、主制御ＣＰＵ７２は「時短中短縮変動時間」に対応する変動パターン先判定コマンドを生成する。あるいは、現在の状態が「時間短縮機能」の非作動時（低確率状態）であれば、主制御ＣＰＵ７２は「通常はずれ変動時間」に対応する変動パターン先判定コマンドを生成する。また、ここで生成された変動パターン先判定コマンドは、上記のように演出コマンド出力設定処理（ステップＳ３９，Ｓ４９）で送信バッファにセットされる。なお、当該変動で変動時間を不定又は固定に設定する場合の具体例については、主制御ＣＰＵ７２が行う「はずれ時変動パターン決定処理」において後述する。
【０１７９】
以上の手順を実行すると、主制御ＣＰＵ７２は取得時演出判定処理を終了し、呼び出し元の第１特別図柄記憶更新処理（図１０）又は第２特別図柄記憶更新処理（図１１）に復帰する。一方、先のステップＳ５４の判断において、ロードした乱数が当り値の範囲外でなく、範囲内であれば（ステップＳ５４：Ｎｏ）、主制御ＣＰＵ７２は次にステップＳ５６に進む。
【０１８０】
ステップＳ５６：主制御ＣＰＵ７２は、先判定結果による確率状態予定フラグがセットされているか否かを確認する。先判定結果による確率状態予定フラグは、未だ変動は開始されていないが、これまで記憶されている大当り決定乱数の中に当選値がある場合にセットされるものである。具体的には、これまでに記憶されている大当り決定乱数に当選値があった場合、これと組になる大当り図柄乱数が「確変図柄」に該当するものであれば、確率状態予定フラグに例えば「Ａ０Ｈ」がセットされる。この値は、この大当り決定乱数よりも後に取得された大当り決定乱数の事前判定（先読み判定）に際して、高確率状態になることを予定として設定するためのフラグ値を表すものである。一方、これまでに記憶されている大当り決定乱数に当選値があった場合であって、これと組になる大当り図柄乱数が「非確変（通常）図柄」に該当するものであれば、確率状態予定フラグに例えば「０１Ｈ」がセットされる。この値は、この大当り決定乱数よりも後に取得された大当り決定乱数の事前判定（先読み判定）に際して、通常（低）確率状態になることを予定として設定するためのフラグ値を表すものである。なお、これまでに記憶されている大当り決定乱数に当選値が未だ存在しなければ、フラグ値はリセット（００Ｈ）されている。また確率状態予定フラグの値は、例えばＲＡＭ７６のフラグ領域に格納されている。なお、ここでは「確率状態予定フラグ」を用いて厳密に事前の当り判定を行う例を挙げているが、単純に現在の確率状態に基づいて事前の当り判定を行う場合、このステップＳ５６と以降のステップＳ５８，ステップＳ６０，ステップＳ６２，ステップＳ７６等を省略してもよい。
【０１８１】
主制御ＣＰＵ７２は、未だ確率状態予定フラグがセットされていなければ（ステップＳ５６：Ｎｏ）、次にステップＳ６６を実行する。
【０１８２】
ステップＳ６６：この場合、主制御ＣＰＵ７２は次に低確率時（通常時）用比較値をＡレジスタにセットする。なお低確率時用比較値もまた、パチンコ機１における低確率時の当選確率に応じて予め規定されている。
【０１８３】
ステップＳ６８：次に主制御ＣＰＵ７２は、「現在の確率状態フラグ」をロードする。この確率状態フラグは、現在の内部状態が高確率（確変中）であるか否かを表すものであり、ＲＡＭ７６のフラグ領域内に記憶されているものである。現在の確率状態が高確率（確変中）であれば、状態フラグとして値「０１Ｈ」がセットされており、低確率（通常中）であれば、状態フラグの値はリセットされている（「００Ｈ」）。
【０１８４】
ステップＳ７０：そして主制御ＣＰＵ７２は、ロードした現在の特別図柄確率状態フラグが高確率を表すものでない（≠０１Ｈ）か否かを確認し、その結果、高確率を表すものであれば（Ｎｏ）、次にステップＳ６４を実行する。
【０１８５】
ステップＳ６４：主制御ＣＰＵ７２は、高確率時用比較値をセットする。これにより、先のステップＳ６６でセットされた低確率時用比較値が書き換えられることになる。なお、高確率時用比較値は、パチンコ機１における高確率時の当選確率に応じて予め規定されている。
【０１８６】
このように、先判定結果による確率状態予定フラグが未だセットされていない場合であって、現在の内部状態が高確率の場合は、比較値を高確率時用に書き換えた上で次のステップＳ７２を実行することになる。これに対し、先のステップＳ７０で現在の確率状態フラグが高確率を表すものでないことを確認した場合（Ｙｅｓ）、主制御ＣＰＵ７２はステップＳ６４をスキップして次のステップＳ７２を実行する。
【０１８７】
ステップＳ７２：主制御ＣＰＵ７２は、先のステップＳ５２でロードした乱数が当り値の範囲外であるか否かを判定する。すなわち、主制御ＣＰＵ７２は状態別でセットした比較値から大当り決定乱数値を減算する。そして主制御ＣＰＵ７２は、同様にフラグレジスタの値から演算結果が負の値（＜０）であるか否かを判別し、その結果、ロードした乱数が当り値の範囲外であれば（Ｙｅｓ）、主制御ＣＰＵ７２は上記のはずれ時変動パターン情報事前判定処理（ステップＳ８０）を実行する。これに対し、ロードした乱数が当り値の範囲外でなく、範囲内であれば（Ｎｏ）、主制御ＣＰＵ７２は次にステップＳ７４に進む。
【０１８８】
ステップＳ７４：主制御ＣＰＵ７２は、大当り図柄種別判定処理を実行する。この処理は、大当り決定乱数と組になっている大当り図柄乱数に基づいて、そのときの大当り種別（当選種類）を判定するためのものである。例えば、主制御ＣＰＵ７２は先の第１特別図柄記憶更新処理（図１０中のステップＳ３５）又は第２特別図柄記憶更新処理（図１１中のステップＳ４５）で記憶した図柄別の大当り図柄乱数をロードすると、上記のステップＳ５４と同様に比較値を用いた演算を実行し、その結果から大当り種別として「非確変（通常）図柄」又は「確変図柄」のいずれに該当するかを判別する。主制御ＣＰＵ７２は、このときの判別結果を特別図柄先判定値として記憶し、次のステップＳ７６に進む。
【０１８９】
ステップＳ７６：そして主制御ＣＰＵ７２は、先判定結果による確率状態予定フラグの値をセットする。具体的には、先のステップＳ７４で記憶した特別図柄先判定値が「非確変（通常）図柄」を表す場合、主制御ＣＰＵ７２は確率状態予定フラグに値「０１Ｈ」をセットする。一方、特別図柄先判定値が「確変図柄」を表す場合、主制御ＣＰＵ７２は確率状態予定フラグに値「Ａ０Ｈ」をセットする。これにより、次回以降の処理ではステップＳ５６において「フラグセット済み」と判定されることになる。
【０１９０】
ステップＳ７８：主制御ＣＰＵ７２は、特図先判定演出コマンドの下位バイトとして、先のステップＳ７４で記憶した特別図柄先判定値をセットする。特別図柄先判定値は、例えば「非確変（通常）図柄」に該当する場合は「０１Ｈ」がセットされ、「確変図柄」に該当する場合は「Ａ０Ｈ」がセットされる。いずれにしても、ここで下位バイト分のデータをセットすることにより、先のステップＳ５０でセットした標準の下位バイトデータ「００Ｈ」が書き換えられることになる。
【０１９１】
ステップＳ７９：次に主制御ＣＰＵ７２は、大当り時変動パターン情報事前判定処理を実行する。この処理では、主制御ＣＰＵ７２は大当り時の変動時間について、上述した変動パターン先判定コマンドを生成する。ここで生成される変動パターン先判定コマンドには、例えば大当り時のリーチ変動時間（又は変動パターン番号）に関する事前の判定情報が反映される。また、ここで生成された変動パターン先判定コマンドは、上記のように演出コマンド出力設定処理（ステップＳ３９，Ｓ４９）で送信バッファにセットされる。
【０１９２】
以上は、先判定結果による確率状態予定フラグがセットされる前（内部初当り前）における手順である。これに対し、先のステップＳ７６を経て確率状態予定フラグがセットされた場合、以下の手順が実行される。ただし、上記のように現在の確率状態だけで事前の当り判定を行う場合、以下のステップＳ５６，ステップＳ５８，ステップＳ６０，ステップＳ６２、及びステップＳ７６を実行する必要はない。
【０１９３】
ステップＳ５６：主制御ＣＰＵ７２は、既に確率状態予定フラグに値がセットされていることを確認すると（Ｙｅｓ）、次にステップＳ５８を実行する。
【０１９４】
ステップＳ５８：主制御ＣＰＵ７２は、先ず低確率時（通常時）用比較値をＡレジスタにセットする。
【０１９５】
ステップＳ６０：次に主制御ＣＰＵ７２は、「確率状態予定フラグ」をロードする。確率状態予定フラグは、上記のように直前の先判定結果に基づきそれ以降の先判定において確率状態を予定的に設定するためのものであり、ＲＡＭ７６のフラグ領域内に記憶されているものである。直前の先判定結果に基づく確率状態が高確率（確変）に移行する予定であれば、上記のように確率状態予定フラグの値として「Ａ０Ｈ」がセットされており、逆に直前の先判定結果に基づく確率状態が低確率（通常）に戻る予定であれば、確率状態予定フラグの値として「０１Ｈ」がセットされている。
【０１９６】
ステップＳ６２：そして主制御ＣＰＵ７２は、ロードした確率状態予定フラグが高確率の予定を表すものでない（≠０１Ｈ）か否かを確認し、その結果、高確率の予定を表すものであれば（Ｎｏ）、次にステップＳ６４を実行し、高確率時用比較値をセットする。
【０１９７】
このように、先判定結果による確率状態予定フラグが既にセットされており、その値が高確率を予定するものである場合は、比較値を高確率時用に書き換えた上で次のステップＳ７２以降を実行することになる。これに対し、先のステップＳ６２で確率状態予定フラグが高確率の予定を表すものでなく、通常（低）確率の予定を表すものであることを確認した場合（Ｙｅｓ）、主制御ＣＰＵ７２はステップＳ６４をスキップして次のステップＳ７２以降を実行する。これにより本実施形態では、先判定結果に基づくその後の内部状態の変化（通常確率状態→高確率状態、高確率状態→通常確率状態）を考慮した上で、事前の大当り判定を行うことができる。
【０１９８】
以上の手順を終えると、主制御ＣＰＵ７２は第１特別図柄記憶更新処理（図１０）又は第２特別図柄記憶更新処理（図１１）に復帰する。
【０１９９】
〔特別図柄遊技処理〕
次に、割込管理処理（図８）の中で実行される特別図柄遊技処理の詳細について説明する。図１３は、特別図柄遊技処理の構成例を示すフローチャートである。特別図柄遊技処理は、実行選択処理（ステップＳ１０００）、特別図柄変動前処理（ステップＳ２０００）、特別図柄変動中処理（ステップＳ３０００）、特別図柄停止表示中処理（ステップＳ４０００）、可変入賞装置管理処理（ステップＳ５０００）のサブルーチン（プログラムモジュール）群を含む構成である。ここでは先ず、各処理に沿って特別図柄遊技処理の基本的な流れを説明する。
【０２００】
ステップＳ１０００：実行選択処理において、主制御ＣＰＵ７２は次に実行するべき処理（ステップＳ２０００〜ステップＳ５０００のいずれか）のジャンプ先を「ジャンプテーブル」から選択する。例えば、主制御ＣＰＵ７２は次に実行するべき処理のプログラムアドレスをジャンプ先のアドレスとし、また戻り先のアドレスとして特別図柄遊技処理の末尾をスタックポインタにセットする。
【０２０１】
いずれの処理を次のジャンプ先として選択するかは、これまでに行われた処理の進行状況（特別図柄遊技管理ステータス）によって異なる。例えば、未だ特別図柄が変動表示を開始していない状況であれば（特別図柄遊技管理ステータス：００Ｈ）、主制御ＣＰＵ７２は次のジャンプ先として特別図柄変動前処理（ステップＳ２０００）を選択する。一方、既に特別図柄変動前処理が完了していれば（特別図柄遊技管理ステータス：０１Ｈ）、主制御ＣＰＵ７２は次のジャンプ先として特別図柄変動中処理（ステップＳ３０００）を選択し、特別図柄変動中処理まで完了していれば（特別図柄遊技管理ステータス：０２Ｈ）、次のジャンプ先として特別図柄停止表示中処理（ステップＳ４０００）を選択するといった具合である。なお、本実施形態ではジャンプ先のアドレスを「ジャンプテーブル」で指定して処理を選択しているが、このような選択手法とは別に、「プロセスフラグ」や「処理選択フラグ」等を用いてＣＰＵが次に実行するべき処理を選択している公知のプログラミング例もある。このようなプログラミング例では、ＣＰＵが一通り各処理をＣＡＬＬし、その先頭ステップで一々フラグを参照して条件分岐（継続／リターン）することになるが、本実施形態の選択手法では、主制御ＣＰＵ７２が各処理を一々呼び出す手間は不要である。
【０２０２】
ステップＳ２０００：特別図柄変動前処理では、主制御ＣＰＵ７２は特別図柄の変動表示を開始するための条件を整える作業を行う。なお、具体的な処理の内容は、別のフローチャートを用いて後述する。
【０２０３】
ステップＳ３０００：特別図柄変動中処理では、主制御ＣＰＵ７２は変動タイマをカウントしつつ、第１特別図柄表示装置３４又は第２特別図柄表示装置３５の駆動制御を行う。具体的には、７セグメントＬＥＤの各セグメント及びドット（０番〜７番）に対してＯＮ又はＯＦＦの駆動信号（１バイトデータ）を出力する。駆動信号のパターンは時間の経過に伴って変化し、それによって特別図柄の変動表示が行われる。
【０２０４】
ステップＳ４０００：特別図柄停止表示中処理では、主制御ＣＰＵ７２は第１特別図柄表示装置３４又は第２特別図柄表示装置３５の駆動制御を行う。ここでも同様に、７セグメントＬＥＤの各セグメント及びドットに対してＯＮ又はＯＦＦの駆動信号を出力するが、駆動信号のパターンは一定であり、これにより特別図柄の停止表示が行われる。
【０２０５】
ステップＳ５０００：可変入賞装置管理処理は、先の特別図柄停止表示中処理において当りの態様（非当選以外の態様）で特別図柄が停止表示された場合に選択される。例えば、特別図柄が１６ラウンド大当りの態様で停止表示されると、それまでの通常状態から大当り遊技状態（遊技者にとって有利な特別遊技状態）に移行する契機が発生する。大当り遊技中は、先の実行選択処理（ステップＳ１０００）においてジャンプ先が可変入賞装置管理処理にセットされ、特別図柄の変動表示は行われない。可変入賞装置管理処理においては、大入賞口ソレノイド９０が一定時間（例えば２９秒間又は９個の入賞をカウントするまで）、予め設定された連続作動回数（例えば７回、１６回）にわたって励磁され、これにより可変入賞装置３０が決まったパターンで開閉動作する（特別電動役物の連続作動）。この間に可変入賞装置３０に対して遊技球を集中的に入賞させることで、遊技者には、まとまって多くの賞球を獲得する機会が与えられる（特別遊技実行手段）。なお、このように大当り時に可変入賞装置３０が開閉動作することを「ラウンド」と称し、連続作動回数が全部で１６回あれば、これらを「１６ラウンド」と総称することがある。なお可変入賞装置３０の１ラウンドの動作は、開放状態で所定の開放時間（例えば２９秒程度）が経過するか、もしくは開放中に規定数の入賞（例えば８個の遊技球の入賞）が発生すると閉鎖状態に戻って終了する。本実施形態では、大当りの種類として１６ラウンド大当りだけでなく、その他に複数種類の７ラウンド大当りが設けられている。また１６ラウンド大当りや７ラウンド大当りについては、その中に複数の当選種類（当選図柄）が設けられている。
【０２０６】
また、主制御ＣＰＵ７２は可変入賞装置管理処理において大入賞口開放パターン（ラウンド数と１ラウンドごとの開閉動作の回数、開放時間等）を設定すると、１ラウンド分の可変入賞装置３０の開閉動作を終了させるごとにラウンド数カウンタの値を１インクリメントする。ラウンド数カウンタの値は、例えば初期値を０としてＲＡＭ７６のカウント領域に記憶されている。また主制御ＣＰＵ７２は、ラウンド数カウンタの値を表すラウンド数コマンドを生成する。ラウンド数コマンドは、演出制御出力処理（図８中のステップＳ２１２）において演出制御装置１２４に送信される。ラウンド数カウンタの値が設定した連続作動回数に達すると、主制御ＣＰＵ７２はそのラウンド限りで大当り遊技（大役）を終了する。
【０２０７】
そして、大当り遊技を終了すると、主制御ＣＰＵ７２は遊技状態フラグ（確率変動機能作動フラグ、時間短縮機能作動フラグ）に基づいて大当り遊技終了後の状態（高確率状態、時間短縮状態）を変化させる。「高確率状態」では確率変動機能が作動し、内部抽選での当選確率が通常よりも例えば１０倍程度に高くなる（特定遊技状態移行手段、高確率状態移行手段、高確率状態設定手段）。また「時間短縮状態」では時間短縮機能が作動し、上記のように普通図柄の作動抽選が高確率になり、また普通図柄の変動時間が短縮されるとともに可変始動入賞装置２８の開放時間が延長されて開放回数が増加する（いわゆる電チューサポートが行われる）。なお、「高確率状態」及び「時間短縮状態」については、制御上でいずれか一方だけに移行する場合もあれば、これら両方に合わせて移行する場合もある。
【０２０８】
〔複数の当選種類〕
本実施形態では、上記の「１６ラウンド大当り」について、例えば複数の当選種類として（１）「１６ラウンド確変大当り」、（２）「１６ラウンド通常（非確変）大当り」が設けられている（これ以上があってもよい）。また「１６ラウンド大当り」以外に、本実施形態では複数の当選種類として（３）「７ラウンド確変大当り」、（４）「７ラウンド通常（非確変）大当り」が設けられている（これ以上があってもよい）。
【０２０９】
上記の当選種類は、当選時に停止表示される第１特別図柄又は第２特別図柄の種類に対応している。例えば、「１６ラウンド確変大当り」は「１６ラウンド確変図柄」の大当りに対応し、「１６ラウンド通常大当り」は「１６ラウンド通常図柄」の大当りに対応する。また、「７ラウンド確変大当り」は「７ラウンド確変図柄」の大当りに対応し、「７ラウンド通常大当り」は「７ラウンド通常図柄」の大当りに対応する。このため以下では、「当選種類」のことを「当選図柄」として適宜呼称するものとする。
【０２１０】
〔１６ラウンド通常図柄（通常当選種類）〕
先ず、上記の特別図柄停止表示中処理において、特別図柄が「１６ラウンド通常図柄」の態様で停止表示されると、それまでの通常状態から大当り遊技状態に移行する契機が発生する（特別遊技実行手段）。この場合、１ラウンド目から充分に長い時間（例えば最長で２９．０秒の開放時間）をかけて大入賞口の開放が１回ずつ行われ、これが１６ラウンド目まで継続する。このため「１６ラウンド通常図柄」の大当り遊技は、１６ラウンド分の出玉（賞球）を遊技者に付与するものとなる。なお大入賞口は、１ラウンド内に規定回数（例えば９回＝遊技球９個）の入賞が発生すると、最長の開放時間の経過を待たずに閉止される。この場合、「確率変動機能」は作動されないため、「高確率状態」に移行する特典は遊技者に付与されない。ただし、それまでの遊技で「時間短縮機能」が非作動の状態であったとしても、大当り遊技の終了後に「時間短縮機能」を作動させることで、「変動時間短縮状態」に移行する特典が遊技者に付与される。
【０２１１】
〔１６ラウンド確変図柄（特定当選種類）〕
あるいは先の特別図柄停止表示中処理において、特別図柄が「１６ラウンド確変図柄」の態様で停止表示されると、それまでの通常状態から大当り遊技状態に移行する契機が発生する（特別遊技実行手段）。この場合、１ラウンド目から充分に長い時間（例えば最長で２９．０秒の開放時間）をかけて大入賞口の開放が１回ずつ行われ、これが１６ラウンド目まで継続する。これら「１６ラウンド確変図柄」の大当り遊技もまた、それぞれが１６ラウンド分の出玉（賞球）を遊技者に付与するものとなる。また大入賞口は、１ラウンド内に規定回数（例えば９回＝遊技球９個）の入賞が発生すると、最長の開放時間の経過を待たずに閉止される。そして、大当り遊技の終了後に例えば「確率変動機能」を作動させることで、その結果として「高確率状態」に移行する特典が遊技者に付与される。またこの場合、それまでの遊技で「時間短縮機能」が非作動の状態であったとしても、大当り遊技の終了後に「時間短縮機能」を作動させることで、合わせて「変動時間短縮状態」に移行する特典が遊技者に付与される。
【０２１２】
〔７ラウンド通常図柄〕
上記の特別図柄停止表示中処理において、特別図柄が「７ラウンド通常図柄」の態様で停止表示されると、それまでの通常状態から大当り遊技状態に移行する契機が発生する（特別遊技実行手段）。この場合、１ラウンド目から充分に長い時間（例えば最長で２９．０秒の開放時間）をかけて大入賞口の開放が１回ずつ行われ、これが７ラウンド目まで継続する。このため「７ラウンド通常図柄」の大当り遊技は、７ラウンド分の出玉（賞球）を遊技者に付与するものとなる。なお大入賞口は、１ラウンド内に規定回数（例えば９回＝遊技球９個）の入賞が発生すると、最長の開放時間の経過を待たずに閉止される。この場合、「確率変動機能」は作動されないため、「高確率状態」に移行する特典は遊技者に付与されない。また、「７ラウンド通常図柄」に関しては、大当り遊技の終了後であっても、「時間短縮機能」は作動されず、「変動時間短縮状態」に移行する特典は遊技者に付与されない。
【０２１３】
〔７ラウンド確変図柄〕
あるいは先の特別図柄停止表示中処理において、特別図柄が「７ラウンド確変図柄」の態様で停止表示されると、それまでの通常状態から大当り遊技状態に移行する契機が発生する（特別遊技実行手段）。この場合、１ラウンド目から充分に長い時間（例えば最長で２９．０秒の開放時間）をかけて大入賞口の開放が１回ずつ行われ、これが７ラウンド目まで継続する。これら「７ラウンド確変図柄」の大当り遊技もまた、それぞれが７ラウンド分の出玉（賞球）を遊技者に付与するものとなる。また大入賞口は、１ラウンド内に規定回数（例えば９回＝遊技球９個）の入賞が発生すると、最長の開放時間の経過を待たずに閉止される。そして、大当り遊技の終了後に例えば「確率変動機能」を作動させることで、その結果として「高確率状態」に移行する特典が遊技者に付与される。また「７ラウンド確変図柄」に関しては、大当り遊技の終了後に「時間短縮機能」を作動させて「変動時間短縮状態」に移行する特典が遊技者に付与される場合もあるが、大当り遊技の終了後に「時間短縮機能」を作動させずに「変動時間短縮状態」に移行させない場合もある。これらの振り分けの詳細は後述する。
【０２１４】
いずれにしても、当選図柄が上記の「１６ラウンド確変図柄」又は「７ラウンド確変図柄」のいずれかに該当すると、大当り遊技終了後に内部状態を「高確率状態」に移行させる特典が遊技者に付与される。また、「高確率状態」において内部抽選に当選し、そのときの当選図柄が「１６ラウンド確変図柄」又は「７ラウンド確変図柄」のいずれかに該当すると、その大当り遊技終了後も「高確率状態」が継続（再開）される。一方、「高確率状態」で内部抽選に当選し、上記の「１６ラウンド通常図柄」又は「７ラウンド通常図柄」のいずれかに該当すると、大当り遊技終了後に内部状態は通常確率状態（低確率状態）に復帰する。また言うまでもなく、通常確率状態で内部抽選に当選し、「１６ラウンド通常図柄」又は「７ラウンド通常図柄」のいずれかに該当すると、大当り遊技終了後も内部状態は通常確率状態に維持される。
【０２１５】
〔小当り〕
また本実施形態では、非当選以外の当選種類として小当りが設けられている。小当りに当選すると、大当り遊技とは別に小当りの遊技が行われて可変入賞装置３０が開閉動作する。すなわち、先の特別図柄停止表示中処理において、第１特別図柄又は第２特別図柄が小当りの態様で停止表示されると、通常確率状態又は高確率状態の中で小当りの遊技（可変入賞装置３０が作動する遊技）が実行される。このような小当りの遊技では可変入賞装置３０が所定回数（例えば２回）だけ開閉動作するものの、大入賞口への入賞はほとんど発生しない。また小当りの遊技が終了しても、「確率変動機能」が作動することはなく、また、「時間短縮機能」が作動することもないので、「高確率状態」や「時間短縮状態」へ移行する特典は付与されない（そのための前提条件とはならない。）。また、「高確率状態」で小当りに当選しても、その小当りの遊技終了後に「高確率状態」が終了することはないし、「時間短縮状態」で小当りに当選しても、その小当りの遊技終了後に「時間短縮状態」が終了することもない（上限回数に達した場合を除く。）。なお、本実施形態では、小当りを設定する遊技仕様としているが、小当りを設定しない遊技仕様としてもよい。
【０２１６】
〔特別図柄変動前処理〕
図１４は、特別図柄変動前処理の手順例を示すフローチャートである。以下、各手順に沿って説明する。
【０２１７】
ステップＳ２１００：先ず主制御ＣＰＵ７２は、第１特別図柄作動記憶数又は第２特別図柄作動記憶数が残存しているか（０より大であるか）否かを確認する。この確認は、ＲＡＭ７６に記憶されている作動記憶数カウンタの値を参照して行うことができる。第１特別図柄及び第２特別図柄の両方の作動記憶数が０であった場合（Ｎｏ）、主制御ＣＰＵ７２はステップＳ２５００のデモ設定処理を実行する。
【０２１８】
ステップＳ２５００：この処理では、主制御ＣＰＵ７２はデモ演出用コマンドを生成する。デモ演出用コマンドは、上記の演出制御出力処理（図８中のステップＳ２１２）において演出制御装置１２４に出力される。デモ設定処理を実行すると、主制御ＣＰＵ７２は特別図柄遊技処理に復帰する。なお復帰時は、上記のように末尾アドレスに復帰する（以降も同様）。
【０２１９】
これに対し、第１特別図柄又は第２特別図柄のいずれかの作動記憶数カウンタの値が０より大きければ（Ｙｅｓ）、主制御ＣＰＵ７２は次にステップＳ２２００を実行する。
【０２２０】
ステップＳ２２００：主制御ＣＰＵ７２は、特別図柄記憶エリアシフト処理を実行する。この処理では、主制御ＣＰＵ７２はＲＡＭ７６の乱数記憶領域に記憶されている抽選用乱数（大当り決定乱数、大当り図柄乱数）のうち、第２特別図柄に対応する方を優先的に読み出す。このとき２つ以上のセクションに乱数が記憶されていれば、主制御ＣＰＵ７２は先頭のセクションから順に乱数を読み出して消去（消費）した後、残った乱数を１つずつ前のセクションに移動（シフト）させる。読み出した乱数は、例えば別の一時記憶領域に保存される。第２特別図柄に対応する乱数が記憶されていない場合、主制御ＣＰＵ７２は第１特別図柄に対応する乱数を読み出して一時記憶領域に保存する。一時記憶領域に保存された各乱数は、次の大当り判定処理で内部抽選に使用される。その結果、本実施形態では第１特別図柄よりも第２特別図柄の変動表示が優先的に行われることになる。なお、このような特別図柄別の優先順位を設けることなく、単純に記憶された順番で乱数が読み出されるプログラムであってもよい。またこの処理において、主制御ＣＰＵ７２はＲＡＭ７６に記憶されている作動記憶数カウンタ（第１特別図柄又は第２特別図柄のうち、乱数のシフトを行った方）の値を１つ減算し、減算後の値を「変動開始時作動記憶数」に設定する。これにより、上記の表示出力管理処理（図８中のステップＳ２１０）の中で第１特別図柄作動記憶ランプ３４ａ又は第２特別図柄作動記憶ランプ３５ａによる記憶数の表示態様が変化（１減少）する。ここまでの手順を終えると、主制御ＣＰＵ７２は次にステップＳ２３００を実行する。
【０２２１】
ステップＳ２３００：主制御ＣＰＵ７２は、大当り判定処理（内部抽選）を実行する。この処理では、主制御ＣＰＵ７２は、先ず大当り値の範囲を設定し、この範囲内に読み出した乱数値が含まれるか否かを判断する（抽選実行手段）。このとき設定される大当り値の範囲は、通常確率状態と高確率状態（確率変動機能作動時）とで異なり、高確率状態では通常確率状態よりも大当り値の範囲が約１０倍程度に拡大される。そして、このとき読み出した乱数値が大当り値の範囲内に含まれていれば、主制御ＣＰＵ７２は大当りフラグ（０１Ｈ）をセットし、次にステップＳ２４００に進む。
【０２２２】
上記の大当りフラグをセットしない場合、主制御ＣＰＵ７２は同じ大当り判定処理において、次に小当り値の範囲を設定し、この範囲内に読み出した乱数値が含まれるか否かを判断する（抽選実行手段）。ここでいう「小当り」は、非当選（はずれ）以外であるが、「大当り」とは異なる性質のものである。すなわち、「大当り」は上記の「高確率状態」や「時間短縮状態」に移行させる契機（遊技の節目）を発生させるものであるが、「小当り」はそのような契機を発生しない。ただし「小当り」は、「大当り」と同様に可変入賞装置３０を作動させる条件を満たすものとして位置付けられている。なお、このとき設定される小当り値の範囲は、通常確率状態と高確率状態（確率変動機能作動時）とで異なっていてもよいし、同じでもよい。いずれにしても、読み出した乱数値が小当り値の範囲内に含まれていれば、主制御ＣＰＵ７２は小当りフラグをセットし、次にステップＳ２４００に進む。このように、本実施形態では非当選以外に該当する当り範囲として、大当り値と小当り値の範囲が予めプログラム上で規定されているが、予め状態別の大当り判定テーブル、小当り判定テーブルをそれぞれＲＯＭ７４に書き込んでおき、これを読み出して乱数値と対比しながら大当り判定を行ってもよい。
【０２２３】
ステップＳ２４００：主制御ＣＰＵ７２は、先の大当り判定処理で大当りフラグに値（０１Ｈ）がセットされたか否かを判断する。大当りフラグに値（０１Ｈ）がセットされていなければ（Ｎｏ）、主制御ＣＰＵ７２は次にステップＳ２４０２を実行する。
【０２２４】
ステップＳ２４０２：主制御ＣＰＵ７２は、先の大当り判定処理で小当りフラグに値（０１Ｈ）がセットされたか否かを判断する。小当りフラグに値（０１Ｈ）がセットされていなければ（Ｎｏ）、主制御ＣＰＵ７２は次にステップＳ２４０４を実行する。なお、主制御ＣＰＵ７２は大当りフラグと小当りフラグとを別々に用意せずに、共通当りフラグの値によって大当り（例えば０１Ｈを設定）又は小当り（例えば０ＡＨを設定）を判別してもよい。
【０２２５】
ステップＳ２４０４：主制御ＣＰＵ７２は、はずれ時停止図柄決定処理を実行する。この処理では、主制御ＣＰＵ７２は、第１特別図柄表示装置３４又は第２特別図柄表示装置３５によるはずれ時の停止図柄番号データをセットする。また主制御ＣＰＵ７２は、演出制御装置１２４に送信するための停止図柄コマンド及び抽選結果コマンド（はずれ時）を生成する。これらコマンドは、演出制御出力処理（図８中のステップＳ２１２）において演出制御装置１２４に送信される。
【０２２６】
なお本実施形態では、第１特別図柄表示装置３４や第２特別図柄表示装置３５に７セグメントＬＥＤを用いているため、例えば、はずれ時の停止図柄の表示態様を常に１つのセグメント（中央のバー「−」）の点灯表示だけにしておき、停止図柄番号データを１つの値（例えば６４Ｈ）に固定することができる。この場合、プログラム上で使用する記憶容量を削減し、主制御ＣＰＵ７２の処理負荷を軽減して処理速度を向上することができる。あるいは、第１特別図柄表示装置３４や第２特別図柄表示装置３５を複数のドットＬＥＤの配列形態とする場合、はずれ時の停止図柄の表示態様を特定の１つのドットＬＥＤの点灯表示としてもよい。
【０２２７】
ステップＳ２４０５：次に主制御ＣＰＵ７２は、はずれ時変動パターン決定処理を実行する。この処理では、主制御ＣＰＵ７２は、特別図柄について、はずれ時の変動パターン番号を決定する（変動パターン選択手段）。変動パターン番号は、特別図柄の変動表示の種類（パターン）を区別したり、変動表示にかかる変動時間に対応したりするものである。はずれ時の変動時間は、上記の「時間短縮状態」であるか否かによって異なってくるため、この処理において主制御ＣＰＵ７２は、遊技状態フラグをロードし、現在の状態が「時間短縮状態」であるか否かを確認する。「時間短縮状態」であれば、基本的にリーチ変動を行う場合を除き、はずれ時の変動時間は短縮された時間に設定される（短縮時変動時間決定手段）。また「時間短縮状態」でなくとも、リーチ変動を行う場合を除き、はずれ時の変動時間は例えばステップＳ２２００で設定した「変動表示開始時作動記憶数（０個〜３個）」に基づいて短縮される場合がある。なお、はずれ時の図柄の停止表示時間は変動パターンに関わらず一定（例えば０．５秒程度）である。主制御ＣＰＵ７２は、決定した変動時間（はずれ時の変動秒数）の値を変動タイマにセットするとともに、はずれ時の停止表示時間の値を停止図柄表示タイマにセットする。
【０２２８】
本実施形態では、内部抽選の結果、非当選に該当した場合、演出上で例えば「リーチ演出」を発生させてはずれとしたり、「リーチ演出」を発生させずにはずれとしたりする制御を行うこととしている。そして、「はずれ時変動パターン選択テーブル」には、予め複数種類の演出、例えば「非リーチ演出」、「リーチ演出」に対応した変動パターンが規定されており、非当選に該当した場合は、その中からいずれかの変動パターンが選択されることになる。なお、リーチ演出には、ノーマルリーチ演出、ロングリーチ演出、スーパーリーチ演出等といった様々なリーチ演出が含まれる。
【０２２９】
〔はずれ時変動パターン選択テーブルの例〕
図１５は、はずれ時変動パターン選択用テーブルの一例を示す図である。
このテーブルは、はずれ時（非当選に該当した場合）に参照する変動パターン選択テーブル番号を選択（決定）するために使用するテーブルである（変動パターン規定手段、変動パターン決定手段）。すなわち、はずれ時変動パターン選択用テーブルは、主に「リーチグループ決定乱数」の値に応じて、当該変動時に参照する「変動パターン選択テーブル番号」を決定するものである。
【０２３０】
具体的には、「リーチグループ決定乱数」の値が「０〜２１１」の範囲内であれば、当該変動開始時の作動記憶数に基づいて、「作動記憶数別非リーチ変動パターンテーブル１Ｎ」〜「作動記憶数別非リーチ変動パターンテーブル３Ｎ」のいずれかが選択される。ここで「作動記憶数別非リーチ変動パターンテーブル１Ｎ」〜「作動記憶数別非リーチ変動パターンテーブル３Ｎ」は、さらに当該変動開始時の作動記憶数（例えば０個〜７個）に応じて複数種類のものが用意されている。例えば、ある作動記憶内の「リーチグループ決定乱数」の値が「１５０」であり、当該変動開始時の作動記憶数が「２個」であれば、乱数値はテーブルの見出し段を除く上から２段目の「１０２〜２０１」に該当するため、ここでは「作動記憶数別非リーチ変動パターンテーブル２２（Ｎ＝２）」が選択されることになる。
【０２３１】
一方、「リーチグループ決定乱数」の値が「２１２」より大きい（最大値は２５５）場合、当該変動開始時の作動記憶数に関わらず、「リーチ後はずれ変動パターンテーブル４」〜「リーチ後はずれ変動パターンテーブル８」のいずれかが選択されることになる。乱数値の範囲はテーブルの見出し段を除く上から３段目以降に記載されている。
【０２３２】
ここで、「作動記憶数別非リーチ変動パターンテーブル１Ｎ」〜「作動記憶数別非リーチ変動パターンテーブル３Ｎ」は、リーチ演出が行われずに、はずれとなる変動パターン（非リーチ変動パターン）に対応しており、「リーチ後はずれ変動パターンテーブル４」〜「リーチ後はずれ変動パターンテーブル８」は、リーチ後にはずれとなる変動パターン（リーチ後はずれ変動パターン）に対応している。なお、このような変動パターン選択用テーブルは、取得時演出判定処理（図１２）の事前判定処理においても使用される（大当り時も同様）。
【０２３３】
主制御ＣＰＵ７２は、当該変動開始時の大当り判定が「はずれ」に該当する場合、「リーチグループ決定乱数」の値がいずれの範囲に該当するかを判断し、当該変動で変動パターンの決定に使用する変動パターン選択テーブル番号を選択する。
【０２３４】
なお、ここでは特に図示していないが、各変動パターン選択テーブル（作動記憶数別非リーチ変動パターンテーブル１Ｎ〜２Ｎ、リーチ後はずれ変動パターンテーブル４〜８）は、例えばその先頭アドレスから順番に「比較値」、「変動パターン番号」をそれぞれ１バイトずつセットにして記憶する構造である。「比較値」には、各変動パターン選択テーブル別に例えば１〜８つの段階的に異なる値（８段階の場合は「１０１」，「２０１」，「２１１」，「２２１」，「２３１」，「２４１」，「２５１」，「２５５（ＦＦＨ）」等）が設けられており、それぞれの「比較値」に対して何らかの「変動パターン番号」が割り当てられている。なお、「比較値」が１つ（「２５５（ＦＦＨ）」）だけのテーブルには、１つの変動パターン番号だけが割り当てられている。
【０２３５】
また、「作動記憶数別非リーチ変動パターンテーブル１Ｎ」〜「作動記憶数別非リーチ変動パターンテーブル３Ｎ」には、リーチ演出が行われずに、はずれとなる変動パターン（非リーチ変動パターン）に対応する変動パターン番号のみが割り当てられる。一方、「リーチ後はずれ変動パターンテーブル４」〜「リーチ後はずれ変動パターンテーブル８」には、リーチ後にはずれとなる変動パターン（リーチ後はずれ変動パターン）番号が割り当てられている。なお、このような変動パターン選択テーブルは、取得時演出判定処理（図１２）の事前判定処理においても使用される（大当り時も同様）。
【０２３６】
主制御ＣＰＵ７２は、読み出した変動パターン決定乱数値を、上記の各変動パターン選択テーブル中の「比較値」と順番に比較していき、乱数値が比較値以下であれば、その比較値に対応する変動パターン番号を選択する（変動パターン決定手段）。
【０２３７】
〔変動パターンによる変動秒数の設定〕
図１５のテーブル中、右端カラムには、選択された変動パターン選択テーブル番号別に、最終的に設定される変動時間（変動秒数）が示されている。変動時間は、各変動パターン選択テーブルを参照して決定される変動パターンに応じて不定に設定されるか、もしくは固定に設定される。
【０２３８】
〔不定に設定される変動時間〕
すなわち、「非リーチ演出」に対応する非リーチ変動パターン（不定変動パターン）が選択された場合、当該変動（今回のはずれ変動）で特別図柄（第１特別図柄又は第２特別図柄）の変動秒数は作動記憶数に応じて短縮される。すなわち、変動開始時作動記憶数（例えば０〜４個）に応じて変動秒数は例えば１２．０秒〜１．５秒に設定される。例えば、変動開始時作動記憶数が０個又は１個の場合、変動秒数は比較的長い１２．０秒に設定されるが、変動開始時作動記憶数が３個又は４個である場合、変動秒数は１．５秒に短縮して設定されることになる。
【０２３９】
〔固定に設定される変動時間〕
これに対し、「リーチ演出」に対応するリーチ変動パターン（固定変動パターン）が選択された場合、当該変動（今回のはずれ変動）で特別図柄（第１特別図柄又は第２特別図柄）の変動秒数は固定に設定される。この場合、当該変動開始時作動記憶数に関わらず、変動秒数は予め固定された長さ（例えば１２．５秒、６０秒、９０秒、１２０秒、１５０秒等）に設定される。これは、当該変動で「はずれリーチ演出」に必要な変動時間（演出尺）を確保するためである。
【０２４０】
〔事前判定時〕
変動時間が不定に設定される場合、当該変動開始時まで作動記憶数が未確定であるため、「作動記憶数別非リーチ変動パターンテーブル１Ｎ」〜「作動記憶数別非リーチ変動パターンテーブル３Ｎ」が選択された場合、主制御ＣＰＵ７２による取得時演出判定処理（図１２）で変動秒数まで事前判定（先読み）することができない。ただし、「作動記憶数別非リーチ変動パターンテーブル１Ｎ」〜「作動記憶数別非リーチ変動パターンテーブル３Ｎ」が選択されるか否かは、作動記憶内の「リーチグループ決定乱数」の値に基づいて事前判定が可能である。
【０２４１】
そこで主制御ＣＰＵ７２は、取得時演出判定処理（図１２）の中のはずれ時変動パターン情報事前判定処理（ステップＳ８０）では、記憶された「リーチグループ決定乱数」の値に基づいて、変動時間が不定に設定されるか、それとも固定に設定されるかを事前判定する。
具体的には、図１５のテーブル中、左端カラムに示されているように、「リーチグループ決定乱数」の値が「０〜２１１」の範囲内であれば「不定値」と判定し、「２１２」より大きければ「固定値」と判定する。
【０２４２】
また「固定値」の場合、最終的に変動パターン決定乱数から決定される変動パターン番号までを事前判定することができるので、主制御ＣＰＵ７２は取得時演出判定処理（図１２）中のはずれ時変動パターン情報事前判定処理（ステップＳ８０）では、変動時間の長さまで事前に判定を行っている。
【０２４３】
なお、以下では便宜上、複数あるリーチグループ決定乱数の「固定値」のうち、変動秒数が最短（１２．５秒）に設定されるものを「固定値Ａ」とし、それ以外の比較的長い変動秒数（６０秒、９０秒、１２０秒、１５０秒）が設定されるものをそれぞれ「固定値Ｂ」、「固定値Ｃ」、「固定値Ｄ」、「固定値Ｅ」と称する。
【０２４４】
〔図１４：特別図柄変動前処理を参照〕
以上のステップＳ２４０４，ステップＳ２４０５は、大当り判定結果がはずれ時（非当選以外の場合）の制御手順であるが、判定結果が大当り（ステップＳ２４００：Ｙｅｓ）又は小当り（ステップＳ２４０２：Ｙｅｓ）の場合、主制御ＣＰＵ７２は以下の手順を実行する。先ず、大当りの場合について説明する。
【０２４５】
ステップＳ２４１０：主制御ＣＰＵ７２は、大当り時停止図柄決定処理を実行する（当選種類決定手段、第１図柄当選種類決定手段、第２図柄当選種類決定手段）。この処理では、主制御ＣＰＵ７２は大当り図柄乱数に基づき、特別図柄別（第１特別図柄又は第２特別図柄）に今回の当選図柄の種類（大当り時停止図柄番号）を決定する。大当り図柄乱数値と当選図柄の種類との関係は、予め特別図柄判定データテーブルで規定されている（当選種類規定手段、第１図柄当選種類規定手段、第２図柄当選種類規定手段）。このため主制御ＣＰＵ７２は、大当り時停止図柄決定処理において大当り時停止図柄選択テーブルを参照し、その記憶内容から大当り図柄乱数に基づいて当選図柄の種類を決定することができる。
【０２４６】
〔大当り時の当選図柄〕
本実施形態では大当り時に選択的に決定される当選図柄として、大きく分けて１０種類が用意されている。１０種類の内訳は、「７ラウンド通常図柄１」、「７ラウンド通常図柄２」、「７ラウンド通常図柄３」、「１６ラウンド通常図柄１」、「１６ラウンド通常図柄２」、「１６ラウンド通常図柄３」、「１６ラウンド確変図柄１」、「１６ラウンド確変図柄２」、「７ラウンド確変図柄１」、「７ラウンド確変図柄２」である。なお、１０種類の当選図柄の各当選図柄は、さらに複数の当選図柄を含んでいてもよい。例えば「７ラウンド通常図柄１」であれば、「７ラウンド通常図柄１ａ」、「７ラウンド通常図柄１ｂ」、「７ラウンド通常図柄１ｃ」、・・・といった具合である。
【０２４７】
また本実施形態では、第１特別図柄と第２特別図柄とでは、それぞれに対応する内部抽選の大当り時に選択される当選図柄の種類が異なっている。すなわち、第１特別図柄に対応する内部抽選の大当り時には、「７ラウンド通常図柄１〜３」、「１６ラウンド確変図柄１」、「７ラウンド確変図柄１，２」のいずれかが選択される。
【０２４８】
一方、第２特別図柄に対応する内部抽選の大当り時には、「１６ラウンド通常図柄１〜３」、「１６ラウンド確変図柄１，２」のいずれかが選択されることになる。このため主制御ＣＰＵ７２は、今回の大当りの結果が第１特別図柄に対応するものであるか、第２特別図柄に対応するものであるかによって当選図柄として選択可能な対象を区別している。
【０２４９】
〔第１特別図柄大当り時停止図柄選択テーブル〕
図１６は、第１特別図柄大当り時停止図柄選択テーブルの構成列を示す図である。主制御ＣＰＵ７２は、今回の大当りの結果が第１特別図柄に対応する場合、図１６に示される第１特別図柄大当り時停止図柄選択テーブルを参照して当選図柄の種類を決定する。
【０２５０】
第１特別図柄大当り時停止図柄選択テーブル中、左カラムには当選図柄別の振分値が示されており、各振分値「６」，「７」，「８」，「４」，「４８」，「２７」は分母を１００とした場合の割合に相当する。また左から２番目のカラムには、各振分値に対応する「７ラウンド通常図柄１」、「７ラウンド通常図柄２」、「７ラウンド通常図柄３」、「１６ラウンド確変図柄１」、「７ラウンド確変図柄１」、「７ラウンド確変図柄２」が示されている。すなわち、第１特別図柄に対応する大当り時には、「７ラウンド通常図柄１」が選択される割合は１００分の６（＝６％）であり、「７ラウンド通常図柄２」が選択される割合は１００分の７（＝７％）である。また、「７ラウンド通常図柄３」が選択される割合は１００分の８（＝８％）であり、「１６ラウンド確変図柄１」が選択される割合は１００分の４（＝４％）である。また、「７ラウンド確変図柄１」が選択される割合は１００分の４８（＝４８％）であり、「７ラウンド確変図柄２」が選択される割合は１００分の２７（＝２７％）である。各振分値の大きさは、大当り図柄乱数を用いた当選図柄別の選択比率に相当する。したがって、全体として第１特別図柄についての確変図柄の選択比率は７９％である。
【０２５１】
いずれにしても、今回の大当りの結果が第１特別図柄に対応する場合、主制御ＣＰＵ７２は大当り図柄乱数に基づいて選択抽選を行い、第１特別図柄大当り時停止図柄選択テーブルに示される選択比率で当選図柄を選択的に決定する。また第１特別図柄大当り時停止図柄選択テーブルには、左から３番目のカラムに示されるように当選時の停止図柄コマンドとして例えば２バイトのコマンドデータが規定されている。停止図柄コマンドは、例えばＭＯＤＥ値−ＥＶＥＮＴ値の組み合わせで記述されており、このうち上位バイトのＭＯＤＥ値「Ｂ１Ｈ」は、今回の当選図柄が第１特別図柄の大当り時に選択されたものであることを表している。また下位バイトのＥＶＥＮＴ値「００Ｈ」，「０１Ｈ」，「０２Ｈ」，「０６Ｈ」，「０８Ｈ」，「０９Ｈ」は、それぞれ選択テーブル中で対応する当選図柄の種類を表している。このため例えば、今回の大当りの結果が第１特別図柄に対応するものであり、当選図柄として「７ラウンド通常図柄１」が選択された場合、当選時の停止図柄コマンドは「Ｂ１Ｈ００Ｈ」で記述されることになる。
【０２５２】
以上のように、主制御ＣＰＵ７２は第１特別図柄大当り時停止図柄選択テーブルから当選図柄を選択すると、そのときの停止図柄コマンドを生成する。生成した停止図柄コマンドは、例えば上記の演出制御出力処理において演出制御装置１２４に送信される。また主制御ＣＰＵ７２は、選択した当選図柄に基づいて第１特別図柄についての大当り時停止図柄番号を決定する。
【０２５３】
〔時短回数〕
第１特別図柄大当り時停止図柄選択テーブルの左から４番目のカラム（右カラム）には、大当り遊技の終了後に付与される時短回数（限度回数）の値が示されている。時短回数の具体的な値は、以下の通りである。
【０２５４】
「７ラウンド通常図柄１」に該当した場合、時短回数は０回付与される。なお、時短回数が０回付与されるとは、実質的に時短回数が付与されない状態と同様の状態を意味する。
「７ラウンド通常図柄２」に該当した場合、時短回数は０回付与される。
「７ラウンド通常図柄３」に該当した場合、時短回数は０回付与される。
なお、「７ラウンド通常図柄１〜３」については、時間短縮状態中での当選であれば、それぞれ３０回、５０回、１００回の時短回数を付与することとしてもよい。
【０２５５】
「１６ラウンド確変図柄１」に該当した場合、時短回数は１００００回付与される。
「７ラウンド確変図柄１」に該当した場合、時短回数は１００００回付与される。
「７ラウンド確変図柄２」に該当した場合、時短回数は０回付与される。したがって、「７ラウンド確変図柄２」で当選した場合、高確率状態には移行するが、時間短縮状態には移行されないため、いわゆる潜伏確変状態に移行される。
【０２５６】
〔第２特別図柄大当り時停止図柄選択テーブル〕
図１７は、第２特別図柄大当り時停止図柄選択テーブルの構成列を示す図である。主制御ＣＰＵ７２は、今回の大当りの結果が第２特別図柄に対応する場合、図１７に示される第２特別図柄大当り時停止図柄選択テーブルを参照して当選図柄の種類を決定する。
【０２５７】
第２特別図柄大当り時停止図柄選択テーブルにおいても、その左カラムには当選図柄別の振分値が示されており、各振分値「６」，「７」，「８」，「４」，「７５」は分母を１００とした場合の割合に相当する。同様に左から２番目のカラムには、各振分値に対応する「１６ラウンド通常図柄１」、「１６ラウンド通常図柄２」、「１６ラウンド通常図柄３」、「１６ラウンド確変図柄１」、「１６ラウンド確変図柄２」が示されている。すなわち、第２特別図柄に対応する大当り時においては、「１６ラウンド通常図柄１」が選択される割合は１００分の６（＝６％）であり、「１６ラウンド通常図柄２」が選択される割合は１００分の７（＝７％）である。また、「１６ラウンド通常図柄３」が選択される割合は１００分の８（＝８％）であり、「１６ラウンド確変図柄１」が選択される割合は１００分の４（＝４％）である。また、「１６ラウンド確変図柄２」が選択される割合は１００分の７５（＝７５％）である。したがって第２特別図柄についても、全体として確変図柄の選択比率は７９％である。ただし、第２特別図柄大当り時停止図柄選択テーブルには、「７ラウンド通常図柄１〜３」、「７ラウンド確変図柄１，２」についての振分値は設定されていない。
【０２５８】
今回の大当りの結果が第２特別図柄に対応する場合、主制御ＣＰＵ７２は大当り図柄乱数に基づいて選択抽選を行い、第２特別図柄大当り時停止図柄選択テーブルに示される選択比率で当選図柄を選択的に決定する。同様に第２特別図柄大当り時停止図柄選択テーブルにも、その左から３番目のカラムに示されるように当選時の停止図柄コマンドとして例えば２バイトのコマンドデータが規定されている。ここでも停止図柄コマンドは、上記のＭＯＤＥ値−ＥＶＥＮＴ値の組み合わせで記述されており、このうち上位バイトのＭＯＤＥ値「Ｂ２Ｈ」は、今回の当選図柄が第２特別図柄の大当り時に選択されたものであることを表している。また下位バイトのＥＶＥＮＴ値「０３Ｈ」，「０４Ｈ」，「０５Ｈ」，「０６Ｈ」，「０７Ｈ」は、それぞれ選択テーブル中で対応する当選図柄の種類を表している。このため例えば、今回の大当りの結果が第２特別図柄に対応するものであり、当選図柄として「１６ラウンド通常図柄１」が選択された場合、停止図柄コマンドは「Ｂ２Ｈ０３Ｈ」で記述されることになる。
【０２５９】
以上のように、主制御ＣＰＵ７２は第２特別図柄大当り時停止図柄選択テーブルから当選図柄を選択すると、そのときの停止図柄コマンドを生成する。生成した停止図柄コマンドは、例えば上記の演出制御出力処理において演出制御装置１２４に送信される。また主制御ＣＰＵ７２は、選択した当選図柄に基づいて第２特別図柄についての大当り時停止図柄番号を決定する。
【０２６０】
〔時短回数〕
第２特別図柄大当り時停止図柄選択テーブルの左から４番目のカラム（右カラム）には、大当り遊技の終了後に付与される時短回数の値が示されている。時短回数の具体的な値は、以下の通りである。
「１６ラウンド通常図柄１」に該当した場合、時短回数は３０回付与される。
「１６ラウンド通常図柄２」に該当した場合、時短回数は５０回付与される。
「１６ラウンド通常図柄３」に該当した場合、時短回数は１００回付与される。
「１６ラウンド確変図柄１」に該当した場合、時短回数は１００００回付与される。
「１６ラウンド確変図柄２」に該当した場合、時短回数は１００００回付与される。
【０２６１】
なお、上記のように第１特別図柄と第２特別図柄とで、選択される当選図柄が異なっているのは、例えば以下の理由による。すなわち、「高確率状態」や「時間短縮状態」に移行した場合、通常時（時間短縮機能の非作動時）に比較して高頻度で可変始動入賞装置２８が作動するため、第２特別図柄についての作動記憶が途切れにくくなっている。そして、本実施形態では第１特別図柄よりも第２特別図柄についての記憶が優先して消費されることから、第２特別図柄についての当選種類から「７ラウンド通常大当り」や「７ラウンド確変大当り」を除外しておけば、特に「高確率状態」及び「時間短縮状態」で「７ラウンド通常大当り」や「７ラウンド確変大当り」を引きにくくなるため、それだけ遊技者の利益を高めることができるという利点がある。
【０２６２】
〔図１４：特別図柄変動前処理を参照〕
ステップＳ２４１２：次に主制御ＣＰＵ７２は、大当り時変動パターン決定処理を実行する。この処理では、主制御ＣＰＵ７２は先のステップＳ２２００でシフトした変動パターン決定乱数に基づいて第１特別図柄又は第２特別図柄の変動パターン（変動時間と停止表示時間）を決定する。また主制御ＣＰＵ７２は、決定した変動時間（大当り時の変動秒数）の値を変動タイマにセットするとともに、停止表示時間の値を停止図柄表示タイマにセットする。一般的に大当りリーチ変動の場合、はずれ時よりも長い変動時間が決定される。
【０２６３】
本実施形態では、内部抽選の結果、１６ラウンド大当り（１６ラウンド通常大当り又は１６ラウンド確変大当り）や７ラウンド大当り（７ラウンド通常大当り又は７ラウンド確変大当り）に該当した場合、演出上で例えば「リーチ演出」を発生させて大当りとする制御を行うこととしている。そして、「大当り当選時変動パターン選択テーブル」には、複数種類の「リーチ演出」に対応した変動パターンが規定されており、１６ラウンド大当りや７ラウンド大当りに該当した場合は、その中からいずれかの変動パターンが選択されることになる。なお、リーチ演出には、ノーマルリーチ演出、ロングリーチ演出、スーパーリーチ演出（ゲームリーチ演出、化粧リーチ演出、散歩リーチ演出）等といった様々なリーチ演出が含まれる。なお、時間短縮機能が作動している高確率状態での当選時には、長い変動時間を有する変動パターンを選択せずに、短い変動時間を有する変動パターン（リーチ演出を行わない変動パターン）を選択するようにしてもよい。この場合、内部状態別や特別図柄別の選択テーブルを用意する必要がある。この点については、はずれ時の変動パターン選択テーブルについても同様である。
【０２６４】
〔大当り当選時変動パターン選択用テーブルの例〕
図１８は、大当り当選時変動パターン選択用テーブルの一例を示す図である。
このテーブルは、１６ラウンド大当りや７ラウンド大当りに当選した場合に参照する変動パターン選択テーブル番号を選択（決定）するために使用するテーブルである（変動パターン規定手段、変動パターン決定手段）。すなわち、大当り当選時変動パターン選択用テーブルは、主に「リーチグループ決定乱数」の値に応じて、当該変動時に参照する「変動パターン選択テーブル番号」を決定するものである。
【０２６５】
具体的には、図１８のテーブル中、左から２番目のカラムに示される「リーチグループ決定乱数」の値の範囲に応じて、「当選図柄別リーチ後当り変動パターンテーブル１」〜「当選図柄別リーチ後当り変動パターンテーブル８」のいずれかが選択される。これら「当選図柄別リーチ後当り変動パターンテーブル１」〜「当選図柄別リーチ後当り変動パターンテーブル８」は、大当り当選時の当選図柄（１６ラウンド確変、１６ラウンド通常、７ラウンド確変、７ラウンド通常等）に応じて複数種類のものが用意されている。例えば、大当り決定乱数が当選範囲内に該当する作動記憶の「リーチグループ決定乱数」の値が「２５０」であり、当選図柄が「１６ラウンド通常」であれば、乱数値はテーブルの見出し段を除く上から７段目の「２４２〜２５１」に該当するため、ここでは「１６ラウンド通常」の当選図柄に対応する「当選図柄別リーチ後当り変動パターンテーブル７」が選択されることになる。
【０２６６】
なお、「当選図柄別リーチ後当り変動パターンテーブル１」〜「当選図柄別リーチ後当り変動パターンテーブル１」は、いずれもリーチ演出が行われて大当りとなる変動パターン（リーチ後当り変動パターン）に対応している。
【０２６７】
主制御ＣＰＵ７２は、当該変動開始時の大当り判定が「当選」に該当する場合、「リーチグループ決定乱数」の値がいずれの範囲に該当するかを判断し、当該変動で変動パターンの決定に使用する変動パターン選択テーブル番号を選択する。
【０２６８】
また、ここでは特に図示していないが、各変動パターン選択テーブル（当選図柄別リーチ後当り変動パターンテーブル１〜８）についても同様に、例えばその先頭アドレスから順番に「比較値」、「変動パターン番号」をそれぞれ１バイトずつセットにして記憶する構造である。「比較値」には、各変動パターン選択テーブル別に例えば８つの段階的に異なる値（「１０１」，「２０１」，「２１１」，「２２１」，「２３１」，「２４１」，「２５１」，「２５５（ＦＦＨ）」等）が設けられており、それぞれの「比較値」に対して何らかの「変動パターン番号」が割り当てられている。そして、「当選図柄別リーチ後当り変動パターンテーブル１」〜「当選図柄別リーチ後当り変動パターンテーブル８」には、リーチ演出が行われて大当りとなる変動パターン番号が割り当てられている。
【０２６９】
主制御ＣＰＵ７２は、読み出した変動パターン決定乱数値を、上記の各変動パターン選択テーブル中の「比較値」と順番に比較していき、乱数値が比較値以下であれば、その比較値に対応する変動パターン番号を選択する（変動パターン決定手段）。
【０２７０】
〔変動パターンによる変動秒数の設定〕
図１８のテーブル中、右端カラムには、選択された変動パターン選択テーブル番号別に設定される変動時間（変動秒数）が示されている。大当り時の変動時間は、いずれの変動パターンについても固定に設定される。これは、大当り時は当該変動で何らかのリーチ演出を行うこととしているためである。したがって、大当り時の変動秒数が不定に設定されることはない。
【０２７１】
〔事前判定時〕
主制御ＣＰＵ７２は、取得時演出判定処理（図１２）の中の大当り時変動パターン情報事前判定処理（ステップＳ７９）では、記憶された「リーチグループ決定乱数」の値に関わらず「固定値」と判定する。そして「固定値」の場合、上記のように変動パターン決定乱数から決定される変動パターン番号までを事前判定することができるので、主制御ＣＰＵ７２は取得時演出判定処理（図１２）の中の大当り時変動パターン情報事前判定処理（ステップＳ７９）では、変動時間の長さまで事前に判定を行うこととする。
【０２７２】
以下では便宜上、複数あるリーチグループ決定乱数の「固定値」について、最終的に固定に設定される変動秒数（１２０秒、１５０秒、１８０秒、２１０秒）の長さに応じてそれぞれ「固定値Ｄ」、「固定値Ｅ」、「固定値Ｆ」、「固定値Ｇ」と称する。
【０２７３】
〔図１４：特別図柄変動前処理を参照〕
ステップＳ２４１４：次に主制御ＣＰＵ７２は、大当り時その他設定処理を実行する。この処理では、主制御ＣＰＵ７２は先のステップＳ２４１０で決定した当選図柄の種類（大当り時停止図柄番号）が「７ラウンド確変図柄１，２」、「１６ラウンド確変図柄１，２」のいずれかである場合、遊技状態フラグとして確率変動機能作動フラグの値（０１Ｈ）をＲＡＭ７６のフラグ領域にセットする（高確率状態移行手段、確率変動機能作動手段）。また、主制御ＣＰＵ７２は、先のステップＳ２４１０で決定した当選図柄の種類が「７ラウンド通常図柄１〜３」、「１６ラウンド通常図柄１〜３」のいずれかである場合、遊技状態フラグとして確率変動機能作動フラグの値をリセットする（低確率状態設定手段、低確率状態移行手段）。
【０２７４】
また主制御ＣＰＵ７２は、先のステップＳ２４１０で決定した当選図柄の種類（大当り時停止図柄番号）が「１６ラウンド確変図柄１，２」、「７ラウンド確変図柄１」、「１６ラウンド通常図柄１〜３」のいずれかである場合、主制御ＣＰＵ７２は遊技状態フラグとして時間短縮機能作動フラグの値（０１Ｈ）をＲＡＭ７６のフラグ領域にセットする（時間短縮状態移行手段、時間短縮機能作動手段）。
【０２７５】
またステップＳ２４１４の処理において、主制御ＣＰＵ７２は大当り時停止図柄番号に基づいて第１特別図柄表示装置３４又は第２特別図柄表示装置３５による停止図柄（大当り図柄）の表示態様を決定する。合わせて主制御ＣＰＵ７２は、上記の停止図柄コマンド（大当り時）とともに抽選結果コマンド（大当り時）を生成する。これら停止図柄コマンド及び抽選結果コマンドもまた、演出制御出力処理において演出制御装置１２４に送信される。
【０２７６】
次に、小当り時の処理について説明する。
ステップＳ２４０７：主制御ＣＰＵ７２は、小当り時停止図柄決定処理を実行する。この処理では、主制御ＣＰＵ７２は大当り図柄乱数に基づき、小当り時の当選図柄の種類（小当り時停止図柄番号）を決定する。ここでも同様に、大当り図柄乱数値と小当り時の当選図柄の種類との関係が予め小当り時特別図柄選択テーブルで規定されている（当選種類規定手段）。なお本実施形態では、主制御ＣＰＵ７２の負荷を軽減するために大当り図柄乱数を用いて小当り時の当選図柄を決定しているが、別途専用の乱数を用いてもよい。
【０２７７】
〔小当り時の当選図柄〕
本実施形態では、小当り時の当選図柄は「２回開放小当り図柄」の１種類だけである。ただし、これ以外に例えば「１回開放小当り図柄」や「３回開放小当り図柄」等の別の種類が用意されていてもよい。上記のように内部抽選の結果としての「小当り」は、その後の状態が「高確率状態」や「時間短縮状態」に変化する契機とはならないため、この種のパチンコ機で必須となる「２ラウンド（２回開放）以上」の規定にとらわれることなく、「１回開放小当り図柄」を設けることができる。
【０２７８】
ステップＳ２４０８：次に主制御ＣＰＵ７２は、小当り時変動パターン決定処理を実行する。この処理では、主制御ＣＰＵ７２は先のステップＳ２２００でシフトした変動パターン決定乱数に基づいて第１特別図柄又は第２特別図柄の変動パターン（変動時間と停止表示時間）を決定する（変動パターン選択手段）。また主制御ＣＰＵ７２は、決定した変動時間（小当り時の変動秒数）の値を変動タイマにセットし、停止表示時間の値を停止図柄表示タイマにセットする。なお、本実施形態では小当りの場合にリーチ変動パターンを選択することもできるし、はずれ通常変動時と同等の変動パターンを選択することもできる。
【０２７９】
ステップＳ２４０９：次に主制御ＣＰＵ７２は、小当り時その他設定処理を実行する。この処理では、主制御ＣＰＵ７２は小当り時停止図柄番号に基づき、第１特別図柄表示装置３４又は第２特別図柄表示装置３５による停止図柄（小当り図柄）の表示態様を決定する。合わせて主制御ＣＰＵ７２は、演出制御装置１２４に送信する停止図柄コマンド及び抽選結果コマンド（小当り時）を生成する。これら停止図柄コマンド及び抽選結果コマンドもまた、演出制御出力処理において演出制御装置１２４に送信される。
【０２８０】
ステップＳ２４１５：次に主制御ＣＰＵ７２は、特別図柄変動開始処理を実行する。この処理では、主制御ＣＰＵ７２は変動パターン番号（はずれ時／当り時）に基づいて変動パターンデータを選択する。合わせて主制御ＣＰＵ７２は、ＲＡＭ７６のフラグ領域に特別図柄の変動開始フラグをセットする。そして主制御ＣＰＵ７２は、演出制御装置１２４に送信する変動開始コマンドを生成する。この変動開始コマンドもまた、上記の演出制御出力処理において演出制御装置１２４に送信される。以上の手順を終えると、主制御ＣＰＵ７２は特別図柄変動中処理（ステップＳ３０００）を次のジャンプ先に設定し、特別図柄遊技処理に復帰する。
【０２８１】
〔図１３：特別図柄変動中処理，特別図柄停止表示中処理〕
特別図柄変動中処理では、上記のように主制御ＣＰＵ７２は変動タイマの値をレジスタからタイマカウンタにロードし、その後、時間の経過（クロックパルスのカウント数又は割込カウンタの値）に応じてタイマカウンタの値をデクリメントする。そして主制御ＣＰＵ７２は、タイマカウンタの値を参照しつつ、その値が０になるまで上記のように特別図柄の変動表示を制御する。そして、タイマカウンタの値が０になると、主制御ＣＰＵ７２は特別図柄停止表示中処理（ステップＳ４０００）を次のジャンプ先に設定する。
【０２８２】
また特別図柄停止表示中処理では、主制御ＣＰＵ７２は停止図柄決定処理（図１４中のステップＳ２４０４，ステップＳ２４０７，ステップＳ２４１０）で決定した停止図柄に基づいて特別図柄の停止表示を制御する。また主制御ＣＰＵ７２は、演出制御装置１２４に送信する図柄停止コマンドを生成する。図柄停止コマンドは、上記の演出制御出力処理において演出制御装置１２４に送信される。特別図柄停止表示中処理の中で停止図柄を所定時間にわたり表示させると、主制御ＣＰＵ７２は図柄変動中フラグを消去する。
【０２８３】
〔特別図柄記憶エリアシフト処理〕
図１９は、上記の特別図柄記憶エリアシフト処理の手順例を示すフローチャートである。先の特別図柄変動前処理において、第１特別図柄又は第２特別図柄に対応する作動記憶カウンタの値が「０」より大であった場合（図１４中のステップＳ２１００：Ｙｅｓ）、主制御ＣＰＵ７２はこの特別図柄記憶エリアシフト処理を実行する。以下、各手順に沿って説明する。
【０２８４】
ステップＳ２２１０：主制御ＣＰＵ７２は、乱数記憶領域を参照して、最も古い記憶が第１特別図柄に対応するものであるか否かを確認する。この確認は、ＲＡＭ７６の乱数記憶領域の第１セクションに、第１特別図柄に対応する乱数が記憶されているか否かを確認することにより実現することができる。このとき、最も古い記憶が第１特別図柄に対応するものでないことを確認した場合（Ｎｏ）、主制御ＣＰＵ７２は次にステップＳ２２１２に進む。
【０２８５】
ステップＳ２２１２：主制御ＣＰＵ７２は、対象特別図柄（変動の対象となる特別図柄）として第２特別図柄を指定する。この指定は、例えば対象図柄指定値として「０２Ｈ」をセットすることで行われる。
【０２８６】
ステップＳ２２１４：一方、最も古い記憶が第１特別図柄に対応するものであることを確認した場合（ステップＳ２２１０：Ｙｅｓ）、主制御ＣＰＵ７２は対象特別図柄として第１特別図柄を指定する。この場合の指定は、例えば対象図柄指定値として「０１Ｈ」をセットすることで行われる。
【０２８７】
ステップＳ２２１６：主制御ＣＰＵ７２はＲＡＭ７６の乱数記憶領域をシフトする。なお、具体的な処理の内容については、先の特別図柄変動前処理において既に述べたとおりである。
【０２８８】
ステップＳ２２１８：上記のステップＳ２２１２又はステップＳ２２１４のいずれかで指定した対象特別図柄について、主制御ＣＰＵ７２は作動記憶カウンタの値を減算する。例えば、今回の対象特別図柄が第２特別図柄であれば、主制御ＣＰＵ７２は第２特別図柄に対応する作動記憶カウンタの値を減算（−１）する。
【０２８９】
ステップＳ２２２０：そして主制御ＣＰＵ７２は、減算後の作動記憶カウンタの値から「変動開始時作動記憶数」を設定する。なお、ここでは第１特別図柄と第２特別図柄の両方について、作動記憶カウンタの値を加算した上で「変動開始時作動記憶数」を設定してもよい。ここで設定した「変動開始時作動記憶数（合計記憶数）」は、例えばこの後、はずれ時変動パターン決定処理（図１４中のステップＳ２４０５）において、非リーチ変動パターンを選択した場合に「不定値」の変動秒数を設定する際に参照することができる。
【０２９０】
ステップＳ２２２２：また主制御ＣＰＵ７２は、今回の記憶エリアをシフトする対象の特別図柄が第２特別図柄であるか否かを確認する。
ステップＳ２２２４：対象が第２特別図柄であった場合（ステップＳ２２２２：Ｙｅｓ）、主制御ＣＰＵ７２は第２特別図柄に関して作動記憶数減少時演出コマンドをセットする。ここでセットされる演出コマンドもまた、１ワード長のコマンドとして生成されるが、その構成は上述した「作動記憶数増加時演出コマンド」と対照的である。すなわち、作動記憶数減少時演出コマンドは、コマンド種別を表す上位バイトの先行値（例えば「ＢＣＨ」）に対して、減少後の作動記憶数を表す下位バイトの値（例えば「００Ｈ」〜「０３Ｈ」）を付加するとともに、下位バイトの値については、「消費に伴う作動記憶数の減少」を意味する加算値（例えば「１０Ｈ」）をさらに付加（論理和）したものである。したがって下位バイトについては、加算値「１０Ｈ」を論理和することでその第２の位が「１」となり、この値によって「作動記憶数の減少による結果（変化情報）」であることを表したものとなる。つまり、コマンドの下位バイトが「１３Ｈ」であれば、それは前回までの作動記憶数「４」（コマンド表記は「１４Ｈ」）が１つ減少した結果、今回の作動記憶数が「３」（コマンド表記は「１３Ｈ」）となったことを表している。同様に、下位バイトが「１２Ｈ」〜「１０Ｈ」であれば、それは前回までの作動記憶数「３」〜「１」（コマンド表記は「１３Ｈ」〜「１１Ｈ」）がそれぞれ１つ減少した結果、今回の作動記憶数が「２」〜「０」（コマンド表記は「１２Ｈ」〜「１０Ｈ」）となったことを表している。なお上記の先行値「ＢＣＨ」は、今回の演出コマンドが第２特別図柄についての作動記憶数コマンドであることを表す値である。
【０２９１】
ステップＳ２２２６：なお、今回の対象が第１特別図柄であった場合（ステップＳ２２２２：Ｎｏ）、主制御ＣＰＵ７２は第１特別図柄に関して作動記憶数減少時演出コマンドをセットする。この場合のコマンドは、先行値が第１特別図柄についての作動記憶数コマンドであることを表す値（例えば「ＢＢＨ」）となる以外は上記と同じである。
【０２９２】
ステップＳ２２２８：そして主制御ＣＰＵ７２は、演出コマンド出力処理を実行する。この処理は、先のステップＳ２２２４又はステップＳ２２２６でセットした作動記憶数減少時演出コマンドを演出制御装置１２４に対して送信するためのものである（記憶数通知手段）。
以上の手順を終えると、主制御ＣＰＵ７２は特別図柄変動前処理（図１４）に復帰する。
【０２９３】
〔特別図柄停止表示中処理〕
次に図２０は、特別図柄停止表示中処理の手順例を示すフローチャートである。以下、各手順に沿って説明する。
【０２９４】
ステップＳ４１００：主制御ＣＰＵ７２は、停止図柄表示タイマの値を減算（割込周期分だけデクリメント）する。
【０２９５】
ステップＳ４２００：そして主制御ＣＰＵ７２は、今回減算した停止図柄表示タイマの値に基づき、停止表示時間が終了したか否かを判断する。具体的には、停止図柄表示タイマの値が０以下でなければ、主制御ＣＰＵ７２は未だ停止表示時間が終了していないと判断する（Ｎｏ）。この場合、主制御ＣＰＵ７２は特別図柄遊技処理に復帰し、次の割込周期においても実行選択処理（図１３中のステップＳ１０００）からジャンプして特別図柄停止表示中処理を繰り返し実行する。
【０２９６】
これに対し、停止図柄表示タイマの値が０以下であれば、主制御ＣＰＵ７２は停止表示時間が終了したと判断する（Ｙｅｓ）。この場合、主制御ＣＰＵ７２は次にステップＳ４２５０を実行する。
【０２９７】
ステップＳ４２５０：主制御ＣＰＵ７２は、図柄停止コマンドを生成する。図柄停止コマンドは、上記の演出制御出力処理において演出制御装置１２４に送信される。また主制御ＣＰＵ７２は、ここで図柄変動中フラグを消去する。
【０２９８】
ステップＳ４３００：ここで主制御ＣＰＵ７２は、大当りフラグの値（０１Ｈ）がセットされているか否かを確認する。大当りフラグの値（０１Ｈ）がセットされている場合（Ｙｅｓ）、主制御ＣＰＵ７２は次にステップＳ４３５０を実行する。
【０２９９】
〔当選時〕
ステップＳ４３５０：主制御ＣＰＵ７２は、ジャンプテーブルのジャンプ先を「可変入賞装置管理処理」に設定する。
ステップＳ４３５５：また主制御ＣＰＵ７２は、回数切り機能作動時フラグをリセットする。これにより、大当り遊技開始前に変動時間短縮機能又は確率変動機能の少なくとも一方が作動していた場合、当該機能は非作動となる。
ステップＳ４４００：そして主制御ＣＰＵ７２は、制御上の内部状態フラグとして「大役開始（大当り遊技中）」をセットする。また合わせて主制御ＣＰＵ７２は、大当り中を表す状態コマンドを生成する。大当り中を表す状態コマンドは、上記の演出制御出力処理において演出制御装置１２４に送信される。
【０３００】
ステップＳ４５００：そして主制御ＣＰＵ７２は、連続作動回数コマンドを生成する。連続作動回数コマンドは、先の大当り時停止図柄決定処理（図１４中のステップＳ２４１０）で決定された大当り図柄の種類（停止図柄番号）に基づいて生成することができる。例えば、大当り図柄の種類がいずれかの「１６ラウンド確変図柄」であれば、連続作動回数コマンドは「１６ラウンド」を表す値（最大回数）として生成される。また「７ラウンド確変図柄」の場合、連続作動回数コマンドは「７ラウンド」を表す値として生成される。生成された連続作動回数コマンドは、上記の演出制御出力処理において演出制御装置１２４に送信される。
【０３０１】
大当り時に以上の手順を終えると、主制御ＣＰＵ７２は特別図柄遊技処理に復帰する。
【０３０２】
〔非当選時〕
これに対し、大当り時以外の場合は以下の手順が実行される。
すなわち主制御ＣＰＵ７２は、ステップＳ４３００において大当りフラグの値（０１Ｈ）がセットされていないと判断した場合（Ｎｏ）、次にステップＳ４６００を実行する。
【０３０３】
ステップＳ４６００：主制御ＣＰＵ７２は、次に小当りフラグの値（０１Ｈ）がセットされているか否かを確認する。そして小当りフラグの値（０１Ｈ）もセットされておらず、単純にはずれである場合（Ｎｏ）、主制御ＣＰＵ７２は次にステップＳ４６０２を実行する。
【０３０４】
ステップＳ４６０２：主制御ＣＰＵ７２は、ジャンプテーブルのジャンプ先アドレスとして特別図柄変動前処理のアドレスをセットする。
【０３０５】
ステップＳ４６０５：これに対し、小当りフラグの値（０１Ｈ）がセットされていた場合（ステップＳ４６００：Ｙｅｓ）、主制御ＣＰＵ７２はジャンプテーブルのジャンプ先アドレスとして可変入賞装置管理処理のアドレスをセットする。
【０３０６】
ステップＳ４６０６：そして主制御ＣＰＵ７２は、制御上の内部状態フラグとして「小当り開始（小当り中）」をセットする。また合わせて主制御ＣＰＵ７２は、小当り中を表す状態コマンドを生成する。小当り中を表す状態コマンドは、上記の演出制御出力処理において演出制御装置１２４に送信される。
【０３０７】
ステップ４６１０：次に主制御ＣＰＵ７２は、回数切りカウンタの値をロードする。「回数切りカウンタ」は、「高確率状態」や「時間短縮状態」においてそれぞれのカウンタ値がＲＡＭ７６の確変カウント領域、時短カウント領域にセットされている。なお、ここでは「回数切り」としているが、「高確率状態」の場合の回数切りカウンタの値は、極端に膨大な値（例えば１００００回以上）に設定することができる。このような膨大な値を設定することで、実質的に次回の当選が得られるまで「高確率状態」が継続することを確率的に保証することができる。なお、「高確率状態」ではなく単独の「時間短縮状態」だけである場合、回数切りカウンタは標準的な数値（例えば３０回、５０回、１００回等）に設定される。
【０３０８】
ステップＳ４６２０：主制御ＣＰＵ７２は、ロードしたカウンタ値が０であるか否かを確認する。このとき、既に回数切りカウンタ値が０であれば（Ｙｅｓ）、主制御ＣＰＵ７２は特別図柄遊技処理に復帰する。一方、回数切りカウンタ値が０でなかった場合（Ｎｏ）、回数切りカウンタ値コマンドを生成してから、主制御ＣＰＵ７２は次にステップＳ４６３０を実行する。
【０３０９】
ステップＳ４６３０：主制御ＣＰＵ７２は、回数切りカウンタ値をデクリメント（１減算）する。
ステップＳ４６４０：そして主制御ＣＰＵ７２は、その減算結果が０でないか否かを判断する。減算の結果、回数切りカウンタの値が０でなかった場合（Ｙｅｓ）、主制御ＣＰＵ７２は特別図柄遊技処理に復帰する。これに対し、回数切りカウンタの値が０になった場合（Ｎｏ）、主制御ＣＰＵ７２はステップＳ４６５０に進む。
【０３１０】
ステップＳ４６５０：ここで主制御ＣＰＵ７２は、回数切り機能作動時のフラグをリセットする。リセットされるのは、確率変動機能作動フラグ又は時間短縮機能作動フラグであるが、上記のように「高確率状態」で回数切りカウンタの値が０になることは実質的にはないため、実用上でリセットされるのは時間短縮機能作動フラグである。これにより、特別図柄の停止表示を経て時間短縮状態が終了する。以上の手順を終えると、特別図柄遊技処理に復帰する。
【０３１１】
〔表示出力管理処理〕
次に図２１は、割込管理処理の中で実行される表示出力管理処理（図８中のステップＳ２１０）の構成例を示すフローチャートである。表示出力管理処理は、特別図柄表示設定処理（ステップＳ１２００）、普通図柄表示設定処理（ステップＳ１２１０）、状態表示設定処理（ステップＳ１２２０）、作動記憶表示設定処理（ステップＳ１２３０）、連続作動回数表示設定処理（ステップＳ１２４０）のサブルーチン群を含む構成である。
【０３１２】
このうち特別図柄表示設定処理（ステップＳ１２００）と普通図柄表示設定処理（ステップＳ１２１０）、作動記憶表示設定処理（ステップＳ１２３０）、については、既に述べたように第１特別図柄表示装置３４、第２特別図柄表示装置３５、普通図柄表示装置３３、普通図柄作動記憶ランプ３３ａ、第１特別図柄作動記憶ランプ３４ａ及び第２特別図柄作動記憶数表示ランプ３５ａの各ＬＥＤに対して印加する駆動信号を生成及び出力する処理である。
【０３１３】
状態表示設定処理（ステップＳ１２２０）及び連続作動回数表示設定処理（ステップＳ１２４０）については、遊技状態表示装置３８の各ＬＥＤに対して印加する駆動信号を生成及び出力する処理である。先ず状態表示設定処理では、主制御ＣＰＵ７２は、確率変動機能作動フラグ又は時間短縮機能作動フラグの値に応じてそれぞれ確率変動状態表示ランプ３８ｃ、時短状態表示ランプ３８ｄの点灯を制御する。例えば、パチンコ機１の電源投入時において確率変動機能作動フラグに値（０１Ｈ）がセットされていれば、主制御ＣＰＵ７２は確率変動状態表示ランプ３８ｃに対応するＬＥＤに対して点灯信号を出力する。なお確率変動状態表示ランプ３８ｃは、この後に特別図柄の変動表示が行われると、確率変動機能作動フラグがセットされていても非表示に（消灯）切り替えられる。一方、時間短縮機能作動フラグに値（０１Ｈ）がセットされていれば、特に電源投入時であるか否かに関わらず、主制御ＣＰＵ７２は時短状態表示ランプ３８ｄに対応するＬＥＤに対して点灯信号を出力する。
【０３１４】
また主制御ＣＰＵ７２は、連続作動回数表示設定処理において大当り種別表示ランプ３８ａ，３８ｂの点灯を制御する。具体的には、主制御ＣＰＵ７２は上記の連続作動回数コマンドの値に基づき、大当り種別表示ランプ３８ａ，３８ｂのいずれかに対する点灯信号を出力する。このとき点灯信号を出力する対象となるのは、連続作動回数コマンドで指定された大当り図柄に対応するいずれかの表示ランプ３８ａ，３８ｂである。例えば、連続作動回数コマンドの値が「１６ラウンド」を指定するものであれば、主制御ＣＰＵ７２は「１６ラウンド（１６Ｒ）」を表すランプ３８ｂに対して点灯信号を出力する。また連続作動回数コマンドの値が「７ラウンド」を指定するものであれば、主制御ＣＰＵ７２は「７ラウンド（７Ｒ）」を表すランプ３８ａに対して点灯信号を出力する。
【０３１５】
〔可変入賞装置管理処理〕
次に、可変入賞装置管理処理の詳細について説明する。図２２は、可変入賞装置管理処理の構成例を示すフローチャートである。可変入賞装置管理処理は、遊技プロセス選択処理（ステップＳ５１００）、大入賞口開放パターン設定処理（ステップＳ５２００）、大入賞口開閉動作処理（ステップＳ５３００）、大入賞口閉鎖処理（ステップＳ５４００）、終了処理（ステップＳ５５００）のサブルーチン群を含む構成である。
【０３１６】
ステップＳ５１００：遊技プロセス選択処理において、主制御ＣＰＵ７２は次に実行するべき処理（ステップＳ５２００〜ステップＳ５５００のいずれか）のジャンプ先を選択する。すなわち主制御ＣＰＵ７２は、ジャンプテーブルから次に実行するべき処理のプログラムアドレスをジャンプ先のアドレスとして選択し、また戻り先のアドレスとして可変入賞装置管理処理の末尾をスタックポインタにセットする。いずれの処理を次のジャンプ先として選択するかは、これまでに行われた処理の進行状況によって異なる。例えば、未だ可変入賞装置３０の作動（開閉動作）を開始していない状況であれば、主制御ＣＰＵ７２は次のジャンプ先として大入賞口開放パターン設定処理（ステップＳ５２００）を選択する。一方、既に大入賞口開放パターン設定処理が完了していれば、主制御ＣＰＵ７２は次のジャンプ先として大入賞口開閉動作処理（ステップＳ５３００）を選択し、大入賞口開閉動作処理まで完了していれば、次のジャンプ先として大入賞口閉鎖処理（ステップＳ５４００）を選択する。また、設定された連続作動回数（ラウンド数）にわたって大入賞口開閉動作処理及び大入賞口閉鎖処理が繰り返し実行されると、主制御ＣＰＵ７２は次のジャンプ先として終了処理（ステップＳ５５００）を選択する。以下、それぞれの処理についてさらに詳しく説明する。
【０３１７】
〔大入賞口開放パターン設定処理〕
図２３は、大入賞口開放パターン設定処理の手順例を示すフローチャートである。この処理は、大当り時又は小当り時にそれぞれ可変入賞装置３０を開閉動作する回数や各開放の時間等の条件を設定するためのものである。以下、各手順に沿って説明する。
【０３１８】
ステップＳ５２０２：主制御ＣＰＵ７２は、現在の遊技状態が大役中、つまりＲＡＭ７６のフラグ領域に大当りフラグの値（０１Ｈ）がセットされているか否かを確認する。大当りフラグの値がセットされていれば（Ｙｅｓ）、主制御ＣＰＵ７２は次にステップＳ５２０４に進む。一方、大当りフラグの値がセットされていなければ（Ｎｏ）、主制御ＣＰＵ７２はステップＳ５２１２に進む。なお、この手順は小当りフラグの値を参照する内容に書き換えてもよい（ただしＹｅｓ／Ｎｏの論理は逆となる。）。
【０３１９】
〔大当り時の手順〕
先ず、大当り時の手順は以下となる。
ステップＳ５２０４：主制御ＣＰＵ７２は、図柄別開放パターン設定処理を実行する。この処理では、主制御ＣＰＵ７２は今回の該当する当選図柄に応じて大入賞口の開放パターン（ラウンドごとの開放回数及び各開放の時間）や閉鎖時間、ラウンド間のインターバル時間、１ラウンド中のカウント数（最大入賞回数）を設定する。なお当選図柄別の開放パターンについては、先の特別図柄遊技処理（図１３）において〔複数の当選種類〕の項目で説明した通りである。また閉鎖時間とラウンド間のインターバル時間の合計は、例えば「７ラウンド図柄」及び「１６ラウンド図柄」については数秒（例えば２秒〜２．５秒）程度に設定されるものとする。なお、１ラウンド中のカウント数（最大入賞回数）は全ての当選図柄について例えば９個であるが、極端な短時間（０．１秒程度）の開放中に入賞が発生することはほとんどない（不能ではないが極めて困難である）。
【０３２０】
ステップＳ５２０６：主制御ＣＰＵ７２は、先の大当り時停止図柄決定処理（図１４中のステップＳ２４１０）で選択した大当り時当選図柄に基づき、今回の大当り遊技における実行ラウンド数を設定する。具体的には、当選図柄として大分類の「１６ラウンド図柄」を選択していれば、主制御ＣＰＵ７２は実行ラウンド数を１６回に設定する。また、当選図柄として「７ラウンド図柄」を選択していれば、主制御ＣＰＵ７２は実行ラウンド数を７回に設定する。ここで設定した実行ラウンド数は、プログラム上で対応する値（７回なら「６」、１６回なら「１５」）として、例えばＲＡＭ７６のバッファ領域に格納される。
【０３２１】
ステップＳ５２０８：次に主制御ＣＰＵ７２は、先のステップＳ５２０４で設定した大入賞口開放パターンに基づき、大当り時開放タイマを設定する。ここで設定したタイマの値は、可変入賞装置３０を作動する際の１回あたりの開放時間となる。なお、大当り時開放タイマの値として２９．０秒程度が設定されていれば、その開放時間は１回の開放中に大入賞口への入賞が容易に発生する充分な時間（例えば発射制御基板セット１７４により遊技球が１０個以上発射される時間、好ましくは６秒以上）となる。一方、大当り開放タイマの値として０．１秒が設定されていれば、その開放時間は１回の開放中に大入賞口への入賞が不能ではなくとも、ほとんど発生しない（困難となる）短時間（例えば１秒より短い時間、好ましくは発射制御基板セット１７４による遊技球の発射間隔よりも短い時間）となる。
【０３２２】
ステップＳ５２１０：そして主制御ＣＰＵ７２は、先のステップＳ５２０４で設定した大入賞口開放パターンに基づき、大当り時インターバルタイマを設定する。ここで設定したタイマの値は、大当り中のラウンド間での待機時間となる。
【０３２３】
ステップＳ５２２０：以上の手順を終えると、主制御ＣＰＵ７２は次のジャンプ先を大入賞口開閉動作処理に設定し、可変入賞装置管理処理に復帰する。
【０３２４】
〔小当り時の手順〕
ステップＳ５２１２：一方、小当りの場合（ステップＳ５２０２：Ｎｏ）、主制御ＣＰＵ７２は、「小当り時開放パターン」を設定する。本実施形態の場合、「小当り時開放パターン」については、例えば１回目と２回目とでそれぞれ「０．１秒開放」の開放パターンが設定される。なお「小当り」については「ラウンド」という概念がないことから、「開放パターン」についても「１回目の開放」、「２回目の開放」といった表記となる。
【０３２５】
ステップＳ５２１４：主制御ＣＰＵ７２は、先のステップＳ５２１２で設定した大入賞口開放パターンに基づき、大入賞口の開放回数を例えば２回に設定する。ここで設定した開放回数は、例えばＲＡＭ７６のバッファ領域に格納される。
【０３２６】
ステップＳ５２１６：次に主制御ＣＰＵ７２は、小当り時開放タイマを設定する。ここで設定したタイマの値は、可変入賞装置３０を作動する際の１回あたりの開放時間となる。なお本実施形態では、上記のように小当り時開放タイマの値として０．１秒が設定されており、このような開放時間は１回の開放中に大入賞口への入賞がほとんど発生しない（困難となる）短時間（例えば１秒より短い時間、好ましくは発射装置ユニットによる遊技球の発射間隔よりも短い時間）となる。
【０３２７】
ステップＳ５２１８：主制御ＣＰＵ７２は、小当り時インターバルタイマを設定する。ここで設定したタイマの値は、小当り時に可変入賞装置３０を複数回にわたり開閉動作させる際の１回ごとの待機時間となるが、このタイマ値は例えば２秒程度に設定される。
【０３２８】
ステップＳ５２２０：小当り時に以上の手順を終えると、主制御ＣＰＵ７２は次のジャンプ先を大入賞口開閉動作処理に設定し、可変入賞装置管理処理に復帰する。そして主制御ＣＰＵ７２は、次に大入賞口開閉動作処理を実行する。
【０３２９】
〔大入賞口開閉動作処理〕
図２４は、大入賞口開閉動作処理の手順例を示すフローチャートである。この処理は主に、可変入賞装置３０の開閉動作を制御するためのものである。以下、手順に沿って説明する。
【０３３０】
ステップＳ５３０２：主制御ＣＰＵ７２は、大入賞口を開放させる。具体的には、大入賞口ソレノイド９０に対して印加する駆動信号を出力する。これにより、可変入賞装置３０が作動して閉止状態から開放状態に移行する。
【０３３１】
ステップＳ５３０４：次に主制御ＣＰＵ７２は、開放タイマカウントダウン処理を実行する。この処理では、先の大入賞口開放パターン設定処理（図２３中のステップＳ５２０８又はステップＳ５２１６）で設定した開放タイマのカウントダウンを実行する。
【０３３２】
ステップＳ５３０６：続いて主制御ＣＰＵ７２は、開放時間が終了したか否かを確認する。具体的には、カウントダウン処理後の開放タイマの値が０以下であるか否かを確認し、未だ開放タイマの値が０以下になっていなければ（Ｎｏ）、主制御ＣＰＵ７２は次にステップＳ５３０８を実行する。
【０３３３】
ステップＳ５３０８：主制御ＣＰＵ７２は、入賞球数カウント処理を実行する。この処理では、開放時間内に可変入賞装置３０（開放中の大入賞口）に入賞した遊技球の個数をカウントする。具体的には、主制御ＣＰＵ７２は開放時間内にカウントスイッチ８４から入力された入賞検出信号に基づいて、カウント数の値をインクリメントする。
【０３３４】
ステップＳ５３１０：次に主制御ＣＰＵ７２は、現在のカウント数が所定数（９個）未満であるか否かを確認する。この所定数は、上記のように開放１回（大当り中の１ラウンド、小当り時の１回）あたりに許容する入賞球数の上限（賞球数の上限）を定めたものである。未だカウント数が所定数に達していなければ（Ｙｅｓ）、主制御ＣＰＵ７２は可変入賞装置管理処理に復帰する。そして、次に可変入賞装置管理処理を実行すると、現段階ではジャンプ先が大入賞口開閉動作処理に設定されているので、主制御ＣＰＵ７２は上記のステップＳ５３０２〜ステップＳ５３１０の手順を繰り返し実行する。
【０３３５】
上記のステップＳ５３０６で開放時間が終了したと判断するか（Ｙｅｓ）、もしくはステップＳ５３１０でカウント数が所定数に達したことを確認すると（Ｎｏ）、主制御ＣＰＵ７２は次にステップＳ５３１２を実行する。なお、小当り時の開放は、開放タイマの値が短時間に設定されているので、通常、主制御ＣＰＵ７２はステップＳ５３１０でカウント数が所定数に達したことを確認するより先に、ステップＳ５３０６で開放時間が終了したと判断する場合がほとんどである。
【０３３６】
ステップＳ５３１２：主制御ＣＰＵ７２は、大入賞口を閉止させる。具体的には、大入賞口ソレノイド９０に印加していた駆動信号の出力を停止する。これにより、可変入賞装置３０が開放状態から閉止状態に復帰する。
【０３３７】
ステップＳ５３１４：次に主制御ＣＰＵ７２は、インターバル待機処理を実行する。この処理では、主制御ＣＰＵ７２は上記の大入賞口開放パターン設定処理（図２３中のステップＳ５２１０又はステップＳ５２１８）で設定したインターバルタイマのカウントダウンを実行する。そして、インターバルタイマの値が０以下になると、次に主制御ＣＰＵ７２はステップＳ５３１６に進む。
【０３３８】
ステップＳ５３１６：主制御ＣＰＵ７２は、大役中（大当り遊技中）であるか否かを確認する。現在の遊技が大役中であれば（Ｙｅｓ）、主制御ＣＰＵ７２は次にステップＳ５３１８を実行する。これに対し、現在の遊技が小当りであれば（Ｎｏ）、主制御ＣＰＵ７２は次にステップＳ５３２２に進む。
【０３３９】
ステップＳ５３１８：主制御ＣＰＵ７２は、開放回数カウンタの値をインクリメントする。なお、開放回数カウンタの値は、例えば初期値を０としてＲＡＭ７６のカウント領域に記憶されている。
【０３４０】
ステップＳ５３２０：主制御ＣＰＵ７２は、インクリメント後の開放回数カウンタの値が現ラウンド内で設定した回数に達しているか否かを確認する。ここで、「現ラウンド内で設定した回数」を判断しているのは、例えば「大当り中の１ラウンド内で可変入賞装置３０を複数回にわたり開放動作させる」という開放パターンに対応するためである。なお本実施形態では、特にこのような開放パターンを採用していないので、「現ラウンド内で設定した回数」は、各ラウンドで１回ずつに設定されている。したがって、通常は１回の開閉動作でカウンタ値が設定した回数に達するため（Ｙｅｓ）、主制御ＣＰＵ７２は次にステップＳ５３２２に進むことになる。
【０３４１】
なお、上記のように１ラウンド内で複数回の開閉動作を繰り返すパターンを採用した場合、１回の開放終了時に未だカウンタ値が設定した回数に達していないことになる（Ｎｏ）。この場合、主制御ＣＰＵ７２は可変入賞装置管理処理に復帰すると、現段階ではジャンプ先が大入賞口開閉動作処理に設定されているので、上記のステップＳ５３０２〜ステップＳ５３２０までの手順を繰り返し実行する。その結果、ステップＳ５３１８で開放回数カウンタのインクリメントが進み、そして、カウンタ値が設定した回数に達すると（Ｙｅｓ）、主制御ＣＰＵ７２は次にステップＳ５３２２に進むことになる。
【０３４２】
ステップＳ５３２２：主制御ＣＰＵ７２は次のジャンプ先を大入賞口閉鎖処理に設定し、可変入賞装置管理処理に復帰する。そして、次に可変入賞装置管理処理を実行すると、主制御ＣＰＵ７２は次に大入賞口閉鎖処理を実行する。
【０３４３】
〔大入賞口閉鎖処理〕
図２５は、大入賞口閉鎖処理の手順例を示すフローチャートである。この大入賞口閉鎖処理は、可変入賞装置３０の作動を継続したり、その作動を終了したりするためのものである。以下、手順に沿って説明する。
【０３４４】
ステップＳ５４０１：先ず主制御ＣＰＵ７２は、現在の遊技が大役（大当り遊技）中であるか否かを確認し、大役中であれば（Ｙｅｓ）、主制御ＣＰＵ７２は次にステップＳ５４０２を実行する。
【０３４５】
ステップＳ５４０２：主制御ＣＰＵ７２は、上記のラウンド数カウンタをインクリメントする。これにより、例えば１ラウンド目が終了し、２ラウンド目に向かう段階でラウンド数カウンタの値は「１」となっている。
【０３４６】
ステップＳ５４０４：主制御ＣＰＵ７２は、インクリメント後のラウンド数カウンタの値が設定した実行ラウンド数に達しているか否かを確認する。具体的には、主制御ＣＰＵ７２はインクリメント後のラウンド数カウンタの値（１〜１６）を参照し、その値が設定した実行ラウンド数（１減算後の１〜１６）未満であれば（Ｎｏ）、次にステップＳ５４０５を実行する。
【０３４７】
ステップＳ５４０５：主制御ＣＰＵ７２は、現在のラウンド数カウンタの値からラウンド数コマンドを生成する。このコマンドは、上記のように演出制御出力処理において演出制御装置１２４に送信されるものである。演出制御装置１２４は、受信したラウンド数コマンドに基づいて現在のラウンド数を確認することができる。
【０３４８】
ステップＳ５４０６：主制御ＣＰＵ７２は、次のジャンプ先を大入賞口開閉動作処理に設定する。
【０３４９】
ステップＳ５４０８：そして主制御ＣＰＵ７２は、入賞球数カウンタをリセットし、可変入賞装置管理処理に復帰する。
【０３５０】
主制御ＣＰＵ７２が次に可変入賞装置管理処理を実行すると、遊技プロセス選択処理（図２２中のステップＳ５１００）で主制御ＣＰＵ７２は次のジャンプ先である大入賞口開閉動作処理を実行する。そして、大入賞口開閉動作処理の実行後は大入賞口閉鎖処理の実行を経て、主制御ＣＰＵ７２は再び大入賞口閉鎖処理を実行し、上記のステップＳ５４０２〜ステップＳ５４０８を繰り返し実行する。これにより、実際のラウンド数が設定した実行ラウンド数（７回又は１６回）に達するまでの間、可変入賞装置３０の開閉動作が連続して実行される。
【０３５１】
実際のラウンド数が設定した実行ラウンド数に達した場合（ステップＳ５４０４：Ｙｅｓ）、主制御ＣＰＵ７２は次にステップＳ５４１０を実行する。
【０３５２】
ステップＳ５４１０，ステップＳ５４１２：この場合、主制御ＣＰＵ７２はラウンド数カウンタをリセット（＝０）すると、次のジャンプ先を終了処理に設定する。
【０３５３】
ステップＳ５４０８：そして主制御ＣＰＵ７２は、入賞球数カウンタをリセットし、可変入賞装置管理処理に復帰する。これにより、次に主制御ＣＰＵ７２が可変入賞装置管理処理を実行すると、今度は終了処理が選択されることになる。
【０３５４】
〔小当り時〕
これに対し、小当りの場合は以下の手順となる（特例作動実行手段）。
ステップＳ５４１１：主制御ＣＰＵ７２は現在の遊技が大役中でないことを確認すると（ステップＳ５４０１：Ｎｏ）、開放回数カウンタの値をインクリメントする。
【０３５５】
ステップＳ５４１３：次に主制御ＣＰＵ７２は、インクリメント後の開放回数カウンタの値が設定した開放回数に達したか否かを確認する。開放回数は、先の大入賞口開放パターン設定処理（図２３中のステップＳ５２１４）で設定したものである。未だ開放回数カウンタの値が設定した開放回数に達していなければ（Ｎｏ）、主制御ＣＰＵ７２はステップＳ５４１６を実行する。
【０３５６】
ステップＳ５４１６：主制御ＣＰＵ７２は、次のジャンプ先を大入賞口開閉動作処理に設定する。
ステップＳ５４０８：そして主制御ＣＰＵ７２は、入賞球数カウンタをリセットし、可変入賞装置管理処理に復帰する。
【０３５７】
主制御ＣＰＵ７２が次に可変入賞装置管理処理を実行すると、遊技プロセス選択処理（図２２中のステップＳ５１００）で主制御ＣＰＵ７２は次のジャンプ先である大入賞口開閉動作処理を実行する。そして、大入賞口開閉動作処理の実行後は大入賞口閉鎖処理の実行を経て、主制御ＣＰＵ７２は再び大入賞口閉鎖処理を実行し、上記のステップＳ５４０１〜ステップＳ５４１３（Ｎｏ）を経てステップＳ５４１６、ステップＳ５４０８を繰り返し実行する。これにより、実際の開放回数が設定した開放回数（２回）に達するまでの間、可変入賞装置３０の開閉動作が繰り返し実行される。
【０３５８】
小当り時の実際の開放回数が設定した開放回数に達した場合（ステップＳ５４１３：Ｙｅｓ）、主制御ＣＰＵ７２は次にステップＳ５４１４を実行する。
【０３５９】
ステップＳ５４１４，ステップＳ５４１２：この場合、主制御ＣＰＵ７２は開放回数カウンタをリセット（＝０）すると、次のジャンプ先を終了処理に設定する。
【０３６０】
ステップＳ５４０８：そして主制御ＣＰＵ７２は、入賞球数カウンタをリセットし、可変入賞装置管理処理に復帰する。これにより、次に主制御ＣＰＵ７２が可変入賞装置管理処理を実行すると、今度は終了処理が選択されることになる。
【０３６１】
〔終了処理〕
図２６は、終了処理の手順例を示すフローチャートである。この終了処理は、可変入賞装置３０の作動を終了する際の条件を整えるためのものである。以下、手順例に沿って説明する。
【０３６２】
ステップＳ５５０２：主制御ＣＰＵ７２は、大当りフラグの値（０１Ｈ）がセットされているか否かを確認し、大当りフラグの値がセットされていれば（Ｙｅｓ）、主制御ＣＰＵ７２は次にステップＳ５５０３を実行する。
【０３６３】
ステップＳ５５０３，ステップＳ５５０４：この場合、主制御ＣＰＵ７２は大当りフラグをリセット（００Ｈ）する。これにより、主制御ＣＰＵ７２の制御処理上で大当り遊技状態は終了する。また主制御ＣＰＵ７２は、ここで内部状態フラグから「大当り中」を消去し、制御処理上で内部状態としての大役終了を宣言する。
【０３６４】
ステップＳ５５０５：また主制御ＣＰＵ７２は、ここで連続作動回数コマンドを消去する。
ステップＳ５５０６：次に主制御ＣＰＵ７２は、確率変動機能作動フラグの値（０１Ｈ）がセットされているか否かを確認する。このフラグは、先の特別図柄変動前処理中の大当り時その他設定処理（図１４中のステップＳ２４１４）でセットされるものである。
【０３６５】
ステップＳ５５０７：確率変動機能作動フラグの値がセットされている場合（ステップＳ５５０６：Ｙｅｓ）、主制御ＣＰＵ７２は確率変動機能に対応する回数切り機能作動時フラグをセットする。
【０３６６】
ステップＳ５５０８：そして主制御ＣＰＵ７２は、確率変動回数（例えば１００００回程度）を設定する。設定した確率変動回数の値は、例えばＲＡＭ７６の確変カウンタ領域に格納されて上記の回数切りカウンタ値となる。ここで設定した確率変動回数は、これ以降の遊技で特別図柄の変動（内部抽選）を高確率状態で行う上限回数となる。ただし、上記のように１００００回程度の膨大な回数を設定した場合、そこまで非当選が続くことは確率的にほとんどないので（高確率時の当選確率が例えば２０分の１〜３９分の１程度）、実質的には次回の当選まで高確率状態が続くことになる。これとは逆に、高確率状態に実質的な上限を設ける場合、確率変動回数は現実的な回数（例えば１０回程度）に設定される（いわゆる回数切り確変）。なお、確率変動機能作動フラグの値がセットされていなければ（ステップＳ５５０６：Ｎｏ）、主制御ＣＰＵ７２はステップＳ５５０７，Ｓ５５０８を実行しない。
【０３６７】
ステップＳ５５１０：次に主制御ＣＰＵ７２は、時間短縮機能作動フラグの値（０１Ｈ）がセットされているか否かを確認する。このフラグもまた、先の特別図柄変動前処理中の大当り時その他設定処理（図１４中のステップＳ２４１４）でセットされるものである。
【０３６８】
ステップＳ５５１１：変動時間短縮機能作動フラグの値がセットされている場合（ステップＳ５５１０：Ｙｅｓ）、主制御ＣＰＵ７２は変動時間短縮機能に対応する回数切り機能作動時フラグをセットする。
【０３６９】
ステップＳ５５１２：そして、主制御ＣＰＵ７２は時間短縮回数（例えば１００回程度又は１００００回程度）を設定する。設定した時間短縮回数の値は、上記のようにＲＡＭ７６の時短カウント領域に格納される。ここで設定した時間短縮回数は、これ以降の遊技で特別図柄の変動時間を短縮化する上限回数となる。なお、時間短縮機能作動フラグの値がセットされていなければ（ステップＳ５５１０：Ｎｏ）、主制御ＣＰＵ７２はステップＳ５５１１，Ｓ５５１２を実行しない。
【０３７０】
ステップＳ５５１４：そして主制御ＣＰＵ７２は、各種のフラグに基づいて状態指定コマンドを生成する。具体的には、大当りフラグのリセット又は大役終了に伴い、遊技状態として「通常中」を表す状態指定コマンドを生成する。また、高確率状態機能作動フラグがセットされていれば、内部状態として「高確率中」を表す状態指定コマンドを生成し、時間短縮機能作動フラグがセットされていれば、内部状態として「時間短縮中」を表す状態指定コマンドを生成する。これら状態指定コマンドは、演出制御出力処理において演出制御装置１２４に送信される。
【０３７１】
ここまでの手順は大当りの場合であるが、小当りの場合（ステップＳ５５０２：Ｎｏ）は以下の手順が実行される。
【０３７２】
ステップＳ５５２０，ステップＳ５５２２：小当りの場合、主制御ＣＰＵ７２は小当りフラグの値をリセット（００Ｈ）し、また内部状態フラグから「小当り中」を消去する。なお小当りの場合、特に内部的な条件装置は作動しないため、このような手順は単にフラグの消去を目的としたものである。
【０３７３】
ステップＳ５５１６：いずれにしても、以上の手順を経ると主制御ＣＰＵ７２は次のジャンプ先を大入賞口開放パターン設定処理に設定する。
【０３７４】
ステップＳ５５１８：そして主制御ＣＰＵ７２は、特別図柄遊技処理の中の実行選択処理（図１３中のステップＳ１０００）でのジャンプ先を特別図柄変動前処理に設定する。以上の手順を終えると、主制御ＣＰＵ７２は可変入賞装置管理処理に復帰する。
【０３７５】
〔ゲームフロー〕
図２７は、パチンコ機１において展開されるゲームフローについて説明する図である。
一般的にパチンコ機１で遊技を開始する場合、〔Ｆ１〕通常状態から遊技が開始される。「通常状態」は「非時間短縮状態」であり、特別図柄に対応する抽選（内部抽選）の当選確率は、基本的には低確率（低確率状態）である。ただし、〔Ｆ１２〕祭りゾーンから〔Ｆ１〕通常状態に移行された場合は、特別図柄に対応する抽選の当選確率が高確率となっている場合もある。
【０３７６】
〔Ｆ１〕通常状態では、演出上で「昼ステージ」又は「夜ステージ」を行き来することによりゲームが進行していく。これら「昼ステージ」や「夜ステージ」は、いずれも演出上で現在滞在している場面やシチュエーションを象徴している。例えば、「昼ステージ」は演出上で現在の時間帯が昼間であることを表現している。また「夜ステージ」は、演出上で現在の時間帯が夜間であることを表現している。なお、ここでは２つのステージを例に挙げているが、これ以外に演出上のステージ（例えば「夕方ステージ」、「上空ステージ」、「異次元ステージ」等）が設けられていてもよい。
【０３７７】
〔Ｆ１〕通常状態で行われた抽選で〔Ｆ２〕１６ラウンド確変大当り１に当選すると、〔Ｆ３〕１６ラウンド大当り遊技が行われる（スペシャルボーナス）。大当り遊技中は、１６ラウンド確変大当り専用の演出が実行される。
【０３７８】
〔Ｆ３〕１６ラウンド大当り遊技の終了後、ゲームフローは演出上の〔Ｆ４〕花火モードに移行する。この「花火モード」は、特別図柄に対応する抽選の当選確率が高確率（高確率状態）であり、かつ、時間短縮状態（いわゆる電チューサポート状態）であることを意味する。〔Ｆ４〕花火モード中も第２特別図柄の変動が優先して行われることから、そこでの当選種類は基本的に〔Ｆ５〕１６ラウンド通常大当り１〜３、〔Ｆ８〕１６ラウンド確変大当り１，２のいずれかとなる。なお、第２特別図柄に対応する作動記憶数が０になり、第１特別図柄が変動して大当りになる場合もあり得るが、ここでは便宜上、第１特別図柄が変動するパターンを想定しない。
【０３７９】
〔Ｆ４〕花火モードにて、〔Ｆ５〕１６ラウンド通常大当り１〜３に当選すると、〔Ｆ６〕１６ラウンド大当り遊技が行われる。この場合、大当り遊技中の演出上で「ゴルフチャンス失敗」となり、ゲームフローが演出上の〔Ｆ７〕海岸モードに移行する。
【０３８０】
「海岸モード」は、特別図柄に対応する抽選の当選確率が低確率（低確率状態）であり、かつ、「時間短縮状態」である。「海岸モード」にて所定の変動回数（例えば３０回、５０回、１００回の変動回数）が経過すると、〔Ｆ１〕通常状態に移行する。
【０３８１】
〔Ｆ７〕海岸モードでは、上述した時間短縮機能の作動により可変始動入賞装置２８が高頻度で作動し、〔Ｆ１〕通常状態に比較して下始動入賞口２８ａへの入賞が高頻度で発生する。このため、〔Ｆ７〕海岸モード中は第２特別図柄の変動が優先して行われることから、そこでの当選種類は基本的に〔Ｆ１４〕１６ラウンド通常大当り１〜３、〔Ｆ１５〕１６ラウンド確変大当り１又は２となる。なお、第２特別図柄に対応する作動記憶数が０になり、第１特別図柄が変動して大当りになる場合もあり得るが、ここでは便宜上、第１特別図柄が変動するパターンを想定しない。
【０３８２】
〔Ｆ７〕海岸モード中に当選すると、〔Ｆ１４〕１６ラウンド通常大当り１〜３、〔Ｆ１５〕１６ラウンド確変大当り１又は２のいずれに該当した場合も〔Ｆ６〕１６ラウンド大当り遊技が行われる（ゴルフチャンス演出）。
【０３８３】
〔Ｆ７〕海岸モードから〔Ｆ１４〕１６ラウンド通常大当り１〜３に該当すると、大当り遊技中に行われる演出で「ゴルフチャンス失敗」となり、大当り後は〔Ｆ７〕海岸モードに復帰する。
【０３８４】
これに対し、〔Ｆ７〕海岸モードから〔Ｆ１５〕１６ラウンド確変大当り１又は２に該当した場合、大当り遊技中の演出で「ゴルフチャンス成功」となり、大当り遊技終了後は〔Ｆ４〕花火モードに復帰（再突入）する。
【０３８５】
以後は、〔Ｆ４〕花火モードから〔Ｆ８〕１６ラウンド確変大当り１又は２に当選し続けることで、〔Ｆ６〕１６ラウンド大当り遊技が行われ（ゴルフチャンス成功）、前回の大当り遊技中の演出で用いられたホールから次のホール（例えば２番ホールから３番ホール等）に進む権利が遊技者に与えられる。
【０３８６】
上記とは別に、例えば図２７中に破線で示されているように、〔Ｆ４〕花火モードから〔Ｆ９〕１６ラウンド確変大当り１に当選すると、〔Ｆ３〕１６ラウンド大当り遊技が行われ（スペシャルボーナス）、また〔Ｆ４〕花火モードが継続するという流れであってもよい。
【０３８７】
一方、〔Ｆ１〕通常状態にて、〔Ｆ１０〕７ラウンド確変大当り２、又は、７ラウンド通常大当り１〜３に当選すると、〔Ｆ１１〕７ラウンド大当り遊技が行われ（ダーツチャンス失敗）、〔Ｆ１２〕祭りゾーンに移行される。「祭りゾーン」は、「７ラウンド確変大当り２」に当選した場合は特別図柄抽選の当選確率が高確率となり、「７ラウンド通常大当り１〜３」に当選した場合は特別図柄抽選の当選確率が低確率となる。また「祭りゾーン」は、「非時間短縮状態」である。「祭りゾーン」にて所定の変動回数（例えば４０回の変動回数）が経過すると、〔Ｆ１〕通常状態に移行する。ただし、特別図柄抽選の当選確率は維持されたまま〔Ｆ１〕通常状態に移行されるため、内部的に「高確率状態」のまま〔Ｆ１〕通常状態に移行される場合もある。
【０３８８】
また、〔Ｆ１〕通常状態にて、〔Ｆ１３〕７ラウンド確変大当り１に当選すると、〔Ｆ１１〕７ラウンド大当り遊技が行われ（ダーツチャンス成功）、〔Ｆ４〕花火モードに移行される。
【０３８９】
〔ポイントの付与〕
ここで、本実施形態のパチンコ機１は、実際に遊技が行われたことに対する成果として遊技得点としてのポイントを加算し、その集計結果を遊技者に情報として付与することができる。ポイントの加算は、例えば以下の遊技内容（結果）に対して行われる。
（１）第１特別図柄又は第２特別図柄の変動が行われたこと。
（２）変動時に特定の演出（リーチ演出等）が発生したこと。
（３）大当りが得られたこと。
（４）大当りが複数回（例えば１０回）連続して得られたこと。
（５）変動回数が特定の回数（例えば４００回、５００回等）に達したこと。
（６）獲得賞球数が特定個数（例えば５０００個、１５０００個、２００００個等）に達したこと。
（７）特定の状態（例えば「花火モード」、「海岸モード」）から大当りしたこと。
なお、これらはあくまで例示であり、その他の遊技内容や結果に対してポイントが加算される態様であってもよい。
【０３９０】
上記のように本実施形態では、複数種類の遊技内容や結果に対してポイントを加算し、これを集計した結果を遊技者個人別の遊技成果としてパチンコ機１が記録することができる。このように、遊技中に加算されたポイントを個人別の遊技成果として記録する機能をパチンコ機１に搭載することで、パチンコ遊技とは別の面白味や遊技性を付加し、興趣の低下を抑えることに寄与することができる。
【０３９１】
〔パスワードによる管理〕
ポイント集計結果等の遊技成果は個人別に達成した記録であるため、これを遊技者個人別に管理することが望ましい。このため本実施形態では、遊技者個人別のパスワード（個別情報）を用意し、これをパチンコ機１に入力することを可能としている。例えば、遊技開始前（途中でもよい）にパチンコ機１にパスワードが入力されると、遊技終了後や遊技の区切り時には、先に入力されたパスワードとこれまでの遊技成果とを関連付けた情報を出力する機能がパチンコ機１に搭載されている。出力される情報は、例えば二次元コード等の符号化された情報であり、これには一般的に普及しているＱＲコード（登録商標）を用いることができる。二次元コードは、カメラ付き携帯端末等のデバイスで容易に読み取り、その内容を復号することができる。
【０３９２】
遊技用のパスワードは、様々な経路を通じて遊技者に付与することができる。上述した先行技術では、事業者が設置したサーバでパスワードを発行し、通信回線を通じて遊技者別の端末機器にこれを通知している。本実施形態でも、先行技術と同様の手法を用いることができる。また新規に発行されるパスワードについては、パチンコ機１から付与できることとしてもよい。
【０３９３】
〔パスワードの入力〕
図２８及び図２９は、パチンコ機１によりパスワードの入力が受け付けられる態様を示した図である。パチンコ機１へのパスワードの入力は、遊技者の操作に基づいて行われる。
【０３９４】
〔パスワード入力案内用画面の表示〕
先ず図２８に示されているように、遊技開始前において液晶表示器４２には以下のプロセスを経て画面にパスワード入力案内が表示される。
図２８中（Ａ）：例えば、前回の内部抽選においてはずれ（非当選）となり、第１特別図柄表示装置３４（第２特別図柄表示装置３５でもよい）により第１特別図柄が非当選を表す態様で停止表示されている場合、あるいはパチンコ機１においてその営業日の最初に遊技を開始する場合（いわゆる電源投入後、朝一の状態）を想定する。このとき液晶表示器４２の画面上では、非当選の結果を表す態様で停止表示演出（結果表示演出としてもよい）が行われている。
【０３９５】
演出図柄には、例えば左演出図柄、中演出図柄、右演出図柄の３つが含まれており、これらは液晶表示器４２の表示画面上で左・中・右に並んで表示される。このうち、左演出図柄と右演出図柄については、それぞれ表示画面の左領域と右領域に比較的大きいサイズで表示されているが、中演出図柄は表示画面の中領域に比較的小さいサイズで表示されている。
【０３９６】
各演出図柄は、例えば数字の「１」〜「７」とともにキャラクターが付された絵札をデザインしたものとなっている。なお、左・中・右の演出図柄については、いずれも数字が「７」〜「１」の降順に並んだ図柄列を潜在的に構成している。このような図柄列は、画面上の左領域・中領域・右領域でそれぞれ縦方向に流れる（スクロールする）ようにして変動表示されるが、停止表示時には図柄列中で１つの演出図柄（図２８の例では「３」−「４」−「７」）が表示画面に表示される。
【０３９７】
図２８には示されていないが、表示画面には上記の「昼ステージ」又は「夜ステージ」に対応する背景画像が表示されている。演出図柄は背景画像の手前に重なるようにして表示されるが、変動表示中（スクロール中）は演出図柄全体が透けた（透過）状態で表示されるため、背景画像の視認性が向上する。これにより、遊技者に対して演出上の滞在ステージを明確に認識させることができる。
【０３９８】
〔作動記憶表示マーカ〕
表示画面の下部分には、作動記憶の存在を表すマーカ画像を表示するための領域が帯状に形成されている。第１特別図柄及び第２特別図柄に対応する作動記憶はそれぞれ遊技中に４個まで蓄積可能であるため、図中に波線の円（参照符号なし）を並べて示すように、画面下部の帯状領域にはマーカ画像を最大で８個まで並べて表示可能となっている。遊技中に作動記憶が発生すると、その存在を表すマーカ画像が帯状領域に表示される。マーカ画像は、例えば左から記憶の古い順に並べて表示され、新しく追加された作動記憶に対応するマーカ画像は、帯状領域の右側に順次追加して表示される。
【０３９９】
〔当該変動中領域〕
また、表示画面下部の左隅位置には当該変動中領域ＨＡが形成されている。この当該変動中領域ＨＡには、今回の変動で消費された作動記憶に対応するマーカ画像が一定時間に表示されるものとなっている。作動記憶が次の変動開始によって消費されると、帯状領域の左端（先頭）に表示されているマーカ画像が当該変動中領域ＨＡに移動し、そこで一定時間（例えば１〜２秒程度）表示される。また、帯状領域にマーカ画像が残っていれば、左端のマーカ画像が抜けた後を詰めるようにマーカ画像を順次左側に移動（シフト）させる表示が行われる。なお当該変動中領域ＨＡにマーカ画像が表示されて一定時間が経過するか、もしくは第１特別図柄又は第２特別図柄が変動中でない場合、図示のように当該変動中領域ＨＡはグレイアウト表示されている。
【０４００】
〔情報表示領域〕
一方、表示画面下部の右隅位置には、情報表示領域ＤＡが形成されている。この情報表示領域ＤＡには、遊技中に加算されたポイントの累計や、入力されたパスワードに付随する何らかの個別情報（例えばプレイヤーレベル等）が表示されるものとなっている。パチンコ機１にパスワードが入力される前は、情報表示領域ＤＡはブランクの状態で表示されている。なお、特にパスワードが入力されない場合、情報表示領域ＤＡそのものを非表示としてもよい。
【０４０１】
その他、表示画面の右上隅位置には、第１特別図柄及び第２特別図柄にそれぞれ対応する第４図柄Ｚ１，Ｚ２が表示されている。これら第４図柄Ｚ１，Ｚ２は、左・中・右の３つの演出図柄に続く「第４の演出図柄」であり、演出図柄の変動表示中はこれに同期して変動表示されている。なお第４図柄Ｚ１，Ｚ２は、単純なマーク（例えば「□」の図形）に色彩を付しただけのものであり、例えばその表示色を変化させることで変動表示を表現することができる。
【０４０２】
また第４図柄Ｚ１，Ｚ２については、はずれに対応する態様（例えば白表示色）で停止表示されている。これは、停止表示演出が正しく行われており、パチンコ機１が正常に動作しているということを客観的に明らかにするためのものである。したがって、「はずれ」ではなく、実際に内部抽選の結果が「７ラウンド大当り」や「１６ラウンド大当り」であれば、それらに対応する態様（例えば赤表示色や緑色表示色等）で第４図柄Ｚ１，Ｚ２は停止表示される。
【０４０３】
図２８中（Ｂ）：現状で遊技者による遊技が行われていない場合、特別図柄作動記憶数は既に０個であり、対応するマーカ画像は全て非表示（表示数０）となっている。この状態で、第１特別図柄及び第２特別図柄の停止表示中状態で、上始動入賞口２６又は下始動入賞口２８ａへの入賞、つまり新たな抽選契機が発生しなければ、次に特別図柄の変動表示を開始する条件は満たされないため、そのまましばらくの間は表示画面上で目立った変化が生じることはない。したがってこの場合、前回の変動に対応した停止表示演出が表示されたままとなる。
【０４０４】
〔パスワード入力案内の表示〕
図２８中（Ｃ）：新たな抽選契機が発生しない状態が所定時間（例えば５〜１０秒程度）にわたり継続すると、例えば表示画面の中央下部寄り位置にパスワード入力案内用の画像が表示される。パスワード入力案内用の画像は、例えば演出切替ボタン４５を表す画像とともに、その周辺に「勝つん打！」の文字情報をあしらった吹き出し画像が表示される。なお「勝つん打！」は、事前の広告やパンフレット等の配布物により遊技者に知らされたサービスの名称である。この「勝つん打！」というサービスは、遊技者が自己の携帯端末等を用いてインターネット上のサーバ（特定のＵＲＬ）にアクセスし、個人別の情報を入力することで利用可能となる。遊技者は「勝つん打！」のサービスを通じて、自己が行った遊技内容に対して加算されたポイントの集計結果を記録したり、それまでに蓄積されたポイントを引き継いでパスワードの発行を要求したりすることができる。
【０４０５】
なお、特に図示していないが、「勝つん打！」のパスワード入力案内が表示された状態で、特に遊技が行われることなくある程度の時間（例えば１分間程度）が経過すると、液晶表示器４２の画面がそれまでの停止表示演出から「タイトル画面」に切り替わる。「タイトル画面」は、例えば画面全体がホワイトアウトし、その中央位置にパチンコ機１の機種名を表す情報が表示されたり、機種のプロモーション映像等が表示されたりする。このような「タイトル画面」は、パチンコ機１の機種名やゲームコンセプト（例えば演出の中心となる存在や概念）を視覚的に周囲にアピールするとともに、未だパチンコ機１に遊技客が付いていない状態（いわゆる「空き台」）であれば、その旨を外見上で判りやすくするものである。なお、「タイトル画面」の表示中も、「勝つん打！」のパスワード入力案内用の画像が例えば画面の中央下部位置に表示される。これにより、遊技者に対して「勝つん打！」のサービスが利用可能であることを確実に知らせることができる。
【０４０６】
いずれにしても、「勝つん打！」のパスワード入力案内用画像が表示されている状態で、遊技者が演出切替ボタン４５の押し込み操作を行うと、次に「メニュー選択画面」に移行する。
【０４０７】
〔メニュー選択画面〕
図２９中（Ａ）：「勝つん打！」のパスワード入力案内用画像の表示中に演出切替ボタン４５が押下されると、液晶表示器４２の表示画面に「メニュー選択画面」が表示される。「メニュー選択画面」は、例えば画面の右側領域に４つのメニューボタンＢＴ１〜ＢＴ４の画像が上下方向に配列して表示され、左側領域にはキャラクター画像とともに「メニューを選んでね！」といった案内情報が表示された構成である。また画面の左側領域には、キャラクター画像の下方にジョグダイアル４５ａの回転を案内する画像が表示されている。
【０４０８】
この例では、最上段に表示されているメニューボタンＢＴ１に「パスワード入力」のメニューが割り当てられている。メニューボタンＢＴ１が選択されると、次に「パスワード入力画面」に移行する。また２段目に表示されているメニューボタンＢＴ２には、「コード発行」のメニューが割り当てられており、メニューボタンＢＴ２が選択されると、次に「コード発行確認画面」に移行する。３段目に表示されているメニューボタンＢＴ３には、「データクリア」のメニューが割り当てられており、メニューボタンＢＴ３が選択されると、次に「データクリア確認画面」に移行する。そして最下段に表示されているメニューボタンＢＴ４には、「新規登録」のメニューが割り当てられており、メニューボタンＢＴ４が選択されると、次に「新規登録画面」に移行する。
【０４０９】
「メニュー画面」の表示中、ジョグダイアル４５ａが回転操作されると、それに伴って４つのメニューボタンＢＴ１〜ＢＴ４の選択候補が切り替わる。この例では、現在の選択候補となっているメニューボタンＢＴ１の周囲に波線の候補マークが表示されるとともに、他のメニューボタンＢＴ２〜ＢＴ４が暗色で表示されている。この状態で演出切替ボタン４５が押下されると、メニューボタンＢＴ１に対応する「パスワード入力」のメニューが選択されたことになる。もし遊技者が選択候補を切り替えたい場合、ジョグダイアル４５ａを回転操作して目的とするメニューボタンＢＴ２〜ＢＴ４に候補マークの表示を移動させ、そこで演出切替ボタン４５を押下すればよい。
【０４１０】
〔パスワード入力画面〕
図２９中（Ｂ）：「メニュー選択画面」で「パスワード入力」が選択されると、「パスワード入力画面」が表示される。「パスワード入力画面」では、例えば画面の右側領域の上部位置に５つの入力ボックス（符号なし）の画像が横方向に配列して表示され、その下方位置には選択候補となる文字や記号がマトリクス状に配列して表示されている。さらに右側領域の下部位置には、「消す」、「←」、「→」、「決定」といった機能ボタン（符号なし）の画像が横方向に配列して表示されている。また画面の左側領域には、キャラクター画像とともに「パスワードを入力してね！」といった案内情報が表示されている。そしてキャラクター画像の下方には、ジョグダイアル４５ａの回転を案内する画像が表示されている。
【０４１１】
５つある入力ボックスのうち、既に入力済みのものには何らかの文字又は記号が表示されている。この例では、左から２つの入力ボックスにはそれぞれ「Ｈ」、「Ｅ」の文字が入力済みであり、入力ボックス全体が暗色で表示されていることが分かる。左から３つ目の入力ボックスには未入力であり、これが現在の入力対象となっている。入力対象となっている入力ボックスは強調表示（明表示）されており、その真上にカーソル（▼印）が表示されている。また入力対象となる入力ボックスには、現在の選択候補となっている文字が仮に表示されている（仮表示はなくてもよい）。その他の未入力である２つの入力ボックス（左から４番目と５番目）は、いずれも暗色で表示されている。
【０４１２】
「パスワード入力画面」の表示中、ジョグダイアル４５ａが回転操作されると、それに伴って文字・記号の選択候補が切り替わる。この例では、現在の選択候補となっている文字「Ｉ」の周囲に波線の候補マークが表示されている。この状態で演出切替ボタン４５が押下されると、選択候補となっている文字「Ｉ」が入力ボックスに入力されることになる。文字が入力されると、これまで入力対象であった入力ボックスは暗色表示となり、右隣の入力ボックスが次の入力対象となる。
【０４１３】
図２９中（Ｃ）：５つの入力ボックス全てに文字又は記号が入力されると、「決定」を表す機能ボタンに候補マークが移動する。入力された文字又は記号の配列がパスワードとなる。この状態で演出切替ボタン４５が押下されると、パスワードの入力が受け付けられる（個別情報受付手段）。ここで間違ったパスワード（例えば論理的に矛盾するパスワード）が入力されていた場合、入力ボックスをブランク表示として「パスワード入力画面」が表示される。なお、ここではパスワードを５文字分の情報量としているが、これより多い情報量としてもよい。
【０４１４】
図２９中（Ｄ）：入力されたパスワードが正しい場合、つまり、パスワードを構成する文字・記号から情報をパチンコ機１の内部（演出制御ＣＰＵ１２６）で正しく解析できた場合、「パスワード遊技画面」が表示される。「パスワード遊技画面」は、遊技者個人別にカスタマイズされた構成であり、例えばこれまでの遊技履歴を反映した態様となっている。この例では、情報表示領域ＤＡに現在のプレイヤーレベル（例えば「Ｌｖ７」）とともに、パスワード入力後に加算されたポイントの累計（当初は０ｐｔ）が表示されている。
【０４１５】
〔パスワード遊技中の例〕
上記のように、遊技者の操作に基づいてパスワードの入力が受け付けられると、以後はパチンコ機１において「パスワード遊技中」と認識される。
そして図３０から図４２は、パスワード遊技中に特別図柄の変動表示及び停止表示に対応させた演出画像の例を示す連続図である。このうち図３０及び図３１は、非当選（はずれ）時の特別図柄の変動について、演出図柄を用いて行われる変動表示演出と停止表示演出の一例を表している。この変動表示演出は、特別図柄（ここでは第１特別図柄とするが、第２特別図柄でもよい。）が変動表示を開始してから、停止表示（確定停止を含む）するまでの間に行われる一連の演出に該当する。また停止表示演出は、特別図柄が停止表示されたことと、そのときの内部抽選の結果を演出図柄の組み合わせとして表す演出である。ここでは先ず、制御処理の具体的な内容を説明する前に、本実施形態で採用されている変動１回ごとの変動表示演出と停止表示演出の基本的な流れについて説明する。
【０４１６】
〔変動表示前〕
図３０中（Ａ）：例えば、特別図柄が変動を開始する前の状態（デモ演出中でない状態）で、液晶表示器４２の画面内には左・中・右の演出図柄がそれぞれの大きさで表示されている。このとき特別図柄の停止表示に合わせて、演出図柄も停止表示された状態にある。
【０４１７】
この例では、現状で第１特別図柄及び第２特別図柄それぞれの作動記憶が存在しないため（記憶数０個）、液晶表示器４２の画面下部の帯状領域には、第１特別図柄及び第２特別図柄それぞれの作動記憶の存在を表すマーカ画像は表示されていない。また当該変動中領域ＨＡは、グレイアウトの状態で表示されている。なお情報表示領域ＤＡには、上述したプレイヤーレベルやパスワード入力後のポイント累計値（現在０ｐｔ）が表示されている。
【０４１８】
〔要素記憶存在演出〕
図３０中（Ｂ）：遊技者が遊技球を借り受け、発射操作を行うことで遊技が開始されると、やがて上始動入賞口２６（又は下始動入賞口２８ａ）に遊技球が入賞することで、抽選契機が発生する。この例では、上始動入賞口２６への入賞が発生したことで、第１特別図柄に対応する作動記憶が１個発生したため、画面下部の帯状領域に作動記憶１個の存在を表す態様でマーカＭ１ｂが新たに表示されている（要素記憶演出実行手段）。主制御ＣＰＵ７２による制御上、ここで発生した作動記憶はそのまま消費されるため、第１特別図柄作動記憶ランプ３４ａは点灯表示されないか、もしくは記憶数１個を表す態様で点灯表示された後、直ちに非点灯となる。ただし、演出上ではマーカＭ１ｂを短時間内に表示することで、遊技者に対して「新たに作動記憶が発生した」ということを明確に知らせることができる。なお、主制御ＣＰＵ７２による制御上で第１特別図柄が変動表示を開始している場合、第４図柄Ｚ１が変動表示中の態様で表示される。
【０４１９】
〔要素記憶消費演出〕
図３０中（Ｃ）：作動記憶の消費に伴い、表示画面下部の帯状領域に表示されたマーカＭ１ｂを当該変動中領域ＨＡに移動させる演出が行われる。これにより、遊技者に対して作動記憶を１個消費して内部抽選が行われたことを演出上でわかりやすく教示することができる。なお、当該変動中領域ＨＡに移動したマーカＭ１ｂは拡大表示されることで、いわゆる「保留」との識別が図られている。また、このときマーカＭ１ｂの態様を変化させることで、期待度を予告的に教示することとしてもよい。
【０４２０】
〔変動表示演出〕
また、第１特別図柄の変動表示に同期させて、液晶表示器４２の表示画面上で３本の図柄列がスクロール変動することで変動表示演出が行われる（図柄演出実行手段）。すなわち、第１特別図柄の変動表示に合わせて、液晶表示器４２の表示画面内で左演出図柄、中演出図柄、右演出図柄の列が縦方向にスクロールする（流れる）ようにして変動表示演出が開始される。なお図中、演出図柄の変動表示は単に下向きの矢印で示されている。また変動表示中、個々の演出図柄が透けた状態で表示（透過表示）されることにより、このとき表示画面内には演出図柄の背景となる画像（背景画像）が視認しやすい状態で表示されていることは既に述べたとおりである。
【０４２１】
この場合の背景画像は、例えば「昼間の屋外にある自然」の風景を表現したものである。このような背景画像は、上記の「ステージ演出」として実行されているものであり、演出上での滞在ステージが例えば「昼ステージ」であることを表現している。本実施形態において「昼ステージ」は、上記の変動時間短縮機能が非作動であり、また確率変動機能も非作動である通常状態に対応するものとする。この他にも演出上で各種のステージ・ゾーン・モードが設けられており、各種のステージ・ゾーン・モードごとに風景や情景の異なる背景画像が用意されている（状態表示演出実行手段）。これらステージ・ゾーン・モードの違いは、内部的な「時間短縮状態」に対応するものであったり、「高確率状態」に対応するものであったりする。ここでは特に図示していないが、この後、例えば表示画面内にキャラクターやアイテム等の画像を表示させることで、予告演出が行われる態様であってもよい。また、演出図柄の変動表示中は第４図柄Ｚ１も変動表示されており、第４図柄Ｚ１は引き続き、その表示色を変化させることで変動表示を表現している。
【０４２２】
〔遊技得点加算〕
そして、パスワード遊技中は、特別図柄の変動表示が行われる毎に、演出上の遊技得点として、最低１ポイント（所定単位）が新たに加算される（遊技得点加算手段）。加算されたポイントは、情報表示領域ＤＡに累計値として表示される（ここでは未だ０ｐｔ）。「最低１ポイント」としているのは、特別図柄の変動は遊技の基礎的な内容に該当するため、本実施形態では１回の変動に対して最低１ポイントを加算することとしているためである。その上で、当該変動が特定の変動パターン（リーチ変動パターン）に該当した場合や、大当りに該当した場合には、１ポイントよりも多くのポイントを加算することとしている。
【０４２３】
〔その他の演出〕
図３０中（Ｄ）：変動表示演出の初期は、例えば装飾体４００を小刻みに上下動させることで予告演出が実行される。また液晶表示器４２の表示画面では、装飾体４００の上下動に合わせて、装飾体４００があたかも光を発しているかのような画像演出が行われる。またスピーカ５４，５５，５６からは、装飾体４００の上下動に合わせて何らかの効果音が出力される。これにより、有体物である装飾体４００の動きに加えて、音と画像による聴覚的・視覚的なインパクトを遊技者に与えることができる。
【０４２４】
また、当該変動中に重ねて上始動入賞口２６への入賞が発生したことにより、新たに作動記憶が１個追加されたため、表示画面下部の帯状領域に新たなマーカＭ１ｂが１個表示されている。これにより、遊技者に対して作動記憶の存在とその個数（作動記憶数）をわかりやすく教示することができる。
【０４２５】
当該変動中領域ＨＡは、マーカＭ１ｂのシフト表示から一定時間が経過したことにより、当該変動中のマーカＭ１ｂは非表示となり、グレイアウト表示に変化している。これにより、当該変動で作動記憶が消費されたことを遊技者に対してさらに明確に伝達することができる。
【０４２６】
〔左図柄停止〕
図３１中（Ｅ）：例えば、ある程度の時間（変動時間の半分程度）が経過すると、最初に左演出図柄が変動を停止する。この例では、画面に数字の「５」を表す演出図柄が停止したことを表している。なお、ここでは背景画像の図示を省略している（これ以降も同様）。また、ここでは作動記憶がさらに１個追加されたため、追加された作動記憶の存在をあらわすマーカＭ１ｂが帯状領域に追加して表示されている。これにより、遊技者に対して作動記憶数が２個に増加したことを演出上でも教示することができる。
【０４２７】
〔右演出図柄停止〕
図３１中（Ｆ）：左演出図柄に続いて、その後に右演出図柄が変動を停止する。この例では、画面に数字の「３」を表す演出図柄が停止したことを表している。この時点で既にリーチ状態が発生しないことは確定しているので、今回の変動が非リーチ（通常）変動であるということが見た目上でほとんど明らかとなっている。なお、ここではすべりパターン等によるリーチ変動を除くものとする。「すべりパターン」とは、例えば一旦は数字の「４」を表す演出図柄が停止した後、図柄列が１図柄分すべって数字の「５」を表す演出図柄が停止し、それによってリーチに発展するというものである。あるいは、一旦は数字の「６」を表す演出図柄が停止した後、図柄列が逆向きに１図柄分すべって数字の「５」を表す演出図柄が停止し、それによってリーチに発展するパターンもある。またその他にも、例えば「１」等の全くかけ離れた数字を表す演出図柄が一旦停止した後、画面上にキャラクターが出現して右演出図柄列を再変動させると、数字の「５」を表す演出図柄が停止してリーチに発展するといったパターンもある。
【０４２８】
〔停止表示演出〕
図３１中（Ｇ）：第１特別図柄の停止表示に同期して、最後の中演出図柄が停止する。今回の内部抽選の結果が非当選であって、第１特別図柄が非当選（はずれ）の態様で停止表示される場合、演出図柄も同様に非当選（はずれ）の態様で停止表示演出が行われる。すなわち、図示の例では、画面の中段位置に数字の「１」を表す演出図柄が停止したことを表しており、この場合、演出図柄の組み合わせは「５」−「１」−「３」のはずれ目であるため、今回の変動は通常の「はずれ」に該当したことが演出上で表現されている。このとき、第４図柄Ｚ１は、はずれに対応する態様（例えば白表示色）で停止表示される。これにより、遊技者に対して「第１特別図柄の停止表示が確定した」ということを演出上でも教示することができる。
【０４２９】
〔ポイント加算〕
また、１回の変動が行われたことに対し、遊技得点として１ポイントが加算され、情報表示領域ＤＡにはこれまでの累計値（ここでは１ｐｔ）が表示されている。これにより、パスワード遊技中に加算されたポイントの累計を遊技者にわかりやすく教示することができる。また、遊技者がポイント加算を別の楽しみとして実感することを容易にし、「ポイント獲得」という別の興趣を提供することができる。
【０４３０】
〔次変動開始〕
図３１中（Ｈ）：第１特別図柄の停止表示時間が経過すると、第１特別図柄又は第２特別図柄の始動条件が満たされた状態となる。ここでは、この状態で第１特別図柄に対応する作動記憶が存在しているため、その作動記憶を消費して次の第１特別図柄の変動表示が開始される。
【０４３１】
すなわち、次の変動開始に伴い、左・中・右の演出図柄はいずれも変動表示を開始している。また、変動開始に伴って第１特別図柄の作動記憶数が１個分減少するため、それに連動してマーカＭ１ｂの表示個数が１個分減少されている。例えば、それまでに作動記憶数が２個存在していたが、マーカＭ１ｂにおいて左端に表示されていた最も以前の（古い）ものが当該変動中領域ＨＡにシフト表示され、内部抽選によって消費される演出が合わせて行われる。これにより、第１特別図柄に関して作動記憶が消費されたことを演出上でも遊技者に教示することができる。
【０４３２】
そして、図３１中（Ｈ）の例においては、記憶順で先頭にあった作動記憶が消費されて残りが１個になったため、それまで右側に表示されていたマーカＭ１ｂが左側にずれ、次の変動まで待機する演出が行われる。これにより、作動記憶数の変化の前後関係を正確に演出上で表現するとともに、遊技者に対して「作動記憶が消費されて１つ減った」ということを直感的に分かりやすく教示することができる。
【０４３３】
以上は、１回の変動ごとに演出図柄を用いて行われる変動表示演出と停止表示演出（非当選時）の一例である。このような演出を通じて、遊技者に当選に対する期待感を抱かせるとともに、最終的に内部抽選の結果を演出上で明確に教示することができる。
【０４３４】
また、上記の例は非当選時についてのものであるが、大当り（当選）時には変動表示演出中にリーチ演出が実行された後、停止表示演出において演出図柄が大当りの態様で停止表示される。このとき演出図柄の停止表示態様は、基本的には主制御ＣＰＵ７２によって内部的に選択された当選図柄（第１特別図柄表示装置３４又は第２特別図柄表示装置３５の停止表示態様）に対応させて選択される。
【０４３５】
〔要素記憶存在演出態様変化例〕
図３２は、要素記憶存在演出としてのマーカ画像の表示態様を変化させる演出例を示した連続図である。本実施形態では、遊技中に一定の条件が満たされた場合にマーカ画像の表示態様を変化させる演出が実行される。以下、具体的に説明する。
【０４３６】
〔要素記憶存在演出中〕
図３２中（Ａ）：例えば、今回の変動中に作動記憶が１個存在しており、これに対応するマーカＭ１ｂが表示されていた場合を想定する。このとき、主制御ＣＰＵ７２による制御上で事前の判定（取得時演出判定処理）により、マーカＭ１ｂの作動記憶には、例えば「固定値Ａ（第１固定値）」のリーチグループ決定乱数が含まれており、当該変動で変動時間が「１２．５秒（第１の変動時間）」で固定に設定されることが分かっているとする（第１条件を満たす場合）。なお「１２．５秒」に変動秒数を設定する変動パターンとリーチグループ決定乱数との対応関係は、上述した通りである（図１５のはずれ時変動パターン選択用テーブル）。
【０４３７】
〔作動記憶増加〕
図３２中（Ｂ）：続いて新たな作動記憶が１個追加され、対応するマーカＭ１ａが表示された場合を想定する。このとき、主制御ＣＰＵ７２による制御上で事前の判定により、マーカＭ１ａの作動記憶には、当該変動で変動秒数が例えば「１２０秒（第２の変動時間）」に設定される「固定値Ｂ（第２固定値）」のリーチグループ決定乱数が含まれていることが分かったとする（第２条件を満たす場合）。この場合、新たに追加されたマーカＭ１ａの表示態様を例えばハート形状に変化させる演出（いわゆる保留変化演出）が行われる。これにより、遊技者に対して「マーカＭ１ａに対応する変動で当りになるのではないか」という期待感を抱かせることができる。
【０４３８】
〔パスワード遊技中の期待感〕
また、ここではパスワード遊技中であるため、マーカＭ１ａがハート形状に変化したことにより、「当該変動でリーチとなり、最低１ポイントよりも多くのポイントが加算されるのではないか」というポイント獲得上の期待感を遊技者に抱かせることができる。
【０４３９】
〔特殊態様への変化〕
図３２中（Ｃ）：このように、先の作動記憶に対応するマーカＭ１ｂについての事前判定結果が第１条件を満たし、かつ、次の作動記憶に対応するマーカＭ１ａについての事前判定結果が第２条件を満たす場合、それまでシンプルな基本態様（例えば円形状）で表示されていたマーカＭ１ｂが特殊態様に変化する演出が行われる（要素記憶存在演出態様変化手段）。具体的には、先の作動記憶に対応するマーカＭ１ｂが「勝打（勝つん打！）」の文字情報を表す画像に変化し、合わせて「ＵＰ」の文字情報を表す吹き出し画像がマーカＭ１ｂに追加して表示される。これにより、変化後のマーカＭ１ｂが「勝つん打！」のサービスに対応するものであり、このサービスにおいて加算されるポイントのアップ（増加・倍増）に関係するものであることを遊技者に認識させることができる。なお、ここでは図面の判読を容易にするため、変化後のマーカＭ１ｂ内に「勝打」の２文字だけを示しているが、実際の画像では「勝つん打！」の文字表記をフルで用いてもよい。また、ここでは判読の容易性を優先して「ＵＰ」の文字情報を吹き出し画像として外付けしているが、実際にはマーカＭ１ｂ内に「ポイントＵＰ」と文字表記したり、上向き矢印の画像を合わせて表示したりしてもよい。
【０４４０】
〔特殊態様マーカの当該変動〕
図３２中（Ｄ）：そして、前回までの変動が終了し、次に始動条件が満たされて「勝打」の特殊態様に変化したマーカＭ１ｂで存在が表される作動記憶が消費されると、当該変動中領域ＨＡにマーカＭ１ｂがシフト表示される。これに伴い、第１特別図柄の変動表示が実行されるとともに、演出図柄の変動表示が開始される。
【０４４１】
〔遊技得点増加予告演出〕
図３３及び図３４は、特殊態様に変化したマーカＭ１ｂの当該変動中に実行されるポイント倍率アップチャレンジ演出の流れを一例として示す連続図である。「ポイント倍率アップチャレンジ演出」は、例えば当該変動中のミニゲーム演出として行われ、その成否の結果に応じて、次のマーカＭ１ａの変動で加算されるポイントに倍率を反映させるか否かの予告が行われるものとなっている。以下、具体的に説明する。
【０４４２】
図３３中（Ｅ）：変動初期の段階で、液晶表示器４２の表示画面内に例えば「勝つん打！ポイント倍率アップチャレンジ」のタイトル文字情報が大きく表示され、合わせて演出切替ボタン４２を表す画像が表示される。これにより、遊技者に対して「これから『勝つん打！』のポイント倍率アップにチャレンジする」ということを認識させることができる。なお、左・中・右の演出図柄は、例えば表示画面の左上隅位置で縮小表示されつつ、現在が変動表示中であることを表している。
【０４４３】
〔ミニゲーム演出〕
図３３中（Ｆ）：例えば、表示画面の右側に女性キャラクターの画像が表示され、半体に左側には敵キャラクター（例えば提灯お化け）の画像が表示されるとともに、画面中央には「ＶＳ」という文字情報が大きく表示される。そして表示画面の上下には、例えば「ボタン連打でオバケを退治！  勝てばポイント倍率ＵＰ！」といったテロップ情報が表示される。これにより、遊技者に対して「これからボタン操作で敵キャラクターを倒せば、次以降で加算されるポイントに倍率が反映される可能性がある」ということを認識させることができる。
【０４４４】
図３３中（Ｇ）：続いて、表示画面に大きく敵キャラクターが表示され、あたかもこちらに立ち向かってくるかのような演出が行われる。これに合わせて表示画面の手前位置には、演出切替ボタン４２の連打を促すような画像が表示されている。実際に遊技者により演出切替ボタン４２が押し込み操作されると、その都度、表示画面内で敵キャラクターが打撃によるダメージを受ける演出が行われる。
【０４４５】
図３３中（Ｈ）：ミニゲーム演出の進行に伴い、敵キャラクターが次第に弱っていく演出が行われる。これにより、遊技者に対して「もしかしたら退治（ミニゲーム成功）できるかも知れない」という期待感を抱かせ、演出切替ボタン４２の押し込み操作に対する意欲を喚起することができる。
【０４４６】
図３４中（Ｉ）：変動表示演出の後半に差し掛かると、敵キャラクターのダメージが最大にまで達していく演出が行われる。これにより、遊技者に対して「まもなく決着が明らかになる」ということを意識させることができる。
【０４４７】
〔ミニゲーム失敗パターン〕
図３４中（Ｊ）：変動表示演出の終盤で敵キャラクターが倒れずに復活してしまうと、演出上で「敗北」となり、「ポイント倍率アップチャレンジ失敗」となる。
図３４中（Ｋ）：この場合、第１特別図柄が非当選の態様で停止表示されていれば、その停止表示に同期して演出図柄も非当選の態様で停止表示され、そのまま当該変動が終了する。
【０４４８】
〔ミニゲーム成功パターン〕
図３４中（Ｌ）：これに対し、変動表示演出の終盤で敵キャラクターが倒れれば、演出上で「勝利」となり、「ポイント倍率アップチャレンジ成功」となる。また、成功を表すように味方の女性キャラクターが表示画面中央で笑みを浮かべ、勝利のＶサインを見せる様子が演出的に表示される。合わせて表示画面には、例えば「次回転ポイント倍率×３！」といった文字情報が表示される。これにより、遊技者に対して次変動で加算されるポイントが３倍にアップすることを教示することができる。
【０４４９】
図３４中（Ｍ）：ミニゲーム成功（ポイント倍率アップチャレンジ成功）の場合、第１特別図柄が非当選の態様で停止表示されていれば、その停止表示に同期して演出図柄も非当選の態様で停止表示されるが、例えば情報表示領域ＤＡには、倍率値として「×３」の文字情報を表す吹き出し画像が表示される。これにより、同じく次回の変動で３倍のポイントが加算されることを遊技者に伝達することができる。
【０４５０】
なお、図３３から図３４では、当該変動中に特殊態様のマーカＭ１ｂが当該変動中領域ＨＡに継続して表示される例を示しているが、マーカＭ１ｂは一定時間経過後に消去される態様であってもよい。
【０４５１】
〔次回変動時〕
図３５から図３８は、ミニゲーム成功後の次回変動時に行われる演出例を示す連続図である。ミニゲーム失敗（ポイント倍率アップチャレンジ失敗）の場合、以下の演出は行われない。
【０４５２】
図３５中（Ａ）：ハート形状に変化したマーカＭ１ａで存在が表される作動記憶が消費され、次回の変動表示が開始される。これに合わせて、ハート形状のマーカＭ１ａが帯状領域から当該変動中領域ＨＡにシフト移動される演出が行われる。またこのとき、情報表示領域ＤＡには、先の「×３」の倍率が継続して表示されている。
【０４５３】
図３５中（Ｂ）：変動表示演出の進行に伴い、左演出図柄が最初に停止する。個々では例として、数字の「５」を表す演出図柄が表示画面内で停止表示されている。また、新たな作動記憶（１個目）が発生したため、画面下部の帯状領域には、新たに追加された作動記憶の存在を表すマーカＭ１ｂが追加で表示される。
【０４５４】
図３５中（Ｃ）：さらに変動表示演出の進行に伴い、右演出図柄のスクロールが次第にゆっくりとなり、右演出図柄が停止表示の一歩手前となる。この例では、左演出図柄と同種の右演出図柄（数字の「５」）が停止表示する直前の様子が示されている。また、さらに新たな作動記憶（２個目）が発生したため、画面下部の帯状領域には、新たに追加された２個目の作動記憶の存在を表すマーカＭ１ｂが追加で表示される。
【０４５５】
〔リーチ状態の発生〕
図３５中（Ｄ）：ここで、今回の変動に消費された作動記憶には、上記のように変動秒数を例えば「１２０秒」に設定する「固定値Ｄ」のリーチグループ決定乱数が含まれていた。また、ここでは作動記憶に大当りに該当する大当り決定乱数が組で記憶されていたパターンを想定する。このため実際の当該変動では、大当り時変動パターン決定処理（内部抽選が当選の場合）においてリーチ変動パターンが選択される結果、変動秒数は「１２０秒」に設定されており、リーチグループ決定乱数は「固定値Ｄ」であるものとする。したがって、演出上も大当り時リーチ演出パターンが選択される結果、変動表示演出の進行に伴い、左演出図柄に続いて右演出図柄の停止時にリーチ状態（例えば「５」−「変動中」−「５」）を発生させる演出が行われる。なお、ここではさらに新たな作動記憶（３個目）が発生したため、画面下部の帯状領域には、新たに追加された３個目の作動記憶の存在を表すマーカＭ１ｂが追加で表示されている。
【０４５６】
図３６中（Ａ）：続いて表示画面内では、リーチ状態が発生したことを強調するため、左演出図柄と右演出図柄とを横一線で結ぶような強調画像が表示される。これにより、遊技者に対してリーチ状態が発生したことを視覚的に印象付け、この後の展開に注目させることができる。
【０４５７】
〔擬似連演出への発展〕
図３６中（Ｂ）：一度、停止表示してリーチ状態を形成した右演出図柄が全体から炎を巻き上げるかのような態様に変化し、再変動を示唆する演出が行われる。すなわち、この例では、今回の変動が期待度の高いことを表すため、いわゆる「擬似連演出」の手法が用いられている。「擬似連演出」は、実際には特別図柄の１変動内であるが、あたかも複数回の変動にまたがって連続的な変動表示演出が行われたかのように見せる演出である。このような擬似連演出により、大当りへの強い期待感を遊技者に抱かせ、当該変動に対する興味を引きつけることができる。
【０４５８】
〔擬似連煽り演出〕
図３６中（Ｃ）：この後、右演出図柄が１コマ滑り、数字の「６」を表す態様に変化する。また中演出図柄は、「１」〜「７」の演出図柄列に含まれない特殊な演出図柄（例えば再変動図柄）に変化し、このような再変動図柄が表示画面の中央位置に降りてくるかのような演出（いわゆる「擬似連煽り演出」）が行われる。この例では、女性キャラクターが両手を合わせて目を閉じ、何らかの祈願をしている様子が再変動図柄に表されている。
【０４５９】
〔再変動図柄停止〕
図３６中（Ｄ）：そして、それまで煽られていた再変動図柄が表示画面の中央位置で停止すると、擬似連確定（２回擬似連）となる。この例では、再変動図柄に表されている女性キャラクターが開眼し、全体から炎をまきあげている様子が表されている。なお、ここでは擬似連確定の場合を挙げているが、再変動図柄が停止せずに画面下部へ通り過ぎ、擬似連に発展しないパターンもある。
【０４６０】
〔継続演出〕
図３７中（Ｅ）：表示画面の中央位置に再変動図柄が停止すると、左・中・右の演出図柄が仮停止出目で表示される。この例では、中演出図柄が例えば数字の「６」を表す態様で仮停止することにより、左・中・右で「５」−「６」−「６」の仮停止出目が形成されている。また表示画面内には、例えば中央下部位置に「継続」の文字情報が表示されることで、この後も変動表示演出が継続していくことを表している。
【０４６１】
〔再変動開始（擬似連２回目）〕
図３７中（Ｆ）：仮停止した演出図柄が再変動を開始し、本格的な擬似連演出（擬似連２回目）が行われる。
図３７中（Ｇ）：またこの後、左演出図柄に続いて右演出図柄が停止表示し、再度のリーチ状態を発生させる演出が行われる。リーチ状態発生時は、上記の強調演出が行われる。
【０４６２】
〔擬似連演出への発展〕
図３７中（Ｈ）：再度、停止表示してリーチ状態を形成した右演出図柄が全体から炎を巻き上げるかのような態様に変化し、またもや再変動を示唆する演出が行われる。
【０４６３】
〔擬似連煽り演出〕
図３８中（Ｉ）：この後、やはり右演出図柄が１コマ滑り、数字の「７」を表す態様に変化する。また、中演出図柄は上記の再変動図柄に変化し、同じく表示画面の中央位置に降りてくるかのような擬似連煽り演出が再度行われる。
【０４６４】
〔再変動図柄停止〕
図３８中（Ｊ）：そして、それまで煽られていた再変動図柄が表示画面の中央位置で再び停止すると、今回も擬似連確定（３回擬似連）となる。ここでも同様に、再変動図柄が停止せずに画面下部へ通り過ぎ、そのまま擬似連非発展というパターンもある。
【０４６５】
〔継続演出〕
図３８中（Ｋ）：再度、表示画面の中央位置に再変動図柄が停止すると、左・中・右の演出図柄が次の仮停止出目で表示される。この例では、中演出図柄が例えば数字の「７」を表す態様で仮停止することにより、左・中・右で「６」−「７」−「７」の先とは異なる仮停止出目が形成されている。そして、同じく表示画面内には、例えば中央下部位置に「継続」の文字情報が表示されることで、この後も変動表示演出が継続していくことを表している。
【０４６６】
〔再変動開始（擬似連３回目）〕
図３８中（Ｌ）：仮停止した演出図柄がまたもや再変動を開始し、さらに擬似連演出（擬似連３回目）が行われる。またこの例では、擬似連３回目の変動開始に伴い、上記の装飾体４００が表示画面の上部位置で小刻みに上下動する演出が行われるとともに、あたかも装飾体４００から花が降り注いでくるかのような画像演出が行われている。このとき降り注いできた花は、次第に表示画面の周囲（枠）に散らばり、花柄状の縁取りを形成する。
【０４６７】
〔大当り時リーチ演出〕
図３９及び図４０は、大当り時に実行されるリーチ演出の例を示す連続図である。以下のリーチ演出は、第１特別図柄表示装置３４（第２特別図柄表示装置３５でもよい）において大当り時の変動パターンによる変動表示が行われた後、第１特別図柄が「１６ラウンド確変図柄」の態様（例えば７セグメントＬＥＤの「己」，「ヨ」，「口」，「巳」，「Ｆ」，「Ｅ」，「Ｌ」，「Γ」等）で停止表示されるまでに実行される。なお図３９及び図４０の一部では、各演出図柄を数字のみに簡略化して示している。また適宜、第４図柄Ｚ１，Ｚ２や表示画面下部の帯状領域、当該変動中領域ＨＡ、情報表示領域ＤＡ等の図示を省略している。以下、演出の流れに沿って説明する。
【０４６８】
〔変動表示演出〕
図３９中（Ａ）：第１特別図柄（又は第２特別図柄）の変動開始に略同期して、液晶表示器４２の画面上で左演出図柄、中演出図柄、右演出図柄の変動表示演出が開始される点はこれまでと同様である。また、ここでは再変動開始（擬似連３回目）で表示された花柄の縁取り画像が引き続き表示画面の周縁に表示されている。
【０４６９】
〔装飾体予告演出〕
図３９中（Ｂ）：次に、変動表示演出の比較的初期において表示画面全体がブラックアウトし、表示画面の上部位置で装飾体４００が小刻みに上下動する演出が行われるとともに、液晶表示器４２の表示画面では、あたかも装飾体４００から光線が発せられているかのような画像演出が行われる。
図３９中（Ｃ）：そして、装飾体４００が表示画面手前の中央位置まで勢いよく落下し、合わせてその背後から放射状の光線が発せられているかのような画像演出が行われる。このような態様の演出により、遊技者に対して視覚的なインパクトを与え、この後の変動表示演出の流れに対する期待感を向上することができる。
【０４７０】
〔リーチ状態発生〕
図３９中（Ｄ），（Ｅ）：装飾体４００が表示画面の上方位置に復帰し、表示画面内では左演出図柄の停止に続いて右演出図柄が停止する。このとき、演出図柄の組み合わせは「７」−（変動中）−「７」のリーチ状態が発生し、合わせて「リーチ！」等の音声を出力する演出が行われる。また、この場合は数字の「７」が揃うことで確変大当りになることから、単なる抽選の当否だけでなく、「確変か、はずれか」という多様な緊張感を遊技者に抱かせることができる。
【０４７１】
〔リーチ発生後予告演出（１回目）〕
図３９中（Ｆ）：リーチ状態の発生に続いて、例えばテンパイした演出図柄の背景に放射状のフラッシュ光線が表示されるとともに、その中央位置に「チャンス！」の文字情報を表示してリーチ発生後予告演出（１回目）が行われる。このような視覚的に印象のあるリーチ発生後予告演出を実行することで、遊技者に対してさらに大きな期待感を抱かせる効果が得られる。
【０４７２】
〔リーチ演出の進行〕
図３９中（Ｇ）：１回目のリーチ発生後予告演出に続いて、例えば数字の「２」〜「７」を表す画像が画面上で立体的な列を構成した状態で表示され、列の先頭（手前）から「２」、「３」、「４」・・・という順番に画面から数字の画像が消去されていく演出が行われる。このような演出は、数字の「７」が最後まで消去されずに残ると「大当り」であることを遊技者に示唆（暗示）したり、想起させたりする目的で行われる。また、数字の「５」まで消去されて「６」が画面手前に残ると「はずれ」であり、また、数字の「７」まで消去されてしまうと「はずれ」であるが、数字の「６」が消去された後、数字「７」が消去されずに画面手前に残ると「確変大当り」であることを意味する。したがって、この間、数字の「２」、「３」、「４」・・・と順番に画像が消去されていき、数字の「６」の順番が近付くに連れて、遊技者の緊張感や期待感も高まっていくことになる。この後、例えば画面上で数字の「５」までが消去されたとすると、いよいよ次に数字の「６」が消去されると、いよいよ「確変大当り」の可能性が高まるため、そこで遊技者の緊張感も一気に高まる。
【０４７３】
〔リーチ発生後予告演出（２回目）〕
図３９中（Ｈ）：リーチ演出が終盤に近付いたところで、突然、画面上にキャラクターの画像が大写しに割って入る（カットインする）ようにして表示され、そのキャラクターが何らかの台詞を発するという内容（又は、無言で微笑むという内容でもよい）のリーチ発生後予告演出（２回目）が行われる。この時点で例えばリーチ演出の内容は、「数字の「６」が消去されれば、「７」−「７」−「７」の確変大当りの可能性が高まる」という展開である。したがって、このタイミングで大きくキャラクターの画像を出現させることにより、遊技者に対して「大当りになるかもしれない」という期待感を抱かせる効果が得られる。
【０４７４】
〔終盤煽り演出〕
図４０中（Ｉ）：変動時間の終期において、画面中央に数字の「６」と「７」を表す演出図柄が重なり合った状態で表示され、２つの演出図柄が画面奥と手前方向にお互いを押し合うかのような演出が行われる。この場合、「数字の「７」の演出図柄が「６」の演出図柄を押し戻せば大当りとなる」という展開で、リーチ演出がいよいよ大詰めであることから、大当りに対する期待感を最後まで煽ることができる。
【０４７５】
〔停止表示演出（結果表示演出）〕
図４０中（Ｊ）：この後、リーチ演出の終盤で最後の中演出図柄が停止する。この例では、内部的には当選図柄が「１６ラウンド確変大当り１」に該当しているため、演出上で数字の「７」を表す演出図柄（形態はハート形状）が画面の中央に停止表示されることになる。
【０４７６】
特に図示していないが、第１特別図柄の停止表示に略同期して、左・中・右の３つの演出図柄による停止表示演出についても確定停止表示が行われる。演出図柄の確定停止表示は、例えば左・中・右演出図柄をそれぞれ初期の大きさに復元した状態で行われる。このような確定停止表示を行うことで、最終的な当選種類が演出上で確定したことを遊技者に対して教示することができる。また、この場合に第４図柄は、「１６ラウンド確変大当り１」に対応する態様（例えば赤表示色）で停止表示される。
【０４７７】
なお、ここでは「１６ラウンド確変大当り１」の場合を例に挙げているが、内部抽選の結果が上記の「７ラウンド通常大当り１」であれば、例えば数字の「６」等を表す演出図柄でリーチ状態が発生し、その後のリーチ演出を経て左・中・右の演出図柄が同種の組み合わせ（例えば「６」−「６」−「６」）で構成される大当りの態様で停止表示される。また、この場合に第４図柄は、「７ラウンド通常大当り１」に対応する態様（例えば緑表示色）で停止表示される。
【０４７８】
また、内部抽選の結果が非当選であれば、第１特別図柄又は第２特別図柄がはずれ図柄で停止表示されるため、演出図柄も同様にはずれの態様で停止表示演出が行われる（図柄演出実行手段）。この場合、画面の中央には「７」以外の数字「６」や「１」を表示することで、残念ながら今回の変動では大当りにならなかったことを知らせる演出が行われる。なお、このような演出は「はずれリーチ演出」として実行されるものである。この場合でも、変動パターンは「はずれリーチ変動パターン」に該当し、変動秒数を例えば「１２０秒」に設定する「固定値Ｄ」のリーチグループ決定乱数が記憶内に存在していれば、先の変動でマーカＭ１ｂが「勝つん打！ポイントＵＰ」の特殊態様に変化し、当該変動でミニゲーム演出が実行される。
【０４７９】
〔大当り表示とポイント加算〕
図４０中（Ｋ）：そして、第１特別図柄が当選を表す態様で停止表示されると、例えば表示画面内に「大当り」等の文字情報や女性キャラクターが表示され、遊技者に対して大当りしたことが確定的に告知される。さらに、今回の変動が「３回擬似連からのリーチ後大当り」といった特定のリーチ変動に該当したため、１変動あたりに加算されるポイント数が最低１ポイントより大きく「１００ｐｔ」となっている。加えて、この前回の変動で「ポイント倍率アップチャレンジ成功」が得られたことにより、今回の変動で加算されるポイントに倍率値「×３」が反映され、１変動で一気に「３００ｐｔ」が加算されることになる。したがって、表示画面内には例えば「１００ｐｔ×３＝３００ＧＥＴ」の文字情報が表示されるとともに、情報表示領域ＤＡにはポイントの累計値として「３１７ｐｔ」が表示される。
【０４８０】
〔大当り中演出〕
図４０中（Ｌ）：大当り状態に移行すると、大当り中演出が実行される。この例では「１６ラウンド確変大当り１」に該当したため、表示画面内に「スペシャルボーナス」の文字情報が表示されるとともに、「１６ラウンド確変大当り１」に特有の演出画像が表示されている。また、パスワード遊技中に大当りが得られたことにより、毎回の図柄の変動に対するポイント加算とは別に、大当りに対してポイント（例えば５０ｐｔ等）が加算される。
【０４８１】
〔ポイント倍率アップの発生条件〕
以上のように、先の変動でポイント倍率アップチャレンジ演出（ミニゲーム演出）を実行し、これに成功した上で、次（以後）の変動でポイントに倍率を乗じて加算するという遊技の流れは、例えば以下の発生条件（１）〜（３）を満たした場合に実行することができる。
（１）遊技中（特に特別図柄の変動中）に作動記憶数が２個以上となること。
（２）２個以上ある作動記憶の中に、変動秒数を例えば「１２．５秒」に設定する「固定値Ａ」のリーチグループ決定乱数が大当り決定乱数とセットで含まれていること。
（３）上記の発生条件（２）に対応する作動記憶より後（次を含む）の作動記憶が、例えば比較的大当り期待度が高い変動秒数を設定する「固定値Ｄ」、「固定値Ｅ」等のリーチグループ決定乱数を含むものであること。
【０４８２】
〔発生条件の範囲〕
ここで、発生条件（１）は、少なくとも作動記憶が２個あれば満たされるので、３個以上の作動記憶が存在してもよいこととする。
また、発生条件（２）は、「固定値Ａ」以外の「固定値Ｂ」や「固定値Ｃ」に該当するリーチグループ決定乱数が含まれることとしてもよい。
さらに、発生条件（２）又は（３）に対応する作動記憶が２個以上あってもよい。
【０４８３】
発生条件（３）に対応する作動記憶は、発生条件（２）に対応する作動記憶より後の記憶であればよいので、発生条件（２）に対応する作動記憶と発生条件（３）に対応する作動記憶との間に、例えば「不定値」のリーチグループ決定乱数を含む別の作動記憶が存在していてもよい。
【０４８４】
また、発生条件（３）を満たす固定値は、最終的に設定される変動秒数が発生条件（２）を満たす変動秒数と同じ（同尺）であってもよい。例えば、発生条件（２）が「変動秒数を『６０秒』に設定する『固定値Ｂ』のリーチグループ決定乱数が大当り決定乱数とセットで含まれていること」であるとした場合に、発生条件（３）が同じく「『６０秒』の変動秒数を設定する『固定値Ｂ』のリーチグループ決定乱数を含むものであること」であるとしてもよい。
【０４８５】
〔発生条件を満たすその他の例〕
図４１及び図４２は、ポイント倍率アップの発生条件を満たすその他の例を示す図である。以下、具体的に説明する。
【０４８６】
〔発生条件（２）と（３）の間に別の作動記憶が存在するパターン〕
図４１中（Ａ）：例えば、変動中にマーカＭ１ｂで表される作動記憶が１個存在し、その後にマーカＭ１ｃで表される作動記憶が２個存在している状態で、新たにマーカＭ１ａで表される作動記憶が発生した場合を考える。
【０４８７】
このとき、最も古いマーカＭ１ｂで表される作動記憶には、変動秒数を「１２．５秒」に設定する「固定値Ａ」のリーチグループ決定乱数が含まれており、発生条件（２）に対応しているとする。そして、最新のマーカＭ１ａで表される作動記憶は、比較的大当り期待度の高い変動秒数（例えば「１５０秒」とする）を設定する「固定値Ｅ」のリーチグループ決定乱数を含むものであり、発生条件（３）に対応するものであったとする。
【０４８８】
図４１中（Ｂ）：この場合、マーカＭ１ｃで表される作動記憶が変動秒数を不定に設定するものであっても、発生条件（１）〜（３）を満たすことから、先頭の発生条件（２）に対応するマーカＭ１ｂを「勝つん打！ＵＰ」の特殊態様に変化させることができる。
【０４８９】
〔発生条件（２）の作動記憶が複数存在するパターン〕
図４１中（Ｃ）：例えば、変動中にマーカＭ１ｂで表される作動記憶が２個存在している状態で、新たにマーカＭ１ａで表される作動記憶が発生した場合を考える。
【０４９０】
このとき、古い順に２つのマーカＭ１ｂで表される作動記憶には、いずれも変動秒数を「１２．５秒」に設定する「固定値Ａ」のリーチグループ決定乱数が含まれており、２つの作動記憶が発生条件（２）に対応していたとする。そして、最新のマーカＭ１ａで表される作動記憶は、比較的大当り期待度の高い変動秒数（例えば「１２０秒」とする）を設定する「固定値Ｄ」のリーチグループ決定乱数を含むものであり、発生条件（３）に対応するものであったとする。
【０４９１】
図４１中（Ｄ）：この場合、３つの作動記憶に関して発生条件（１）〜（３）を満たすことから、先頭から２つの発生条件（２）に対応するマーカＭ１ｂを、それぞれ「勝つん打！ＵＰ」の特殊態様に変化させることができる。この場合、特殊態様に変化した２つのマーカＭ１ｂの当該変動でそれぞれ「ポイント倍率アップチャレンジ」のミニゲーム演出が行われる。その結果、２回とも「ポイント倍率アップチャレンジ成功」であれば、各回で得られた倍率が掛け合わされ（例えば「×３」と「×５」で「×１５」等）、より高倍率でマーカＭ１ａの当該変動時にポイントが加算されることとしてもよい。なお、あまりに高倍率となりすぎる場合、２つのマーカＭ１ｂが「勝つん打！ＵＰ」の特殊態様に変化しても、そのうち１回は演出制御上で「ポイント倍率アップチャレンジ失敗」とすることとしてもよい。
【０４９２】
〔発生条件（２）（３）の作動記憶が第１，第２特別図柄に分かれるパターン〕
図４２中（Ａ）：例えば、上述した「花火モード（高確率時短中）」に移行し、可変入賞装置２８が比較的高頻度で作動する遊技状態になると、上始動入賞口２６だけでなく下始動入賞口２８ａへの入賞が発生しやすくなる。
【０４９３】
これに伴い、表示画面下部の帯状領域には、例えば古い順に第１特別図柄の作動記憶を表すマーカＭ１ｃ、第２特別図柄の作動記憶を表すマーカＭ２ｂ、第１特別図柄の作動記憶を表すマーカＭ１ｃ、第２特別図柄の作動記憶を表す２個のマーカＭ２ｃが表示されている。この状態で新たに第１特別図柄の作動記憶が発生し、マーカＭ１ａが追加された場合を考える。
【０４９４】
このとき、２番目のマーカＭ２ｂで表される作動記憶には、変動秒数を「１２．５秒」に設定する「固定値Ａ」のリーチグループ決定乱数が含まれており、発生条件（２）に対応しているとする。そして、最新のマーカＭ１ａで表される作動記憶は、比較的大当り期待度の高い変動秒数（例えば「１５０秒」とする）を設定する「固定値Ｅ」のリーチグループ決定乱数を含むものであり、発生条件（３）に対応するものであったとする。
【０４９５】
図４２中（Ｂ）：この場合、マーカＭ２ｂとマーカＭ１ａで互いに対応する特別図柄が違っていても、やはり発生条件（１）〜（３）を満たすことから、記憶順で先のマーカＭ２ｂを「勝つん打！ＵＰ」の特殊態様に変化させることができる。
【０４９６】
〔発生条件（３）の作動記憶が複数存在するパターン〕
図４２中（Ｃ）：次に、例えば上述した「夜ステージ（ナイトモード）」の背景画像が表示されており、変動中にマーカＭ２ｂで表される最古の作動記憶が１個存在し、その後にマーカＭ２ｃで表される作動記憶が２個存在している状態で、新たにマーカＭ２ａで表される作動記憶（１個目）が発生したとする。ここでマーカＭ２ａは、「夜ステージ」専用の形態で表示されている。
【０４９７】
このとき、最も古いマーカＭ２ｂで表される作動記憶には、変動秒数を「１２．５秒」に設定する「固定値Ａ」のリーチグループ決定乱数が含まれており、発生条件（２）に対応しているとする。そして、最新のマーカＭ２ａで表される作動記憶（１個目）は、比較的大当り期待度の高い変動秒数（例えば「１５０秒」とする）を設定する「固定値Ｅ」のリーチグループ決定乱数を含むものであり、発生条件（３）に対応するものであったとする。なお、この時点で先のマーカＭ２ｂは「勝つん打！ＵＰ」の特殊態様に変化しなくてもよい。
【０４９８】
図４２中（Ｄ）：そして、続けて新たにマーカＭ２ａで表される作動記憶（２個目）が発生し、この作動記憶も発生条件（３）に対応するものであったとすると、結果的に発生条件（１）〜（３）を満たすことから、先頭の発生条件（２）に対応するマーカＭ１ｂを「勝つん打！ＵＰ」の特殊態様に変化させることができる。この場合、マーカＭ２ｂの当該変動で「ポイント倍率アップチャレンジ成功」となれば、そこで得られたポイント倍率を２つのマーカＭ２ａの当該変動（２回）それぞれに対して有効にすることができる。
【０４９９】
〔ポイント倍率アップチャレンジによる遊技性〕
以上のように本実施形態では、第１特別図柄又は第２特別図柄の作動記憶について発生条件（１）〜（３）が満たされると、発生条件（２）に対応する作動記憶を表すマーカＭ１ｂを「勝つん打！ＵＰ」の特殊態様に変化させておき、先の変動でミニゲーム演出を行った上でポイント倍率を決定することができる。これにより、大当りの期待度が高い作動記憶を表すマーカＭ１ａ，Ｍ２ａの当該変動が行われるまでの間持ちを図ることができる。
【０５００】
また、大当り期待度の高いマーカＭ１ａ，Ｍ２ａの当該変動で加算されるポイントが数倍に増加される可能性が予告的に示されているため、当該変動で大当りが得られることを期待感に加えて、当該変動で大量のポイントを獲得できることへの期待感を遊技者に抱かせることができる。これにより、ますます当該変動に対する注目度（演出内容等）を高め、加算されるポイントの増加と相俟って幅広い遊技性を実現することができる。
【０５０１】
この点、従来の演出手法では、大当り期待度の高い作動記憶を表すマーカ画像だけを特別な態様に変化させることが一般的であるが、これでは当該変動が来るまで遊技者はひたすら待ち続けることになり、遊技が間延びしてしまうことがある。
【０５０２】
これに対し、本実施形態では、先の変動で「ポイント倍率アップチャレンジ」という別の興趣を提供することで間持ちを図るとともに、当該変動に対する注目度をより一層高めるという２重の効果を達成している点で優位である。
【０５０３】
〔ポイント情報の提供〕
次に、パスワード遊技中に加算されたポイント累計値を遊技者に提供する形態について説明する。
【０５０４】
〔コード発行〕
図４３は、遊技の区切り時にコードを発行するまでの流れを示した連続図である。コードを発行するまでの手続は、上述した「メニュー画面」が表示された状態で進められる。
【０５０５】
〔メニュー画面〕
図４３中（Ａ）：パスワード入力後、特別図柄（第１特別図柄及び第２特別特別図柄）が未変動であり、いずれの作動記憶数も０個の状態で、液晶表示器４２により「メニュー画面」が表示されている。このような「メニュー画面」は、表示画面に「勝つん打！」の文字情報とともに演出切替ボタン４２を表す画像が表示された状態で、遊技者が実際に演出切替ボタン４２を押し込み操作することで表示される。
【０５０６】
そして、「メニュー画面」の表示中、ジョグダイアル４５ａが回転操作されると、それに伴って４つのメニューボタンＢＴ１〜ＢＴ４の選択候補が切り替わる。遊技者がジョグダイアル４５ａを回転させてメニューボタンＢＴ２に候補マークを合わせると、他のメニューボタンＢＴ１，ＢＴ３，ＢＴ４は暗色で表示される。この状態で演出切替ボタン４５が押下されると、メニューボタンＢＴ２に対応する「コード発行」のメニューが選択されたことになる。
【０５０７】
〔確認画面〕
図４３中（Ｂ）：「メニュー選択画面」で「コード発行」が選択されると、次に「確認画面」が表示される。「確認画面」では、例えば画面の右側領域に「これまでの勝つん打ポイントを集計するよ？」といった案内情報とともに、「ＯＫ」と「やめる」の機能ボタンが並んで表示されている。ここでの案内情報は、遊技者に対して「パスワード入力後に加算されたポイントを全て集計してもよいか？」との意思確認を求める内容である。ここで遊技者が「やめる」の機能ボタンを選択し、演出切替ボタン４５を押下した場合は「メニュー画面」に復帰する。
【０５０８】
〔コード表示画面〕
図４３中（Ｃ）：「確認画面」で「ＯＫ」の機能ボタンが選択され、遊技者により演出切替ボタン４５が押下されると、「コード表示画面」に切り替わる。「コード表示画面」では、画面の右側領域に二次元コードの画像が表示される（符号化情報出力手段）。また、その上方には「携帯電話で読み取ってね！」の案内情報が表示されており、下方には「終了」の機能ボタンが表示されている。この状態で、遊技者は自己の所有するカメラ付き携帯電話機を用いて二次元コードを読み取る（画像認識及び復号する）ことができる。なお、二次元コードの読み取りは、いわゆる「スマートフォン」を用いて行ってもよい。また二次元コードの読み取り後、「ＯＫ」の機能ボタンが選択されたまま演出切替ボタン４５が押下されると、液晶表示器４２はデモ画面（図示していない）に切り替わる。
【０５０９】
〔二次元コードの情報〕
発行された二次元コードの情報には、例えば以下の内容を含めることができる。
（１）今回の入力されたパスワード（先の例では「ＨＥＩＷＡ」）
（２）端末識別情報又はユーザＩＤ（携帯電話機の端末に固有のハードウェア情報）
（３）プレイヤーレベル情報（獲得ポイントに応じて設定されるレベル）
（４）ポイント累計情報（今回のパスワード遊技で獲得したポイント累計値）
（５）出現させた演出情報（今回のパスワード遊技中に出現した演出情報）
（６）アクセス用ＵＲＬ（サーバに設置されたウェブサイトへのＵＲＬ）
上記の他にも、適宜の情報を二次元コードに含めることができる。
【０５１０】
〔利用形態〕
図４４は、パスワード遊技の利用形態を示す概念図である。上記のように、パチンコ機１にパスワードを入力して遊技を行う「パスワード遊技」は、例えば以下の要素を用いて実現することができる。
〔１〕パチンコ機１（遊技場に設置された実機）
〔２〕携帯電話機２０２（スマートフォンでも可）
〔３〕基地局２０４及び通信回線２０６
〔４〕サーバ２０８
【０５１１】
〔１〕のパチンコ機１は、本実施形態で取り上げている実機である。〔２〕の携帯電話機２０２はカメラ付きで、二次元コードを読み取るアプリケーションを使用できるものである。〔３〕の基地局２０４及び通信回線２０６は、携帯電話機２０２の機能を用いてネットワーク通信を実現するインフラである。また〔４〕のサーバ２０８は、通信回線２０６を通じてアクセス可能であり、「パスワード遊技」用に構築されたウェブサイトを有するものである。
【０５１２】
〔パスワード遊技利用手順〕
次に、「パスワード遊技」の利用手順について説明する。以下の利用手順は、一連のシーケンスとして簡易的に示している。
【０５１３】
ＳＫ１：サーバ２０８は、ウェブサイト経由で遊技者の携帯電話機２０２宛てにパスワードを発行する。前提として、携帯電話機２０２からサーバ２０８へのアクセスがなされており、ウェブサイト上で「パスワード発行」のリクエストが送信されているものとする。なおアクセス中は、携帯電話機２０２のディスプレイにウェブサイト（携帯サイト）が表示されている。
【０５１４】
ＳＫ２：遊技者は、発行されたパスワードを携帯電話機２０２のディスプレイ上で確認し、これを実際に遊技場でパチンコ機１に入力する操作を行う。パスワードは、遊技者の個人別（ユーザ別）に付与されていることが前提である。パスワードを入力することにより、パチンコ機１において「パスワード遊技」が行われる。パスワード遊技中は、上記のように実際に行われた遊技の内容に応じて加算されたポイントがパチンコ機１の内部に記録（集計）されていく。
【０５１５】
ＳＫ３：「パスワード遊技」を終了又は一区切りする場合、上記のように遊技者が「コード発行」の操作を行うことで、パチンコ機１が二次元コードを出力する。遊技者は、出力された二次元コードを自己の携帯電話機２０２で読み取る。
【０５１６】
ＳＫ４：遊技者は、読み取った二次元コードを用いて、携帯電話機２０２からサーバ２０８のウェブサイトにアクセスする。サーバ２０８は、携帯電話機２０２から送信された情報（二次元コードに含まれている情報）に基づき、遊技者個人別に保有している情報を更新する。サーバ２０８で更新される情報は、例えば上記の（３）〜（５）に示される情報である。
【０５１７】
ＳＫ５：サーバ２０８は、更新後の情報（これまでの獲得ポイント）を携帯電話機２０２に通知する。通知されたポイント（勝つん打！ポイント）は、携帯電話機２のディスプレイに表示される。
【０５１８】
〔ポイントの蓄積〕
以上が「パスワード遊技」の基本的な利用手順であり、遊技者が「パスワード遊技」を利用する度に上記ＳＫ１〜ＳＫ５の手順を繰り返すことで、個人の「プレイヤーレベル」を向上していったり、「勝つん打！ポイント」を次々と蓄積していったりすることができる。「プレイヤーレベル」は、上記のように「Ｌｖ１」等で表したり、例えば初級、中級、上級、特級、プロ級といった等級で表したりるすることができる。「パスワード遊技」の間は、上記のように表示画面の情報表示領域ＤＡに現在のプレイヤーレベルを表示させることで、遊技者個人に周囲への自己顕示やレベルの誇示を可能とする。また「ポイント」は、例えば現物との交換価値として利用したり、何らかのコンテンツ（アイコン、楽曲、画像、アプリ等）との交換価値として利用したりすることができる。
【０５１９】
このように、「プレイヤーレベル」を上げていったり、「勝つん打！ポイント」を蓄積していったりすることが「パスワード遊技」の面白味の１つとなっている。特に「勝つん打！ポイント」は、それが何らかの交換価値を有するものとなる点で遊技者にとっての利益が大きいことから、いかにして「パスワード遊技」の間に多くのポイントを加算し、いかに多くの「勝つん打！ポイント」を獲得することができるかに遊技者の意識を振り向けていくことができる。このような意識を利用することで、「ポイント倍率アップチャレンジ」のミニゲーム演出に対しても遊技者の興味を大きく引きつけ、参加意欲を刺激することができる。
【０５２０】
〔ウェブサイトの構成〕
図４５は、携帯電話機２０２で閲覧できるウェブサイトの態様を示す図である。ウェブサイトの態様は、遊技者が携帯電話機２０２を操作することにより変化する。
【０５２１】
〔トップページ〕
図４５中（Ａ）：携帯電話機２０２で「パスワード遊技」に対応したウェブサイトにアクセスすると、そのトップページが表示される。トップページには、遊技者別のユーザ名（ここでは「ヘイワ」）や現在の勝つん打！ポイント（例えば「２５５０ＰＴ」）等が表示されている。またトップページには、「遊技履歴情報」や「パスワード発行」、「機種別サイト」、「よくある質問」等の各種リンクメニュー（ハイパーリンク）が表示されている。この例では、ちょうど「遊技履歴情報」のリンクメニューにカーソルが合わせられた状態にある。
【０５２２】
〔遊技履歴情報〕
図４５中（Ｂ）：「トップページ」から「遊技履歴情報」のリンクメニューに進むと、直近の「遊技履歴情報」のページに遷移する。このページには、例えば「直近のパスワード遊技の日付（２０１１／１２／２４）」とともに、そのパスワード遊技の内容として「回転数：８５０」や「大当り：１５回」、「最大ハマリ回数：４１０回」等の結果が表示されている。また同ページには、「直近遊技機種パスワードを発行」といったリンクメニューが表示されている。
【０５２３】
〔直近遊技機種パスワード〕
図４５中（Ｃ）：上記のリンクメニューに進むと、「直近遊技機種パスワード」を発行するページに遷移する。このページには、「直近遊技機種」で使用可能なパスワード（例えば「ＡＷＩＥＨ」）とともに、該当する直近遊技機種の名称（例えば「ヘイワーマン」）が表示されている。
【０５２４】
〔ポイント及び遊技結果の反映〕
図４６は、「パスワード遊技」の利用手順を通じて集計した「勝つん打！ポイント」や遊技結果が反映される流れを示す図である。
【０５２５】
〔二次元コードの読み取り〕
図４６中（Ａ）：上記のように、携帯電話機２０２を用いて二次元コードを読み取る。このとき二次元コードには、「勝つん打！ポイント」やパスワード遊技中の遊技結果が反映されているものとする。
【０５２６】
〔携帯サイトアクセス〕
図４６中（Ｂ）：上記のように、読み取った二次元コードを用いてウェブサイト（携帯サイト）にアクセスする。
【０５２７】
〔ポイント計算等〕
図４６中（Ｃ）：上記のようにサーバ２０８は、携帯電話機２０２から送信された情報を元に遊技者個別の勝つん打！ポイントを計算する。このとき各種演出項目の達成リストや「ポイント倍率アップチャレンジ」の結果が含まれていれば、それらを合わせて記録する。
【０５２８】
〔結果表示〕
図４６中（Ｄ）：サーバ２０８でポイントの計算や遊技結果の記録が行われると、その結果が携帯電話機２０２のディスプレイに表示される。この例では、「現在の勝つん打！ポイント」として例えば「３０５０ＰＴ」が表示されている。また「新着！」と題して、「Ｎｅｗミッション達成」及び「ポイント倍率アップチャレンジ×３成功２回達成」といった情報が表示されている。これにより、「ポイント倍率アップチャレンジ」の成功回数と得られた倍率を遊技者に通知することができる。
【０５２９】
〔演出制御手法〕
次に、パチンコ機１で行われる演出の制御手法について説明する。上述した図柄演出としての変動表示演出や停止表示演出、リーチ演出、また、予告演出としてのリーチ発生前予告演出や先読み予告演出、あるいは記憶数表示演出、マーカ表示態様変化演出、ポイント倍率アップチャレンジ演出、また、図柄演出に連動したステージ演出、大当り中（大役中）演出、モード移行演出、ゾーン突入演出、ステージ移行演出等は、いずれも以下の制御処理を通じて制御されている。
【０５３０】
〔演出制御処理〕
図４７は、演出制御ＣＰＵ１２６により実行される演出制御処理の手順例を示すフローチャートである。この演出制御処理は、例えば図示しないリセットスタート（メイン）処理とは別にタイマ割込処理（割込管理処理）の中で実行される。演出制御ＣＰＵ１２６は、リセットスタート処理の実行中に所定の割込周期（例えば数十μｓ〜数ｍｓ周期）でタイマ割込を発生させ、タイマ割込処理を実行する。
【０５３１】
演出制御処理は、コマンド受信処理（ステップＳ４００）、作動記憶演出管理処理（ステップＳ４０２）、演出図柄管理処理（ステップＳ４０３）、表示出力処理（ステップＳ４０４）、ランプ駆動処理（ステップＳ４０６）、音響駆動処理（ステップＳ４０８）、演出乱数更新処理（ステップＳ４１０）及びその他の処理（ステップＳ４１２）のサブルーチン群を含む構成である。以下、各処理に沿って演出制御処理の基本的な流れを説明する。
【０５３２】
ステップＳ４００：コマンド受信処理において、演出制御ＣＰＵ１２６は主制御ＣＰＵ７２から送信される演出用のコマンドを受信する。また、演出制御ＣＰＵ１２６は受信したコマンドを解析し、それらを種類別にＲＡＭ１３０のコマンドバッファ領域に保存する。なお、主制御ＣＰＵ７２から送信される演出用のコマンドには、例えば特図先判定演出コマンド、（特別図柄）作動記憶数増加時演出コマンド、（特別図柄）作動記憶数減少時演出コマンド、始動口入賞音制御コマンド、デモ演出用コマンド、抽選結果コマンド、変動パターンコマンド、変動開始コマンド、停止図柄コマンド、図柄停止時コマンド、状態指定コマンド、ラウンド数コマンド、エラー通知コマンド、大当り終了演出コマンド、回数切りカウンタ値コマンド等がある。
【０５３３】
ステップＳ４０２：作動記憶演出管理処理では、演出制御ＣＰＵ１２６は上述した記憶数表示演出や、各種マーカ画像を用いた演出（要素記憶存在演出、要素記憶消費演出、「勝つん打！ＵＰ」変化演出、先読み予告演出）の実行を制御する。なお「勝つん打！ＵＰ」変化演出や先読み予告演出は、主制御ＣＰＵ７２から受信した特図先判定演出コマンドに基づいて実行することができる。
【０５３４】
ステップＳ４０３：演出図柄管理処理では、演出制御ＣＰＵ１２６は演出図柄を用いた変動表示演出や停止表示演出の内容を制御したり、可変入賞装置３０の開閉動作時の演出内容を制御したりする。またこの処理において、演出制御ＣＰＵ１２６は各種予告演出（リーチ発生前予告演出、リーチ発生後演出等）の演出パターンを選択したり、セリフ演出の演出パターンを選択したりする。なお、演出図柄管理処理の内容については、別の図面を参照しながらさらに後述する。
【０５３５】
ステップＳ４０４：表示出力処理では、演出制御ＣＰＵ１２６は演出表示制御装置１４４（表示制御ＣＰＵ１４６）に対して演出内容の基本的な制御情報（例えば、第１特別図柄及び第２特別図柄それぞれの作動記憶数、作動記憶演出パターン番号、先読み予告演出パターン番号、変動演出パターン番号、変動時予告演出番号、背景パターン番号等）を指示する。これにより、演出表示制御装置１４４（表示制御ＣＰＵ１４６及びＶＤＰ１５２）は指示された演出内容に基づいて液晶表示器４２による表示動作を制御する（各種演出実行手段としての機能を果たす）。
【０５３６】
ステップＳ４０６：ランプ駆動処理では、演出制御ＣＰＵ１２６はランプ駆動回路１３２に対して制御信号を出力する。これを受けてランプ駆動回路１３２は、制御信号に基づいて各種ランプ４６〜５２や盤面ランプ５３、装飾体ランプ４０４等を駆動（点灯又は消灯、点滅、輝度階調変化等）する。
【０５３７】
ステップＳ４０８：次の音響駆動処理では、演出制御ＣＰＵ１２６は音響駆動回路１３４に対して演出内容（例えば変動表示演出中やリーチ演出中、ポイント倍率アップチャレンジ演出中、モード移行演出中、大当り演出中のＢＧＭ、音声データ等）を指示する。これにより、スピーカ５４，５５，５６から演出内容に応じた音が出力される。
【０５３８】
ステップＳ４１０：演出乱数更新処理では、演出制御ＣＰＵ１２６はＲＡＭ１３０のカウンタ領域において各種の演出乱数を更新する。演出乱数には、例えば予告選択に用いられる乱数や通常のステージ移行抽選（演出抽選）に用いられる乱数等がある。
【０５３９】
ステップＳ４１２：その他の処理では、演出制御ＣＰＵ１２６は例えば装飾体モータ４０２の駆動用ＩＣに対して制御信号を出力する。これにより、装飾体４００が装飾体モータ４０２やリンク機構の働きにより動作し、液晶表示器４２による画像の表示と同期して、又は単独で演出を行う。
【０５４０】
以上の演出制御処理を通じて、演出制御ＣＰＵ１２６はパチンコ機１における演出内容を統括的に制御することができる。次に、演出制御処理の中で実行される作動記憶演出管理処理の内容について説明する。
【０５４１】
〔作動記憶演出管理処理〕
図４８は、作動記憶演出管理処理の手順例を示すフローチャートである。
ステップＳ４５０：先ず演出制御ＣＰＵ１２６は、主制御ＣＰＵ７２から作動記憶数増加時演出コマンドを受信したか否かを確認する。具体的には、演出制御ＣＰＵ１２６はＲＡＭ１３０のコマンドバッファ領域にアクセスし、作動記憶数増加時演出コマンドが保存されているか否かを確認する。作動記憶数増加時演出コマンドが保存されていることを確認した場合（Ｙｅｓ）、演出制御ＣＰＵ１２６はステップＳ７０２を実行する。なお、作動記憶数増加時演出コマンドが保存されていることを確認できない場合（Ｎｏ）、演出制御ＣＰＵ１２６はステップＳ４５２を実行しない。
【０５４２】
ステップＳ４５２：演出制御ＣＰＵ１２６は、作動記憶数増加時演出選択処理を実行する。この処理では、演出制御ＣＰＵ１２６は、増加後の合計記憶数に対応するマーカ画像を表示させる演出パターンを選択する。ここでのマーカ画像は、円形状のシンプルな基本態様とする。
【０５４３】
ステップＳ４５４：演出制御ＣＰＵ１２６は、主制御ＣＰＵ７２から作動記憶数減少時演出コマンドを受信したか否かを確認する。具体的には、演出制御ＣＰＵ１２６はＲＡＭ１３０のコマンドバッファ領域にアクセスし、作動記憶数減少時演出コマンドが保存されているか否かを確認する。その結果、作動記憶数減少時演出コマンドが保存されていた場合（Ｙｅｓ）、演出制御ＣＰＵ１２６はステップＳ４５６を実行する。なお、作動記憶数減少時演出コマンドが保存されていることを確認できない場合（Ｎｏ）、演出制御ＣＰＵ１２６はステップＳ４５６を実行しない。
【０５４４】
ステップＳ４５６：演出制御ＣＰＵ１２６は、作動記憶数減少時演出選択処理を実行する。この処理では、減少後の合計記憶数に対応するマーカ画像を表示させる演出パターン（マーカ画像のシフト表示パターン）を選択する。ここでの演出パターンには、液晶表示器４２の表示画面内でマーカ画像を当該変動中領域ＨＡにシフト表示させたり、帯状領域で左側へシフト表示させたりするものが含まれる。
【０５４５】
ステップＳ４５８：また演出制御ＣＰＵ１２６は、マーカ表示態様選択処理を実行する。この処理では、演出制御ＣＰＵ１２６はマーカ画像の表示態様（先読み変化によるマーカ画像、勝つん打！ＵＰマーカ画像等）を選択する。
以上の手順を実行すると、演出制御ＣＰＵ１２６は演出制御処理（図４７）に復帰する。
【０５４６】
〔マーカ表示態様選択処理〕
図４９は、上記のマーカ表示態様選択処理の手順例を示すフローチャートである。以下、手順例に沿って説明する。
【０５４７】
ステップＳ４６０：先ず演出制御ＣＰＵ１２６は、現在表示中の全てのマーカ情報を取得する。具体的には、マーカ画像を表示中の全ての作動記憶について、それぞれの特図先判定演出コマンドの内容を確認する。このとき、作動記憶が３個あったとすると、古い記憶から順に、例えば１個目：非当選，「不定値」、２個目：非当選，「固定値Ａ」、３個目：当選「固定値Ｄ」、等の全マーカ情報がＲＡＭ１３０の一時記憶領域に保存される。
【０５４８】
ステップＳ４６０ａ：また演出制御ＣＰＵ１２６は、先読み変化パターン選択処理を実行する。この処理では、パスワード遊技中であるか否かに関わらず、先のステップＳ４６０で取得した全マーカ情報に基づいてマーカ画像の表示態様を変化させるか否かの抽選が行われる。そして、表示態様の変化抽選に当選した場合、演出制御ＣＰＵ１２６は対象のマーカ画像について変化後の表示態様に対応する表示コマンドを生成する。これにより、表示画面内の帯状領域において、マーカ画像を先読み変化させる演出が行われることになる（特に図示していない）。
【０５４９】
ステップＳ４６１：次に演出制御ＣＰＵ１２６は、現在「ポイント倍率アップチャレンジ演出（図３３，図３４等）」の実行中であるか否かを確認する。「ポイント倍率アップチャレンジ演出」の実行中であれば（Ｙｅｓ）、演出制御ＣＰＵ１２６はここでマーカ表示態様選択処理を抜け、呼び出し元の作動記憶演出管理処理（図４８）を経て演出制御管理処理（図４７）に復帰する。
一方、「ポイント倍率アップチャレンジ演出」の実行中でなければ（Ｎｏ）、演出制御ＣＰＵ１２６はステップＳ４６２に進む。
【０５５０】
ステップＳ４６２：演出制御ＣＰＵ１２６は、先のステップＳ４６０で取得した全マーカ情報から、現在「固定値Ｂ」に対応するマーカ画像（マーカＭ１ｂ，Ｍ２ｂ等）を表示中であるか否かを確認する。「固定値Ｂ」に対応するマーカ画像（「勝つん打！ＵＰ」の特殊態様に変化する前）を表示中でなければ（Ｎｏ）、演出制御ＣＰＵ１２６はステップＳ４６３を実行する。
【０５５１】
ステップＳ４６３： この場合、演出制御ＣＰＵ１２６は、「ポイント倍率アップチャレンジフラグ」をＯＦＦにする。
これに対し、先のステップＳ４６２で「固定値Ｂ」に対応するマーカ画像を表示中であることを確認した場合（ステップＳ４６２：Ｙｅｓ）、演出制御ＣＰＵ１２６はステップＳ４６４を実行する。
【０５５２】
ステップＳ４６４：ここで演出制御ＣＰＵ１２６は、上記のポイント倍率アップチャレンジ発生条件（１）〜（３）を満たすか否かを判断する。発生条件を満たしていれば（Ｙｅｓ）、演出制御ＣＰＵ１２６はステップＳ４６５に進む。なお、発生条件を満たしていなければ（Ｎｏ）、演出制御ＣＰＵ１２６はステップＳ４６５，Ｓ４６６を実行しない。
【０５５３】
ステップＳ４６５：演出制御ＣＰＵ１２６は、ここで「ポイント倍率アップチャレンジフラグ」をＯＮにする。「ポイント倍率アップチャレンジフラグ」のＯＮ／ＯＦＦは、例えばＲＡＭ１３０のフラグ領域に記憶される。
【０５５４】
ステップＳ４６６：続いて演出制御ＣＰＵ１２６は、ポイント倍率アップチャレンジ表示態様を選択する。具体的には、上記の発生条件（２）に対応する作動記憶を表すマーカ画像について、「勝つん打！ＵＰ」の特殊態様を選択する。また、発生条件（３）に対応する作動記憶を表すマーカ画像について、先読み変化による態様（ハート形状）を選択する。
【０５５５】
ステップＳ４６８：そして演出制御ＣＰＵ１２６は、選択した各種の表示態様について表示コマンドを生成する。ここで生成したコマンドは、先の表示出力処理（図４７中のステップＳ４０４）で演出表示制御装置１４４に送信される。これにより、実際に液晶表示器４２の表示画面において、マーカ画像が「勝つん打！ＵＰ」の特殊態様に変化したり、先読み変化したりする演出が行われる（要素記憶存在演出態様変化手段）。
以上の手順を終えると、演出制御ＣＰＵ１２６は呼び出し元の作動記憶演出管理処理を経て、演出制御処理に復帰する。
【０５５６】
〔演出図柄管理処理〕
図５０は、演出図柄管理処理の手順例を示すフローチャートである。演出図柄管理処理は、実行選択処理（ステップＳ５００）、演出図柄変動前処理（ステップＳ５０２）、演出図柄変動中処理（ステップＳ５０４）、演出図柄停止表示中処理（ステップＳ５０６）及び可変入賞装置作動時処理（ステップＳ５０８）のサブルーチン群を含む構成である。以下、各処理に沿って演出図柄管理処理の基本的な流れを説明する。
【０５５７】
ステップＳ５００：実行選択処理において、演出制御ＣＰＵ１２６は次に実行するべき処理（ステップＳ５０２〜ステップＳ５０８のいずれか）のジャンプ先を選択する。例えば、演出制御ＣＰＵ１２６は次に実行するべき処理のプログラムアドレスをジャンプ先のアドレスとし、また戻り先のアドレスとして演出図柄管理処理の末尾を「ジャンプテーブル」にセットする。いずれの処理を次のジャンプ先として選択するかは、これまでに行われた処理の進行状況によって異なる。例えば、未だ変動表示演出を開始していない状況であれば、演出制御ＣＰＵ１２６は次のジャンプ先として演出図柄変動前処理（ステップＳ５０２）を選択する。一方、既に演出図柄変動前処理が完了していれば、演出制御ＣＰＵ１２６は次のジャンプ先として演出図柄変動中処理（ステップＳ５０４）を選択し、演出図柄変動中処理まで完了していれば、次のジャンプ先として演出図柄停止表示中処理（ステップＳ５０６）を選択する。また可変入賞装置作動時処理（ステップＳ５０８）は、主制御ＣＰＵ７２において可変入賞装置管理処理（図１３中のステップＳ５０００）が選択された場合にのみジャンプ先として選択される。この場合、ステップＳ５０２〜ステップＳ５０６は実行されない。
【０５５８】
ステップＳ５０２：演出図柄変動前処理では、演出制御ＣＰＵ１２６は演出図柄を用いた変動表示演出を開始するための条件を整える作業を行う。またこの処理において、演出制御ＣＰＵ１２６は各種の条件（抽選結果、当選種類、変動パターン等）に応じてリーチ演出の内容を選択したり、予告演出についての演出パターン（先読み予告演出パターン以外のリーチ発生前予告パターン、リーチ発生後予告パターン等）を選択したりする。その他にも演出制御ＣＰＵ１２６は、パチンコ機１がいわゆる客待ち状態である場合のデモ演出の制御も行う。また演出制御ＣＰＵ１２６は、デモ演出の制御中にパスワードの入力や二次元コードの発行に関する処理を実行する。なお、具体的な処理の内容は、別のフローチャートを用いて後述する。
【０５５９】
ステップＳ５０４：演出図柄変動中処理では、演出制御ＣＰＵ１２６は必要に応じて演出表示制御装置１４４（表示制御ＣＰＵ１４６）に指示する制御情報を生成する。例えば、演出図柄を用いた変動表示演出を実行中に演出切替ボタン４５を用いた演出を行う場合、遊技者による演出ボタンの操作の有無を演出制御ＣＰＵ１２６が監視するとともに、その結果に応じた演出内容（ボタン演出）の制御情報を表示制御ＣＰＵ１４６に対して指示する。
【０５６０】
ステップＳ５０６：演出図柄停止表示中処理では、演出制御ＣＰＵ１２６は内部抽選の結果に応じた態様で演出図柄や動画像を用いた停止表示演出の内容を制御する。すなわち、演出制御ＣＰＵ１２６は演出表示制御装置１４４（表示制御ＣＰＵ１４６）に対して変動表示演出の終了と停止表示演出の実行を指示する。これを受けて演出表示制御装置１４４（表示制御ＣＰＵ１４６）は、実際に液晶表示器４２の表示画面内でそれまで実行していた変動表示演出を終了させ、停止表示演出を実行する。これにより、特別図柄の停止表示に略同期して停止表示演出が実行され、遊技者に対して内部抽選の結果を演出的に教示（開示、告知、報知等）することができる（図柄演出実行手段）。ただし本実施形態において、小当り時には、はずれと同様か近似した態様で停止表示演出を実行する。
【０５６１】
ステップＳ５０８：可変入賞装置作動時処理では、演出制御ＣＰＵ１２６は小当り中又は大当り中の演出内容を制御する（特別遊技演出実行手段）。この処理において、演出制御ＣＰＵ１２６は各種の条件（例えば当選種類）に応じて大役中演出の内容（演出パターン）を選択する。例えば１６ラウンドの出玉あり確変大当りの場合、演出制御ＣＰＵ１２６は液晶表示器４２に表示する演出内容として、１６ラウンドの大役中演出パターンを選択し、これを演出表示制御装置１４４（表示制御ＣＰＵ１４６）に対して指示する。これにより、液晶表示器４２の表示画面では大当り中演出の画像が表示されるとともに、ラウンドの進行に伴って演出内容が変化していくことになる。なお、具体的な処理の内容は、別のフローチャートを用いて後述する。
【０５６２】
〔演出図柄変動前処理〕
図５１は、上記の演出図柄変動前処理の手順例を示すフローチャートである。以下、手順例に沿って説明する。
【０５６３】
ステップＳ６００：演出制御ＣＰＵ１２６は、主制御ＣＰＵ７２からデモ演出用コマンドを受信したか否かを確認する。具体的には、演出制御ＣＰＵ１２６はＲＡＭ１３０のコマンドバッファ領域にアクセスし、デモ演出用コマンドが保存されているか否かを確認する。その結果、デモ演出用コマンドが保存されていることを確認した場合（Ｙｅｓ）、演出制御ＣＰＵ１２６はステップＳ６０２を実行する。
【０５６４】
ステップＳ６０２：演出制御ＣＰＵ１２６は、デモ選択処理を実行する（待機状態演出実行手段）。この処理では、演出制御ＣＰＵ１２６はデモ演出パターンを選択する。デモ演出パターンには、パチンコ機１がいわゆる客待ち状態であることを表す演出の内容が含まれるほか、液晶表示器４２の表示画面にパスワード入力案内用の画像（図２８中（Ｃ），図２９）を表示させたり、コード発行用のメニュー画面（図４３）を表示させたりするものが含まれる。なお、具体的な制御の内容については、さらに別のフローチャートを用いて後述する。
【０５６５】
以上の手順を終えると、演出制御ＣＰＵ１２６は演出図柄管理処理の末尾のアドレスに復帰する。そして演出制御ＣＰＵ１２６はそのまま演出制御処理に復帰し、続く表示出力処理（図４７中のステップＳ４０４）、ランプ駆動処理（図４７中のステップＳ４０６）においてデモ演出パターンに基づいてデモ演出の内容を制御する。
【０５６６】
一方、ステップＳ６００においてデモ演出用コマンドが保存されていないことを確認すると（Ｎｏ）、演出制御ＣＰＵ１２６は次にステップＳ６０４を実行する。
【０５６７】
ステップＳ６０４：演出制御ＣＰＵ１２６は、今回の変動がはずれ（非当選）であるか否かを確認する。具体的には、演出制御ＣＰＵ１２６はＲＡＭ１３０のコマンドバッファ領域にアクセスし、非当選時の抽選結果コマンドが保存されているか否かを確認する。その結果、非当選時の抽選結果コマンドが保存されていることを確認した場合（Ｙｅｓ）、演出制御ＣＰＵ１２６はステップＳ６１２を実行する。逆に、非当選時の抽選結果コマンドが保存されていないことを確認した場合（Ｎｏ）、演出制御ＣＰＵ１２６はステップＳ６０６を実行する。なお、今回の変動がはずれか否かの確認は、抽選結果コマンドの他に変動パターンコマンドや停止図柄コマンドに基づいて行うことも可能である。すなわち、今回の変動パターンコマンドがはずれ通常変動又ははずれリーチ変動に該当していれば、今回の変動がはずれであると判定することができる。あるいは、今回の停止図柄コマンドが非当選の図柄を指定するものであれば、今回の変動がはずれであると判定することができる。
【０５６８】
ステップＳ６０６：抽選結果コマンドが非当選（はずれ）以外であれば（ステップＳ６０４：Ｎｏ）、次に演出制御ＣＰＵ１２６は、今回の変動が大当たりであるか否かを確認する。具体的には、演出制御ＣＰＵ１２６はＲＡＭ１３０のコマンドバッファ領域にアクセスし、大当り時の抽選結果コマンドが保存されているか否かを確認する。その結果、大当り時の抽選結果コマンドが保存されていることを確認した場合（Ｙｅｓ）、演出制御ＣＰＵ１２６はステップＳ６１０を実行する。逆に、大当り時の抽選結果コマンドが保存されていないことを確認した場合（Ｎｏ）、残るは小当り時の抽選結果コマンドだけであるので、この場合、演出制御ＣＰＵ１２６はステップＳ６０８を実行する。なお、今回の変動が大当たりであるか否かの確認もまた、変動パターンコマンドや停止図柄コマンドに基づいて行うことも可能である。すなわち、今回の変動パターンコマンドが大当り変動に該当していれば、今回の変動が大当りであると判定することができる。また今回の停止図柄コマンドが大当り図柄に該当していれば、今回の変動が大当りであると判定することができる。
【０５６９】
ステップＳ６０８：演出制御ＣＰＵ１２６は、小当り時変動演出パターン選択処理を実行する。この処理では、演出制御ＣＰＵ１２６は主制御ＣＰＵ７２から受信した変動パターンコマンド（例えば、「Ｃ０Ｈ００Ｈ」〜「Ｄ０Ｈ７ＦＨ」）に基づいて、そのときの演出パターン番号を決定する。演出パターン番号は、変動パターンコマンドに対応して予め用意されており、演出制御ＣＰＵ１２６は図示しない演出パターン選択テーブルを参照して、そのときの変動パターンコマンドに対応した演出パターン番号を選択することができる。なお、演出パターン番号は、変動パターンコマンドと対になって用意されていてもよく、１つの変動パターンコマンドに対して複数のものが用意されていてもよい。
【０５７０】
また演出パターン番号を選択すると、演出制御ＣＰＵ１２６は図示しない演出テーブルを参照し、そのときの変動演出パターン番号に対応する演出図柄の変動スケジュール（変動時間やリーチの種類とリーチ発生タイミング）、停止表示の態様等を決定する。なお、ここで決定される演出図柄の種類は、全て「小当り時の図柄の組み合わせ」に該当するものとなっている。
【０５７１】
以上の手順は「小当り」に該当した場合であるが、７ラウンド大当り又は１６ラウンド大当りに該当した場合、演出制御ＣＰＵ１２６はステップＳ６０６で「大当り」であることを確認する（Ｙｅｓ）。この場合、演出制御ＣＰＵ１２６はステップＳ６１０を実行する。
【０５７２】
ステップＳ６１０：演出制御ＣＰＵ１２６は、大当り時変動演出パターン選択処理を実行する。この処理では、演出制御ＣＰＵ１２６は主制御ＣＰＵ７２から受信した変動パターンコマンド（例えば、「Ｅ０Ｈ００Ｈ」〜「Ｆ０Ｈ７ＦＨ」）に基づいて、そのときの演出パターン番号を決定する。なお、大当り時演出パターン選択処理の中では、さらに大当り時停止図柄別に処理を分岐させてもよい。
【０５７３】
また、非当選時の場合は以下の手順が実行される。すなわち、演出制御ＣＰＵ１２６はステップＳ６０４ではずれであることを確認すると（Ｙｅｓ）、次にステップＳ６１２を実行する。
【０５７４】
ステップＳ６１２：演出制御ＣＰＵ１２６は、はずれ時変動演出パターン選択処理を実行する。この処理では、演出制御ＣＰＵ１２６は主制御ＣＰＵ７２から受信した変動パターンコマンド（例えば、「Ａ０Ｈ００Ｈ」〜「Ａ６Ｈ７ＦＨ」）に基づいて、はずれ時の演出パターン番号を決定する。はずれ時の演出パターン番号は、「はずれ通常変動」や「時短はずれ変動」、「はずれリーチ変動」等に分類されており、さらに「はずれリーチ変動」には細かいリーチ変動パターンが規定されている。なお、演出制御ＣＰＵ１２６がいずれの演出パターン番号を選択するかは、主制御ＣＰＵ７２から送信された変動パターンコマンドによって決まる。
【０５７５】
はずれ時の演出パターン番号を選択すると、演出制御ＣＰＵ１２６は図示しない演出テーブルを参照し、そのときの変動演出パターン番号に対応する演出図柄の変動スケジュール（変動時間やリーチ発生の有無、リーチ発生の場合はリーチ種類とリーチ発生タイミング）、停止表示の態様（例えば「７」−「２」−「４」等）を決定する。
【０５７６】
以上のステップＳ６０８，ステップＳ６１０，ステップＳ６１２のいずれかの処理を実行すると、演出制御ＣＰＵ１２６は次にステップＳ６１４を実行する。
【０５７７】
ステップＳ６１４：演出制御ＣＰＵ１２６は、予告選択処理を実行する。この処理では、演出制御ＣＰＵ１２６は今回の変動表示演出中に実行するべき予告演出の内容を抽選によって選択する。予告演出の内容は、例えば内部抽選の結果（当選又は非当選）や現在の内部状態（通常状態、高確率状態、時間短縮状態）に基づいて決定される。上記のように予告演出は、変動表示演出中にリーチ状態が発生する可能性を遊技者に予告したり、最終的に大当りになる可能性があることを予告したりするものである。したがって、非当選時には予告演出の選択比率は低く設定されているが、当選時には遊技者の期待感を高めるため、予告演出の選択比率は比較的高く設定されている。
【０５７８】
ステップＳ６１６：演出制御ＣＰＵ１２６は、ステージ管理処理を実行する。この処理において、演出制御ＣＰＵ１２６はステージ（モード、ゾーン）に関する具体的な処理を実行する。ステージ演出は、複数の背景画像（「昼ステージ」や「夜ステージ」等）を用いて実行され（ステージ演出実行手段）、ステージ演出の実行中に所定の演出実行条件を満たす場合、背景画像を変化させてステージ移行演出が実行される（ステージ移行演出実行手段）。
【０５７９】
ステップＳ６１８：演出制御ＣＰＵ１２６は、背景画像選択処理を実行する。この処理において、演出制御ＣＰＵ１２６は、先のステージ管理処理にて決定されたステージステータスの値に基づいて各種背景画像を選択する処理を実行する。例えば、ステージステータスの値が、「夜ステージ」に対応するものであれば、演出制御ＣＰＵ１２６は背景画像として「夜ステージ」用の背景画像を選択する。
【０５８０】
ステップＳ６２０：次に演出制御ＣＰＵ１２６は、遊技履歴管理処理を実行する。この処理において、演出制御ＣＰＵ１２６はパスワード遊技中のポイント加算や出現させた演出の達成リストを更新する。なお、具体的な制御の内容についてはさらに別のフローチャートを用いて説明する。
【０５８１】
以上の手順を終えると、演出制御ＣＰＵ１２６は演出図柄管理処理（末尾アドレス）に復帰する。これにより、その後の演出図柄変動中処理（図６３中のステップＳ５０４）において、実際に選択された変動演出パターンに基づいて変動表示演出及び停止表示演出が実行されるとともに（各種の演出実行手段としての機能）、各種予告演出パターンに基づいて予告演出が実行される。その他、ここで選択された背景（滞在）モードパターンに基づいて、各種の滞在モード演出が実行される。
【０５８２】
〔デモ選択処理〕
図５２は、上記のデモ選択処理の手順例を示すフローチャートである。以下、手順例に沿って説明する。
【０５８３】
ステップＳ７０２：先ず演出制御ＣＰＵ１２６は、特別図柄の変動が開始したか否かを確認する。特別図柄の変動が開始した場合には、デモ演出を中断させるためである。具体的には、ＲＡＭ１３０の変動開始コマンドを確認することにより実現することができる。特別図柄の変動が開始した場合（ステップＳ７０２：Ｙｅｓ）、演出制御ＣＰＵ１２６は演出図柄変動前処理（図６４）に復帰する。これに対し、特別図柄の変動が開始していない場合（ステップＳ７０２：Ｎｏ）、演出制御ＣＰＵ１２６はステップＳ７０４の処理を実行する。なお、特別図柄の変動が開始していれば、演出図柄管理処理の中でデモ選択処理が呼び出されることはないが、本実施形態ではデモ選択処理の中でも再度、特別図柄の変動開始を確認することで２重のリカバリを行っている。
【０５８４】
ステップＳ７０４：演出制御ＣＰＵ１２６は、所定時間（例えば数秒〜数十秒程度）が経過したか否かを確認する。所定時間が経過する前は、演出図柄の確定表示を維持するためである。具体的には、ＲＡＭ１３０の所定時間カウンタをカウントすることにより実現することができる。所定時間が経過していない場合（ステップＳ７０４：Ｎｏ）、演出制御ＣＰＵ１２６は演出図柄変動前処理（図５１）に復帰する。これに対し、所定時間が経過した場合（ステップＳ７０４：Ｙｅｓ）、演出制御ＣＰＵ１２６はステップＳ７０６の処理を実行する。ここでは特に図示していないが、所定時間カウンタは、演出制御ＣＰＵ１２６がデモ選択処理を繰り返す毎に更新されていくが、コマンド受信処理（図４７中のステップＳ４００）で主制御ＣＰＵ７２からデモ演出コマンドの受信が途絶えた場合はリセットされる。
【０５８５】
ステップＳ７０６：演出制御ＣＰＵ１２６は、遊技者により演出切替ボタン４５が押されたか否かを確認する。具体的には、演出切替ボタン４５からの接点信号がガラス枠電飾基板１３６を通じて演出制御装置１２４に入力されたか否かを確認する。
【０５８６】
遊技者により演出切替ボタン４５が少なくとも１回押されたと判断した場合（ステップＳ７０６：Ｙｅｓ）、これ以降、演出制御ＣＰＵ１２６は毎回ステップＳ７１０の処理を実行する。
【０５８７】
ステップＳ７１０：演出制御ＣＰＵ１２６は、メニュー管理処理を実行する。なお、具体的な制御の内容については、さらに別のフローチャートを用いて後述する。
【０５８８】
これに対し、遊技者により演出切替ボタン４５が未だ押されていないと判断する場合（ステップＳ７０６：Ｎｏ）、演出制御ＣＰＵ１２６はステップＳ７２０の処理を実行する。
【０５８９】
ステップＳ７２０：この場合、演出制御ＣＰＵ１２６は、通常デモ演出選択処理を実行する。具体的には、パチンコ機１がいわゆる客待ち状態であることを表す演出の内容を規定したデモ演出パターン（特に図示していない）を選択する。
【０５９０】
〔メニュー管理処理〕
図５３は、メニュー管理処理の手順例を示すフローチャートである。この処理を通じてパスワードの入力や二次元コードの出力が可能となる。以下、手順例に沿って説明する。
【０５９１】
ステップＳ７５０：先ず演出制御ＣＰＵ１２６は、「メニュー画面」の表示を終了するべきか否かを確認する。終了の必要がある場合（Ｙｅｓ）、演出制御ＣＰＵ１２６はデモ選択処理に復帰する。「メニュー画面」の表示を終了する必要があるのは、基本的にデモ演出用コマンドの受信が途絶えた場合である。この場合、本来は呼出元ルーチンであるデモ選択処理が実行されることはないが、本実施形態ではメニュー管理処理の中でも再度、終了を確認することで、制御の迅速性を確保している。
一方、特に「メニュー画面」の表示を終了する必要がなければ（Ｎｏ）、演出制御ＣＰＵ１２６は次のステップＳ７５２を実行する。
【０５９２】
ステップＳ７５２：この場合、演出制御ＣＰＵ１２６はメニュー画面パターン選択処理を実行する。この処理では、演出制御ＣＰＵ１２６は図２９，図４３等に示される「メニュー画面」のパターンを選択する。なお、未だパスワードが入力されていなければ、演出制御ＣＰＵ１２６はパスワード入力案内用のメニュー画面（図２９）を選択する。一方、パスワード入力済み（パスワード遊技中）であれば、演出制御ＣＰＵ１２６はパスワード遊技中専用のメニュー画面（図４３）を選択する。
【０５９３】
ステップＳ７５４：また演出制御ＣＰＵ１２６は、ジョグダイアル操作受付処理を実行する。この処理において、演出制御ＣＰＵ１２６は演出切替ボタン４５及びジョグダイアル４５ａの操作を監視し、操作を検知した場合はこれに応じて「メニュー画面」の表示態様を変化させる。この処理において、演出制御ＣＰＵ１２６は実際にパスワードの入力を受け付けることができる（個別情報受付手段）。
【０５９４】
ステップＳ７５６：続いて演出制御ＣＰＵ１２６は、「メニュー画面」の表示に関連するメニューが選択済みであるかを確認する。具体的には、「メニュー画面」から「パスワード入力画面」に進み、最終的に「決定」が選択された場合、演出制御ＣＰＵ１２６はメニュー選択済みと判断する。その他にも、「メニュー画面」から図４３中（Ｃ）の「コード発行画面」に進み、最終的に「終了」が選択された場合、演出制御ＣＰＵ１２６はメニュー選択済みと判断する。メニュー選択済みと判断するまでの間（Ｎｏ）、演出制御ＣＰＵ１２６はメニュー管理処理を実行する度にステップＳ７５２，Ｓ７５４を実行し、「メニュー画面」以降の画面の表示態様を選択する。
【０５９５】
ステップＳ７５８：メニュー選択済みと判断した場合（ステップＳ７５６：Ｙｅｓ）、演出制御ＣＰＵ１２６は次にパスワードが入力されたか否かを確認する。パスワードが入力された場合（Ｙｅｓ）、次に演出制御ＣＰＵ１２６はステップＳ７６０に進む。
【０５９６】
ステップＳ７６０：ここで演出制御ＣＰＵ１２６は、パスワード遊技中フラグをＯＮにする。このフラグ値は、例えばＲＡＭ１３０のフラグ領域に保存される。
ステップＳ７６２：そして演出制御ＣＰＵ１２６は、ポイント情報表示処理を実行する。この処理において、演出制御ＣＰＵ１２６は現在までのプレイヤーレベルや、パスワード入力後のポイント（累計値）を表示画面内の情報表示領域ＤＡに初期表示させる（図２９中（Ｄ）等）。
【０５９７】
一方、先のステップＳ７５８でパスワードが入力されていないことを確認した場合（Ｎｏ）、演出制御ＣＰＵ１２６はステップＳ７６４に進む。
ステップＳ７６４：この場合、次に演出制御ＣＰＵ１２６は二次元コードを発行する必要があるか否かを確認する。特に「メニュー画面」で「コード発行」のメニューボタンＢＴ２が選択されていなければ（Ｎｏ）、演出制御ＣＰＵ１２６はステップＳ７６２に進む。この場合、パスワード遊技中フラグはＯＦＦであるため、特にプレイヤーレベルやポイントは表示画面内に表示されない（図２８中（Ａ）等）。
【０５９８】
また、「メニュー画面」で「コード発行」のメニューボタンＢＴ２が選択された場合、ステップＳ７６４では二次元コードの発行が必要と判断される（Ｙｅｓ）。この場合、演出制御ＣＰＵ１２６はステップＳ７６６に進む。
【０５９９】
ステップＳ７６６：そして演出制御ＣＰＵ１２６は、入力済みのパスワードや、ここまでに記録したポイント集計結果（累計値）、変動回数、大当り回数等の履歴から二次元コードを生成し、「コード発行画面」のパターンを決定する（符号化情報出力手段）。
【０６００】
以上の手順を実行すると、演出制御ＣＰＵ１２６はデモ選択処理に復帰する。これにより、以後の演出制御処理（図４７）を通じて実際に「メニュー画面」や「パスワード入力案内画面」、「コード発行画面」等が表示されることになる。
【０６０１】
〔はずれ時変動演出パターン選択処理〕
図５４は、はずれ時変動演出パターン選択処理の手順例を示すフローチャートである。この処理において、演出制御ＣＰＵ１２６は「はずれ時変動演出パターン」を選択する他、パスワード遊技中の「ポイント倍率アップチャレンジ演出パターン」を選択することができる。なお、ここでは「はずれ時変動演出パターン」を例に挙げているが、「ポイント倍率アップチャレンジ演出パターン」を選択する処理は、「大当り次変動演出パターン選択処理」において実行することもできる（この点は後述）。以下、手順例に沿って説明する。
【０６０２】
ステップＳ８００：演出制御ＣＰＵ１２６は、今回の変動開始時に受信した変動パターンコマンドを解析する。上記のように変動パターンコマンドは、例えば「Ａ０Ｈ００Ｈ」〜「Ａ６Ｈ７ＦＨ」として解析することができる。
【０６０３】
ステップＳ８０２：次に演出制御ＣＰＵ１２６は、「ポイント倍率アップチャレンジフラグ」がＯＮであるか否かを確認する。具体的には、ＲＡＭ１３０のフラグ領域にアクセスし、「ポイント倍率アップチャレンジフラグ」に該当するアドレスの値（０又は１）を参照する。そして、現在の「ポイント倍率アップチャレンジフラグ」がＯＮであれば（Ｙｅｓ）、演出制御ＣＰＵ１２６はステップＳ８０４に進む。
【０６０４】
ステップＳ８０４：この場合、演出制御ＣＰＵ１２６は今回の変動秒数が「固定値Ａ」のリーチグループ決定乱数に基づいて「１２．５秒」に設定されているか否かを確認する。
ステップＳ８０６：そして、変動秒数が「固定値Ａ」のリーチグループ決定乱数に基づいて設定されていれば（ステップＳ８０４：Ｙｅｓ）、演出制御ＣＰＵ１２６はポイント倍率アップチャレンジ変動演出パターン選択処理を実行する。この処理では、演出制御ＣＰＵ１２６は「ポイント倍率アップチャレンジ演出」に用いる変動演出パターン（図３３，図３４等）を選択する。
【０６０５】
ステップＳ８０８：続いて演出制御ＣＰＵ１２６は、選択した変動演出パターンが「ポイント倍率アップチャレンジ成功パターン」に該当するかを確認する。成功パターンに該当していれば（Ｙｅｓ）、演出制御ＣＰＵ１２６はステップＳ８１０に進む。
【０６０６】
ステップＳ８１０：ここで演出制御ＣＰＵ１２６は、成功時のポイント倍率値（例えば「×３」）をセットする。ここでセットした倍率値は、表示画面内で情報表示領域ＤＡの近傍に表示される。これに対し、今回の選択した変動演出パターンが「ポイント倍率アップチャレンジ失敗パターン」であれば（ステップＳ８０８：Ｎｏ）、演出制御ＣＰＵ１２６はステップＳ８１０を実行しない。
【０６０７】
ステップＳ８１２：そして演出制御ＣＰＵ１２６は、先のステップＳ８０６で選択した「ポイント倍率アップチャレンジ変動演出パターン（成功又は失敗）」について「はずれ時変動演出パターン番号」をセットする。ここでセットした演出パターン番号は、演出制御処理中の表示出力処理（図４７中のステップＳ４０４）で演出表示制御装置１４４に送信される。これにより、実際に第１特別図柄又は第２特別図柄の変動表示中に「ポイント倍率アップチャレンジ演出（図３３，図３４）」が実行されることになる（遊技得点増加予告演出実行手段）。
【０６０８】
ここまでの手順は、「ポイント倍率アップチャレンジフラグ」がＯＮであり、かつ、今回の変動秒数が「固定値Ａ」のリーチグループ決定乱数に基づいて設定されていた（ステップＳ８０２：ＹｅｓかつステップＳ８０４：Ｙｅｓ）場合のものであるが、これ以外（ステップＳ８０２：Ｎｏ又はステップＳ８０４：Ｎｏ）の場合、演出制御ＣＰＵ１２６はステップＳ８１４を実行する。
【０６０９】
ステップＳ８１４：すなわち演出制御ＣＰＵ１２６は、変動パターンコマンドに基づいて変動演出パターン抽選を行う。これにより、演出図柄を用いた変動表示演出や停止表示演出、はずれ時リーチ変動演出等の演出パターンが選択されることになる。
【０６１０】
ステップＳ８１２：上記のステップＳ８１４を実行した場合についても、演出制御ＣＰＵ１２６は「はずれ時変動演出パターン番号」をセットする。ここでセットした演出パターン番号は、演出制御処理中の表示出力処理（図４７中のステップＳ４０４）で演出表示制御装置１４４に送信される。これにより、実際に第１特別図柄又は第２特別図柄の変動表示に対応させて演出図柄による変動表示演出が行われ、また、停止表示に対応させて停止表示演出が行われる（図柄演出実行手段）。
【０６１１】
〔遊技履歴管理処理〕
図５５は、上記の遊技履歴管理処理（図５１中のステップＳ６２０）の手順例を示すフローチャートである。この処理において、演出制御ＣＰＵ１２６はパスワード遊技中のポイント加算や出現させた演出の達成リストを更新することができる。以下、手順例に沿って処理の内容を説明する。
【０６１２】
ステップＳ８５０：先ず演出制御ＣＰＵ１２６は、現在パスワード遊技中であるか否かを確認する。この確認は、上記の「パスワード遊技中フラグ」の値に基づいて行われる。パスワード遊技中であることを確認した場合（Ｙｅｓ）、演出制御ＣＰＵ１２６はステップＳ８５２以降を実行する。一方、パスワード遊技中でなければ（Ｎｏ）、演出制御ＣＰＵ１２６はここで呼び出し元の演出図柄変動前処理に復帰する。
【０６１３】
ステップＳ８５２：演出制御ＣＰＵ１２６は、「ポイント倍率アップチャレンジフラグ」を確認し、フラグがＯＮであれば（Ｙｅｓ）、ステップＳ８５４に進む。
【０６１４】
ステップＳ８５４：また演出制御ＣＰＵ１２６は、「倍率値」がセット済みであるか否かを確認する。なお「倍率値」は、先のはずれ時変動演出パターン選択処理（図５４）において、「ポイント倍率アップチャレンジ成功パターン」が選択された場合にセットされるものである。そして、「倍率値」がセット済みであれば（Ｙｅｓ）、演出制御ＣＰＵ１２６はステップＳ８５６に進む。
【０６１５】
ステップＳ８５６：そして演出制御ＣＰＵ１２６は、今回の変動がポイント倍率アップの対象となる作動記憶の当該変動であるか否かを確認する。具体的には、今回の変動が大当り期待度の高い変動秒数（例えば「１２０秒」、「１５０秒」等）を設定しているか否かを確認する。その結果、ポイント倍率アップ対象の当該変動であれば（Ｙｅｓ）、演出制御ＣＰＵ１２６はステップＳ８５８を実行する。
【０６１６】
ステップＳ８５８：この場合、演出制御ＣＰＵ１２６は、今回の変動演出パターンに対して純粋に加算されるポイント（例えば「１００ｐｔ」）に対し、セット済みの「倍率値」を乗じてポイントを加算（付与）する。これにより、実際に当該変動で加算されるポイントが増加されることになる（遊技得点加算手段）。
【０６１７】
これに対し、現在パスワード遊技中であっても、「ポイント倍率アップチャレンジフラグ」がＯＦＦであるか（ステップＳ８５２：Ｎｏ）、又は「ポイント倍率アップチャレンジフラグ」がＯＮであっても、「倍率値」がセットされていないか（ステップＳ８５４：Ｎｏ）、もしくは、「倍率値」がセットされていても、今回の変動がポイント倍率アップ対象の作動記憶の当該変動ではない（ステップＳ８５６：Ｎｏ）場合、演出制御ＣＰＵ１２６はステップＳ８６２を実行する。
【０６１８】
ステップＳ８６２：この場合、演出制御ＣＰＵ１２６は、今回の変動演出パターンに対応するポイントを加算（付与）する。なお、上記のように加算されるポイントは最低で「１」である。
【０６１９】
ステップＳ８６０：そして演出制御ＣＰＵ１２６は、遊技履歴集計処理を実行する。この処理において演出制御ＣＰＵ１２６は、ステップＳ８５８又はステップＳ８６２で加算されたポイントを集計するとともに、今回の変動演出パターンや予告選択処理で選択された演出の達成リストを更新する。
【０６２０】
以上のように演出制御ＣＰＵ１２６による各種の処理が行われることで、本実施形態のパチンコ機１において以下に例示する機能を実現することができる。
（１）遊技者に個別のパスワードの入力をパチンコ機１で受け付けること。
（２）パスワードの入力が受け付けられた状態での遊技（パスワード遊技）を実行すること。
（３）パスワード遊技中の遊技（例えば特別図柄の変動表示及び停止表示）に対して、遊技得点としてのポイントを加算すること。
（４）パスワード遊技中の作動記憶について、所定の発生条件を満たした場合にマーカ画像を「勝つん打！ＵＰ」の特殊態様に変化させること。
（５）「勝つん打！ＵＰ」のマーカ画像で表される作動記憶の当該変動で「ポイント倍率アップチャレンジ」のミニゲーム演出を実行し、次以降の変動で加算されるポイントが増加する可能性を予告的に演出すること。
（６）「ポイント倍率アップチャレンジ」の成功又は失敗パターンを決め、成功パターンの場合に加算ポイントの倍率値をセットしておくこと。
（７）倍率値がセットされた状態で大当り期待度の高い作動記憶が消費されると、当該変動で加算されるポイントに倍率値を乗じてポイント加算すること。
（８）パスワード遊技中に加算されたポイントを集計すること。
（９）集計したポイントをコード化情報として遊技者に提供すること。
【０６２１】
本発明は上述した一実施形態に制約されることなく、種々に変形して実施することができる。
【０６２２】
一実施形態では、例えば図５４のはずれ時変動演出パターン選択処理において、「ポイント倍率アップチャレンジ」の成功又は失敗を決定することとしているが、変動開始前は「ポイント倍率アップチャレンジ演出を行う」という演出パターンだけを選択しておき、実際の変動中に行われるミニゲーム演出内で成功又は失敗を決定することとしてもよい。この場合、例えば演出図柄変動中処理（図５０中のステップＳ５０４）で成功又は失敗の演出抽選を行ってもよいし、あるいは、変動中に演出切替スイッチ４５の操作回数をカウントしておき、押し込み操作が一定回数に達した場合はポイント倍率アップチャレンジ成功、それ以外は失敗としてもよい。
【０６２３】
また上記のように、「ポイント倍率アップチャレンジ」が大当り変動であってもよい。この場合、大当り変動演出パターン選択処理（図５１中のステップＳ６１０）において、「ポイント倍率アップチャレンジ成功後に大当りとなるリーチ演出パターン」を設けておいたり、逆に「ポイント倍率アップチャレンジ失敗後に大当たりとなるリーチ演出パターン」を設けておいたりすることができる。前者のパターンは、当該変動でポイント倍率アップチャレンジに成功して倍率値をセットするが、当該変動で大当たりとなるため、大当り終了後の変動まで倍率値を持ち越すことができる。また後者のパターンは、当該変動でポイント倍率アップチャレンジに失敗するものの、当該変動で大当りとなり、１変動分（大当り時）のポイントを加算することができる。
【０６２４】
また一実施形態では、遊技中のマーカ画像を「勝つん打！ＵＰ」に変化させる発生条件として、先の変動秒数が「固定値Ａ」のリーチグループ決定乱数に基づいて設定されることを例に挙げているが、先の変動秒数は「固定値Ｂ」やその他の「固定値Ｃ」、「固定値Ｄ」等のリーチグループ決定乱数に基づいて固定に設定されるものであってもよい。
【０６２５】
図１５及び図１８に示したリーチグループ決定乱数の範囲や、最終的に設定される変動秒数の長さはあくまで例示であり、本発明の実施に際して数値が限定されるものではない。
【０６２６】
その他の演出例であげた画像はあくまで一例であり、これらは適宜に変形することができる。また、パチンコ機１の構造や盤面構成等は図示のものも含めて好ましい例示であり、これらを適宜に変形可能であることはいうまでもない。
【符号の説明】
【０６２７】
１    パチンコ機
８    遊技盤
８ａ  遊技領域
２０    始動ゲート
２６    上始動入賞口
２８    可変始動入賞装置
２８ａ  下始動入賞口
３３    普通図柄表示装置
３３ａ  普通図柄作動記憶ランプ
３４    第１特別図柄表示装置
３５    第２特別図柄表示装置
３４ａ  第１特別図柄作動記憶ランプ
３５ａ  第２特別図柄作動記憶ランプ
３８    遊技状態表示装置
４２    液晶表示器
７０    主制御装置
７２    主制御ＣＰＵ
７４    ＲＯＭ
７６    ＲＡＭ
１２４    演出制御装置
１２６    演出制御ＣＰＵ
【図１】
0005988595.tif 000002
【図２】
0005988595.tif 000003
【図３】
0005988595.tif 000004
【図４】
0005988595.tif 000005
【図５】
0005988595.tif 000006
【図６】
0005988595.tif 000007
【図７】
0005988595.tif 000008
【図８】
0005988595.tif 000009
【図９】
0005988595.tif 000010
【図１０】
0005988595.tif 000011
【図１１】
0005988595.tif 000012
【図１２】
0005988595.tif 000013
【図１３】
0005988595.tif 000014
【図１４】
0005988595.tif 000015
【図１５】
0005988595.tif 000016
【図１６】
0005988595.tif 000017
【図１７】
0005988595.tif 000018
【図１８】
0005988595.tif 000019
【図１９】
0005988595.tif 000020
【図２０】
0005988595.tif 000021
【図２１】
0005988595.tif 000022
【図２２】
0005988595.tif 000023
【図２３】
0005988595.tif 000024
【図２４】
0005988595.tif 000025
【図２５】
0005988595.tif 000026
【図２６】
0005988595.tif 000027
【図３３】
0005988595.tif 000028
【図３５】
0005988595.tif 000029
【図３７】
0005988595.tif 000030
【図４６】
0005988595.tif 000031
【図４７】
0005988595.tif 000032
【図４８】
0005988595.tif 000033
【図４９】
0005988595.tif 000034
【図５０】
0005988595.tif 000035
【図５１】
0005988595.tif 000036
【図５２】
0005988595.tif 000037
【図５３】
0005988595.tif 000038
【図５４】
0005988595.tif 000039
【図５５】
0005988595.tif 000040
【図２７】
0005988595.tif 000041
【図２８】
0005988595.tif 000042
【図２９】
0005988595.tif 000043
【図３０】
0005988595.tif 000044
【図３１】
0005988595.tif 000045
【図３２】
0005988595.tif 000046
【図３４】
0005988595.tif 000047
【図３６】
0005988595.tif 000048
【図３８】
0005988595.tif 000049
【図３９】
0005988595.tif 000050
【図４０】
0005988595.tif 000051
【図４１】
0005988595.tif 000052
【図４２】
0005988595.tif 000053
【図４３】
0005988595.tif 000054
【図４４】
0005988595.tif 000055
【図４５】
0005988595.tif 000056